(57)【要約】      （修正有）【課題】無線通信ネットワークのネットワーク・パフォーマンスを最適化する。【解決手段】無線通信のための方法、装置及びコンピュータ・プログラム製品が提供され、通信イベントが検出され、該検出された通信イベントの１又は複数のアスペクトが解析され、そして、該検出された通信イベントの該１又は複数のアスペクトのうちの少なくとも一つがユーザ装置上でログに記憶される。【選択図】図１１
2014096823.tif 000002
【特許請求の範囲】
【請求項１】
無線通信のための方法において、
通信イベントを検出することと、
前記検出された通信イベントの１又は複数のアスペクトを解析することと、
前記検出された通信イベントの前記１又は複数のアスペクトのうちの少なくとも一つを、ユーザ装置上でログに記憶することを含む方法。
【請求項２】
前記ログの少なくとも一部をレポートすることを更に含む請求項１の方法。
【請求項３】
前記通信イベントは、ページ・レスポンスを含み、
前記記憶することは、前記ページ・レスポンスをタイムスタンプとともに前記ログに記憶することを更に含む請求項１の方法。
【請求項４】
前記レポートすることは、周期的に前記ログをレポートすることを更に含む請求項２の方法。
【請求項５】
前記レポートすることは、ＳＯＮサーバからのリクエストに応答して、前記ログの前記少なくとも一部をレポートすることを更に含む請求項２の方法。
【請求項６】
前記レポートすることは、制御プレーン・ベアラを使用してなされる請求項２の方法。
【請求項７】
前記レポートすることは、ユーザプレーン・ベアラを使用してなされる請求項２の方法。
【請求項８】
前記通信イベントは、リンク・アンバランスを含み、
前記記憶することは、前記リンク・アンバランスの時刻、前記リンク・アンバランスに関連するセルＩＤ、受信電力レベル及び前記リンク・アンバランスの継続期間のうちの少なくとも一つを記憶することを更に含む請求項１の方法。
【請求項９】
前記検出することは、
タイムピリオドの間、増加を示す電力制御ビットを有する第１のリンクを識別することと、
前記タイムピリオドの間、前記第１のリンクの前記電力制御ビットと同一の又は類似するインジケーションを一貫して与えないチャネル品質インジケータ・ビットを有する第２のリンクを識別することを更に含む請求項８の方法。
【請求項１０】
前記検出することは、
タイムピリオドの間、減少を示す電力制御ビットを有する第１のリンクを識別することと、
前記タイムピリオドの間、前記第１のリンクの前記電力制御ビットと同一の又は類似するインジケーションを一貫して与えないチャネル品質インジケータ・ビットを有する第２のリンクを識別することを更に含む請求項８の方法。
【請求項１１】
前記通信イベントは、数ｄＢ内の相対的な信号強度をもつ２つのパイロットにより定義される、パイロット及びデータ・ポリューションのインスタンスを含み、
前記記憶することは、更に、前記パイロット及びデータ・ポリューションのインスタンスの時刻、セルＩＤ、パイロットＩＤ及び少なくとも２つのパイロットの強度のうちの少なくとも一つを記憶することを含む請求項１の方法。
【請求項１２】
前記検出することは、
検出されたパイロットの数を閾値パイロット数と比較することと、
前記検出されたパイロットの数が閾値数を超える場合にパイロット及びデータ・ポリューションのインスタンスを示すことを更に含む請求項１１の方法。
【請求項１３】
前記検出することは、前記パイロット及びデータ・ポリューションに関連する２つ以上のパイロットを識別することを更に含む請求項１の方法。
【請求項１４】
前記解析することは、前記パイロット及びデータ・ポリューションに関連する２つ以上のパイロットの前記強度を測定することを更に含む請求項１１の方法。
【請求項１５】
前記通信イベントは、セルエッジ・エクスペリエンスのインスタンスを含み、
前記記憶することは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む請求項１の方法。
【請求項１６】
前記検出することは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを含む請求項１５の方法。
【請求項１７】
前記検出することは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを更に含む請求項１５の方法。
【請求項１８】
前記検出することは、
ユーザ装置の受信信号を閾値受信信号と比較することと、
多数のＣＲＣ失敗が存在する場合に、セルエッジ・エクスペリエンスのインスタンスを示すことを更に含む請求項１５の方法。
【請求項１９】
前記通信イベントは、ハンドオーバー失敗のインスタンスを含み、
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む請求項１の方法。
【請求項２０】
前記通信イベントは、セル再選択失敗のインスタンスを含み、
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間の少なくとも一つを記憶することを更に含む請求項１の方法。
【請求項２１】
前記通信イベントは、セル・リダイレクション失敗のインスタンスを含み、
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む請求項１の方法。
【請求項２２】
前記通信イベントは、圏外エクスペリエンスのインスタンスを含み、
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む請求項１の方法。
【請求項２３】
前記通信モードは、アイドル・モード又は接続モードのうちの少なくとも一つを更に含む請求項１９の方法。
【請求項２４】
無線通信のための装置において、
通信イベントを検出するための手段と、
前記検出された通信イベントの１又は複数のアスペクトを解析するための手段と、
前記検出された通信イベントの前記１又は複数のアスペクトのうちの少なくとも一つを、ユーザ装置上でログに記憶するための手段とを含む装置。
【請求項２５】
前記ログの少なくとも一部をレポートするための手段を更に含む請求項２４の装置。
【請求項２６】
前記通信イベントは、ページ・レスポンスを含み、
前記記憶することは、前記ページ・レスポンスをタイムスタンプとともに前記ログに記憶することを更に含む請求項２４の装置。
【請求項２７】
前記レポートするための手段は、周期的にログをレポートするための手段を更に含む請求項２５の装置。
【請求項２８】
前記レポートするための手段は、ＳＯＮサーバからのリクエストに応答して、前記ログの前記少なくとも一部をレポートすることを更に含む請求項２６の装置。
【請求項２９】
前記通信イベントは、リンク・アンバランスを含み、
前記記憶するための手段は、前記リンク・アンバランスの時刻、前記リンク・アンバランスに関連するセルＩＤ、受信電力レベル及び前記リンク・アンバランスの継続期間のうちの少なくとも一つを記憶することを更に含む請求項２４の装置。
【請求項３０】
前記検出するための手段は、
タイムピリオドの間、増加を示す電力制御ビットを有する第１のリンクを識別するための手段と、
前記タイムピリオドの間、前記第１のリンクの前記電力制御ビットと同一の又は類似するインジケーションを一貫して与えないチャネル品質インジケータ・ビットを有する第２のリンクを識別するための手段とを更に含む請求項２９の装置。
【請求項３１】
前記検出するための手段は、
タイムピリオドの間、減少を示す電力制御ビットを有する第１のリンクを識別するための手段と、
前記タイムピリオドの間、前記第１のリンクの前記電力制御ビットと同一の又は類似するインジケーションを一貫して与えないチャネル品質インジケータ・ビットを有する第２のリンクを識別するための手段とを更に含む請求項２９の装置。
【請求項３２】
前記通信イベントは、数ｄＢ内の相対的な信号強度をもつ２つのパイロットにより定義される、パイロット及びデータ・ポリューションのインスタンスを含み、
前記記憶するための手段は、前記パイロット及びデータ・ポリューションのインスタンスの時刻、セルＩＤ、パイロットＩＤ及び少なくとも２つのパイロットの強度のうちの少なくとも一つを記憶することを更に含む請求項２４の装置。
【請求項３３】
前記検出するための手段は、
検出されたパイロットの数を閾値パイロット数と比較することと、
前記検出されたパイロットの数が閾値数を超える場合にパイロット及びデータ・ポリューションのインスタンスを示すことを更に含む請求項３２の装置。
【請求項３４】
前記検出するための手段は、パイロット及びデータ・ポリューションに関連する２つ以上のパイロットを識別するための手段を更に含む請求項３３の装置。
【請求項３５】
前記解析することは、パイロット及びデータ・ポリューションに関連する２つ以上のパイロットの前記強度を測定することを更に含む請求項３４の装置。
【請求項３６】
前記通信イベントは、セルエッジ・エクスペリエンスのインスタンスを含み、
前記記憶するための手段は、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む請求項２４の装置。
【請求項３７】
前記検出するための手段は、
ユーザ装置の受信信号を閾値受信信号と比較するための手段と、
時間ｔの間、前記ユーザ装置の受信信号が、前記閾値受信信号より低い、サポートされるデータレートにおいて、非常に低いデータレートへの低下が存在する、及び、多数のＣＲＣ失敗が存在する、のうちの少なくとも一つが起こる場合に、セルエッジ・エクスペリエンスのインスタンスを示すための手段とを更に含む請求項３６の装置。
【請求項３８】
前記通信イベントは、ハンドオーバー失敗、セル再選択失敗、セル・リダイレクション失敗、又は圏外エクスペリエンスのうちの少なくとも一つのインスタンスを含み、
前記記憶するための手段は、通信イベントの時刻、通信イベントに関連するセルＩＤ、通信イベントに関連する通信モード、及びユーザ装置が通信イベントに関連するセルＩＤをもつセルの上でキャンプする継続期間のうちの少なくとも一つを記憶することを更に含む請求項２４の装置。
【請求項３９】
前記通信モードは、アイドル・モード又は接続モードのうちの少なくとも一つを更に含む請求項３８の装置。
【請求項４０】
コンピュータ・プログラム製品において、
通信イベントを検出し、
前記検出された通信イベントの１又は複数のアスペクトを解析し、
前記検出された通信イベントの前記１又は複数のアスペクトのうちの少なくとも一つを、ユーザ装置上でログに記憶するためのコードを含むコンピュータ読み取り可能な媒体を含むコンピュータ・プログラム製品。
【請求項４１】
前記ログの少なくとも一部をレポートすることを更に含む請求項４０のコンピュータ・プログラム製品。
【請求項４２】
前記通信イベントは、ページ・レスポンスを含み、
前記記憶することは、前記ページ・レスポンスをタイムスタンプとともに前記ログに記憶することを更に含む請求項４０のコンピュータ・プログラム製品。
【請求項４３】
前記レポートすることは、周期的に前記ログをレポートすることを更に含む請求項４１のコンピュータ・プログラム製品。
【請求項４４】
前記レポートすることは、ＳＯＮサーバからのリクエストに応答して、前記ログの前記少なくとも一部をレポートすることを更に含む請求項４１のコンピュータ・プログラム製品。
【請求項４５】
前記レポートすることは、制御プレーン・ベアラを使用してなされる請求項４１のコンピュータ・プログラム製品。
【請求項４６】
前記レポートすることは、ユーザプレーン・ベアラを使用してなされる請求項４１のコンピュータ・プログラム製品。
【請求項４７】
前記通信イベントは、リンク・アンバランスを含み、
前記記憶することは、前記リンク・アンバランスの時刻、前記リンク・アンバランスに関連するセルＩＤ、受信電力レベル及び前記リンク・アンバランスの継続期間のうちの少なくとも一つを記憶することを更に含む請求項４０のコンピュータ・プログラム製品。
【請求項４８】
前記検出することは、
タイムピリオドの間、増加を示す電力制御ビットを有する第１のリンクを識別することと、
前記タイムピリオドの間、前記第１のリンクの前記電力制御ビットと同一の又は類似するインジケーションを一貫して与えないチャネル品質インジケータ・ビットを有する第２のリンクを識別することを更に含む請求項４７のコンピュータ・プログラム製品。
【請求項４９】
前記検出することは、
タイムピリオドの間、減少を示す電力制御ビットを有する第１のリンクを識別することと、
前記タイムピリオドの間、前記第１のリンクの前記電力制御ビットと同一の又は類似するインジケーションを一貫して与えないチャネル品質インジケータ・ビットを有する第２のリンクを識別することを更に含む請求項４７のコンピュータ・プログラム製品。
【請求項５０】
前記通信イベントは、数ｄＢ内の相対的な信号強度をもつ２つのパイロットにより定義される、パイロット及びデータ・ポリューションのインスタンスを含み、
前記記憶することは、前記パイロット及びデータ・ポリューションのインスタンスの時刻、セルＩＤ、パイロットＩＤ及び少なくとも２つのパイロットの強度のうちの少なくとも一つを記憶することを更に含む請求項４０のコンピュータ・プログラム製品。
【請求項５１】
前記検出することは、
検出されたパイロットの数を閾値パイロット数と比較することと、
前記検出されたパイロットの数が閾値数を超える場合にパイロット及びデータ・ポリューションのインスタンスを示すことを更に含む請求項５０のコンピュータ・プログラム製品。
【請求項５２】
前記検出することは、前記パイロット及びデータ・ポリューションに関連する２つ以上のパイロットを識別することを更に含む請求項５１のコンピュータ・プログラム製品。
【請求項５３】
前記１又は複数の測定を実行することは、パイロット及びデータ・ポリューションに関連する２つ以上のパイロットの前記強度を測定することを更に含む請求項５２のコンピュータ・プログラム製品。
【請求項５４】
前記通信イベントは、セルエッジ・エクスペリエンスのインスタンスを含み、
前記記憶することは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む請求項４０のコンピュータ・プログラム製品。
【請求項５５】
前記検出することは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを含む請求項５４のコンピュータ・プログラム製品。
【請求項５６】
前記検出することは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを更に含む請求項５４のコンピュータ・プログラム製品。
【請求項５７】
前記検出することは、
ユーザ装置の受信信号を閾値受信信号と比較することと、
多数のＣＲＣ失敗が存在する場合に、セルエッジ・エクスペリエンスのインスタンスを示すことを更に含む請求項５４のコンピュータ・プログラム製品。
【請求項５８】
前記通信イベントは、ハンドオーバー失敗のインスタンスを含み、
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む請求項４０のコンピュータ・プログラム製品。
【請求項５９】
前記通信イベントは、セル再選択失敗のインスタンスを含み、
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶することを更に含む請求項４０のコンピュータ・プログラム製品。
【請求項６０】
前記通信イベントは、セル・リダイレクション失敗のインスタンスを含み、
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む請求項４０のコンピュータ・プログラム製品。
【請求項６１】
前記通信イベントは、圏外エクスペリエンスのインスタンスを含み、
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む請求項４０のコンピュータ・プログラム製品。
【請求項６２】
前記通信モードは、アイドル・モード又は接続モードのうちの少なくとも一つを更に含む請求項５８のコンピュータ・プログラム製品。
【請求項６３】
無線通信のための装置において、
少なくとも一つのプロセッサと、
前記少なくとも一つのプロセッサに接続されたメモリとを含み、
前記少なくとも一つのプロセッサは、
通信イベントを検出し、
前記検出された通信イベントの１又は複数のアスペクトを解析し、
前記検出された通信イベントの前記１又は複数のアスペクトのうちの少なくとも一つを、ユーザ装置上でログに記憶するように構成される装置。
【請求項６４】
前記少なくとも一つのプロセッサは、前記ログの少なくとも一部をレポートするように更に構成される請求項６３の装置。
【請求項６５】
前記通信イベントは、ページ・レスポンスを含み、
前記少なくとも一つのプロセッサは、前記ページ・レスポンスをタイムスタンプとともに前記ログに記憶するように更に構成される請求項６３の装置。
【請求項６６】
前記少なくとも一つのプロセッサは、周期的に前記ログをレポートするように更に構成される請求項６４の装置。
【請求項６７】
前記少なくとも一つのプロセッサは、ＳＯＮサーバからのリクエストに応答して、前記ログの前記少なくとも一部をレポートするように更に構成される請求項６４の装置。
【請求項６８】
前記通信イベントは、リンク・アンバランスを含み、
前記少なくとも一つのプロセッサは、前記リンク・アンバランスの時刻、前記リンク・アンバランスに関連するセルＩＤ、受信電力レベル及び前記リンク・アンバランスの継続期間のうちの少なくとも一つを記憶するように更に構成される請求項６３の装置。
【請求項６９】
前記少なくとも一つのプロセッサは、
タイムピリオドの間、増加を示す電力制御ビットを有する第１のリンクを識別し、
前記タイムピリオドの間、前記第１のリンクの前記電力制御ビットと同一の又は類似するインジケーションを一貫して与えないチャネル品質インジケータ・ビットを有する第２のリンクを識別するように更に構成される請求項６８の装置。
【請求項７０】
前記少なくとも一つのプロセッサは、
タイムピリオドの間、減少を示す電力制御ビットを有する第１のリンクを識別し、
前記タイムピリオドの間、前記第１のリンクの前記電力制御ビットと同一の又は類似するインジケーションを一貫して与えないチャネル品質インジケータ・ビットを有する第２のリンクを識別するように更に構成される請求項６５の装置。
【請求項７１】
前記通信イベントは、数ｄＢ内の相対的な信号強度をもつ２つのパイロットにより定義される、パイロット及びデータ・ポリューションのインスタンスを含み、
前記少なくとも一つのプロセッサは、前記パイロット及びデータ・ポリューションのインスタンスの時刻、セルＩＤ、パイロットＩＤ及び少なくとも２つのパイロットの強度のうちの少なくとも一つを記憶するように更に構成される請求項６３の装置。
【請求項７２】
前記少なくとも一つのプロセッサは、
検出されたパイロットの数を閾値パイロット数と比較し、
前記検出されたパイロットの数が閾値数を超える場合にパイロット及びデータ・ポリューションのインスタンスを示すように更に構成される請求項７１の装置。
【請求項７３】
前記少なくとも一つのプロセッサは、前記パイロット及びデータ・ポリューションに関連する２つ以上のパイロットを識別するように更に構成される請求項７２の装置。
【請求項７４】
前記少なくとも一つのプロセッサは、パイロット及びデータ・ポリューションに関連する２つ以上のパイロットの前記強度の測定を実行するように更に構成される請求項７３の装置。
【請求項７５】
前記通信イベントは、セルエッジ・エクスペリエンスのインスタンスを含み、
前記少なくとも一つのプロセッサは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶するように更に構成される請求項６３の装置。
【請求項７６】
前記少なくとも一つのプロセッサは、
ユーザ装置の受信信号を閾値受信信号と比較し、
時間ｔの間又はより長い間、前記ユーザ装置の受信信号が、前記閾値受信信号より低い場合に、セルエッジ・エクスペリエンスのインスタンスを示すように更に構成される請求項７５の装置。
【請求項７７】
前記少なくとも一つのプロセッサは、
ユーザ装置の受信信号を閾値受信信号と比較し、
サポートされるデータレートにおいて、非常に低いデータレートへの低下が存在する場合に、セルエッジ・エクスペリエンスのインスタンスを示すように更に構成される請求項７５の装置。
【請求項７８】
前記少なくとも一つのプロセッサは、
ユーザ装置の受信信号を閾値受信信号と比較し、
多数のＣＲＣ失敗が存在する場合に、セルエッジ・エクスペリエンスのインスタンスを示すように更に構成される請求項７５の装置。
【請求項７９】
前記通信イベントは、ハンドオーバー失敗のインスタンスを含み、
前記少なくとも一つのプロセッサは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶するように更に構成される請求項６３。
【請求項８０】
前記通信イベントは、セル再選択失敗のインスタンスを含み、
前記少なくとも一つのプロセッサは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶するように更に構成される請求項６３の装置。
【請求項８１】
前記通信イベントは、セル・リダイレクション失敗のインスタンスを含み、
前記少なくとも一つのプロセッサは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶するように更に構成される請求項６３の装置。
【請求項８２】
前記通信イベントは、圏外エクスペリエンスのインスタンスを含み、
前記少なくとも一つのプロセッサは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶するように更に構成される請求項６３の装置。
【請求項８３】
前記通信モードは、アイドル・モード又は接続モードのうちの少なくとも一つを更に含む請求項７８の装置。
【請求項８４】
ネットワークにおける無線通信のための方法において、
ユーザ装置からユーザ装置ログの少なくとも一部を受信することと、ここで、該ユーザ装置ログは、該ユーザ装置上に記憶された検出された通信イベントの１又は複数のアスペクトを含む、
ｅＮＢからｅＮＢログの少なくとも一部を受信することと、ここで、ｅＮＢログは、ｅＮＢ上に記憶された第２の検出された通信イベントの１又は複数のを含む、
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較することと、
前記ネットワークを最適化するために最適化基準を使用することを含む方法。
【請求項８５】
前記検出された通信イベントは、ページ・レスポンスを含み、
前記第２の検出された通信イベントは、失われたページを含む請求項１０４の方法。
【請求項８６】
前記受信することは、周期的にユーザ装置ログの少なくとも一部及びｅＮＢログの少なくとも一部を受信することを更に含む請求項１０４の方法。
【請求項８７】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む請求項１０４の方法。
【請求項８８】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項１０４の方法。
【請求項８９】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項８８の方法
【請求項９０】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項８８の方法
【請求項９１】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項１０４方法。
【請求項９２】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、検出される請求項９１の方法。
【請求項９３】
前記検出された通信イベント及び前記第２の検出された通信イベントのうちの前記少なくとも一つは、前記パイロット及びデータ・ポリューションに関連する２つ以上のパイロットを識別することを介して、検出される請求項９２の方法。
【請求項９４】
前記アスペクトは、前記パイロット及びデータ・ポリューションに関連する２つ以上のパイロットの前記信号強度のメジャーメントを含む請求項９３の方法。
【請求項９５】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項１０４の方法。
【請求項９６】
前記検出することは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを含む請求項９５の方法。
【請求項９７】
前記検出することは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを更に含む請求項９５の方法。
【請求項９８】
前記検出することは、
ユーザ装置の受信信号を閾値受信信号と比較することと、
多数のＣＲＣ失敗が存在する場合に、セルエッジ・エクスペリエンスのインスタンスを示すことを更に含む請求項９５の方法。
【請求項９９】
前記通信イベントは、ハンドオーバー失敗のインスタンスを含み、
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む請求項１０４の方法。
【請求項１００】
前記通信イベントは、セル再選択失敗のインスタンスを含み、
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶することを更に含む請求項１０４の方法。
【請求項１０１】
前記通信イベントは、セル・リダイレクション失敗のインスタンスを含み、
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む請求項１０４。
【請求項１０２】
前記通信イベントは、圏外エクスペリエンスのインスタンスを含み、
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む請求項１０４。
【請求項１０３】
前記通信モードは、アイドル・モード又は接続モードのうちの少なくとも一つを更に含む請求項９９の方法。
【請求項１０４】
無線通信のための装置において、
ユーザ装置からユーザ装置ログの少なくとも一部を受信するための手段と、ここで、該ユーザ装置ログは、該ユーザ装置上に記憶された検出された通信イベントの１又は複数のアスペクトを含む、
ｅＮＢからｅＮＢログの少なくとも一部を受信するための手段と、ここで、ｅＮＢログは、ｅＮＢ上に記憶された第２の検出された通信イベントの１又は複数のアスペクトを含む、
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較するための手段と、
ネットワークを最適化するために最適化基準を使用するための手段とを含む装置。
【請求項１０５】
前記検出された通信イベントは、ページ・レスポンスを含み、
前記第２の検出された通信イベントは、失われたページを含む請求項１０４の装置。
【請求項１０６】
前記受信するための手段は、周期的にユーザ装置ログの少なくとも一部及びｅＮＢログの少なくとも一部を受信するための手段を更に含む請求項１０４の装置。
【請求項１０７】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するための手段を更に含む請求項１０４の装置。
【請求項１０８】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項１０４の装置。
【請求項１０９】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１０８の装置。
【請求項１１０】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１０８の装置。
【請求項１１１】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項１０４の装置。
【請求項１１２】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、検出される請求項１１１の装置。
【請求項１１３】
前記検出された通信イベント及び前記第２の検出された通信イベントのうちの前記少なくとも一つは、前記パイロット及びデータ・ポリューションに関連する２つ以上のパイロットを識別することを介して、検出される請求項１１２の装置。
【請求項１１４】
前記アスペクトは、パイロット及びデータ・ポリューションに関連する２つ以上のパイロットの前記強度のメジャーメントを含む請求項１１３の装置。
【請求項１１５】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項１０４の装置。
【請求項１１６】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、検出される請求項１１５の装置。
【請求項１１７】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、検出される請求項１１５の装置。
【請求項１１８】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、検出される請求項１１５の装置。
【請求項１１９】
前記通信イベントは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項１０４。
【請求項１２０】
前記通信イベントは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項１０４の装置。
【請求項１２１】
前記通信イベントは、セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む請求項１０４の装置。
【請求項１２２】
前記通信イベントは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項１０４の装置。
【請求項１２３】
前記通信モードは、アイドル・モード又は接続モードのうちの少なくとも一つを更に含む請求項１１９の装置。
【請求項１２４】
コンピュータ・プログラム製品において、
ユーザ装置からユーザ装置ログの少なくとも一部を受信し、ここで、該ユーザ装置ログは、該ユーザ装置上に記憶された検出された通信イベントの１又は複数のアスペクトを含む、
ｅＮＢからｅＮＢログの少なくとも一部を受信し、ここで、ｅＮＢログは、ｅＮＢ上に記憶された第２の検出された通信イベントの１又は複数のアスペクトを含む、
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較し、
ネットワークを最適化するために最適化基準を使用するためのコードを含むコンピュータ読み取り可能な媒体を含むコンピュータ・プログラム製品。
【請求項１２５】
前記検出された通信イベントは、ページ・レスポンスを含み、
前記第２の検出された通信イベントは、失われたページを含む請求項１２４のコンピュータ・プログラム製品。
【請求項１２６】
前記受信することは、周期的にユーザ装置ログの少なくとも一部及びｅＮＢログの少なくとも一部を受信することを更に含む請求項１２４のコンピュータ・プログラム製品。
【請求項１２７】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む請求項１２４のコンピュータ・プログラム製品。
【請求項１２８】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項１２４のコンピュータ・プログラム製品。
【請求項１２９】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１２８のコンピュータ・プログラム製品。
【請求項１３０】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１２８のコンピュータ・プログラム製品。
【請求項１３１】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項１２４のコンピュータ・プログラム製品。
【請求項１３２】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すを介して、検出される請求項１３１のコンピュータ・プログラム製品。
【請求項１３３】
前記検出された通信イベント及び前記第２の検出された通信イベントのうちの前記少なくとも一つは、前記パイロット及びデータ・ポリューションに関連する２つ以上のパイロットを識別することを介して、検出される請求項１３２のコンピュータ・プログラム製品。
【請求項１３４】
前記アスペクトは、パイロット及びデータ・ポリューションに関連する２つ以上のパイロットの前記強度のメジャーメントを含む請求項１３３のコンピュータ・プログラム製品。
【請求項１３５】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項１２４のコンピュータ・プログラム製品。
【請求項１３６】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、検出される請求項１３５のコンピュータ・プログラム製品。
【請求項１３７】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、検出される請求項１３５のコンピュータ・プログラム製品。
【請求項１３８】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、検出される請求項１３５のコンピュータ・プログラム製品。
【請求項１３９】
前記検出された通信イベント及び前記第２の検出された通信イベントのうちの少なくとも一つは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項１２４のコンピュータ・プログラム製品。
【請求項１４０】
前記検出された通信イベント及び前記第２の検出された通信イベントのうちの少なくとも一つは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項１２４のコンピュータ・プログラム製品。
【請求項１４１】
前記検出された通信イベント及び前記第２の検出された通信イベントのうちの少なくとも一つは、前記セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む請求項１２４のコンピュータ・プログラム製品。
【請求項１４２】
前記検出された通信イベント及び前記第２の検出された通信イベントのうちの少なくとも一つは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項１２４のコンピュータ・プログラム製品。
【請求項１４３】
前記通信モードは、アイドル・モード又は接続モードのうちの少なくとも一つを更に含む請求項１３９のコンピュータ・プログラム製品。
【請求項１４４】
無線通信のための装置において、
少なくとも一つのプロセッサと、
前記少なくとも一つのプロセッサに接続されたメモリとを含み、
前記少なくとも一つのプロセッサは、
ユーザ装置からユーザ装置ログの少なくとも一部を受信することと、ここで、前記少なくとも一つのプロセッサは、ユーザ装置ログが、該ユーザ装置上に記憶された検出された通信イベントの１又は複数のアスペクトを含むように構成される、
ｅＮＢからｅＮＢログの少なくとも一部を受信することと、ここで、ｅＮＢログは、ｅＮＢ上に記憶された第２の検出された通信イベントの１又は複数のアスペクトを含む、
最適化基準を判定するために、前記検出された通信イベントの前記１又は複数のアスペクトを、前記第２の検出された通信イベントの前記１又は複数のアスペクトと比較することと、
最適化基準を使用して、無線通信のためのネットワークを最適化するように構成される装置。
【請求項１４５】
前記少なくとも一つのプロセッサは、前記検出された通信イベントが、ページ・レスポンスを含み、前記第２の検出された通信イベントが、失われたページを含むように構成される請求項１４４の装置。
【請求項１４６】
前記少なくとも一つのプロセッサは、周期的にユーザ装置ログの少なくとも一部及びｅＮＢログの少なくとも一部を受信するように更に構成される請求項１４４の装置。
【請求項１４７】
前記少なくとも一つのプロセッサは、ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するように更に構成される請求項１４４の装置。
【請求項１４８】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項１４４の装置。
【請求項１４９】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１４８の装置。
【請求項１５０】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項１４８の装置。
【請求項１５１】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項１４４の装置。
【請求項１５２】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、検出される請求項１５１の装置。
【請求項１５３】
前記検出された通信イベント及び前記第２の検出された通信イベントのうちの前記少なくとも一つは、前記パイロット及びデータ・ポリューションに関連する２つ以上のパイロットを識別することを介して、検出される請求項１５２の装置。
【請求項１５４】
前記アスペクトは、パイロット及びデータ・ポリューションに関連する２つ以上のパイロットの前記強度のメジャーメントを含む請求項１５３の装置。
【請求項１５５】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項１４４の装置。
【請求項１５６】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、検出される請求項１５５の装置。
【請求項１５７】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、検出される請求項１５５の装置。
【請求項１５８】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、検出される請求項１５５の装置。
【請求項１５９】
前記検出された通信イベント及び前記第２の検出された通信イベントのうちの少なくとも一つは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項１４４の装置。
【請求項１６０】
前記検出された通信イベント及び前記第２の検出された通信イベントのうちの少なくとも一つは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項１４４の装置。
【請求項１６１】
前記検出された通信イベント及び前記第２の検出された通信イベントのうちの少なくとも一つは、セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期のうちの少なくとも一つを含む請求項１４４の装置。
【請求項１６２】
前記検出された通信イベント及び前記第２の検出された通信イベントのうちの少なくとも一つは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項１４４の装置。
【請求項１６３】
前記少なくとも一つのプロセッサは、前記通信モードが、アイドル・モード又は接続モードのうちの少なくとも一つを更に含むように更に構成される請求項１５９の装置。
【発明の詳細な説明】
【技術分野】
【０００１】
（関連出願の相互参照）
この出願は、２００９年６月２２日付け提出された「Drive Test Optimization for SON Solution」と題された米国仮出願第６１／２１９，２２４号の優先権を主張する。この出願は、参照によってその全体が本明細書に明確に組み込まれる。
【０００２】
（技術分野）
本開示は、一般に通信システムに関し、より詳しくはネットワーク管理及び最適化のための技術に関する。
【背景技術】
【０００３】
無線通信システムは、例えば電話通信（telephony）、ビデオ、データ、メッセージング及びブロードキャストなどのような、様々な電気通信サービス（telecommunication services）を提供するために、広く配備される。典型的な無線通信システムは、利用可能なシステム資源（例えば、バンド幅、送信電力）を共有することによって、複数のユーザとの通信をサポートすることができる多元接続技術を使用し得る。そのようなマルチアクセス技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム及び時分割同期符号分割多元接続（time division synchronous code division multiple access）（ＴＤ−ＳＣＤＭＡ）システムを含む。
【０００４】
異なる無線デバイスが、市町村的規模で（municipal）、国家的規模で（national）、地域的規模で（regional）及び地球規模（global level）でさえ通信するのを可能にする共通のプロトコルを提供するために、様々な電気通信標準（telecommunication standards）においてこれらの多元接続技術が採用された。新進の（emerging）電気通信標準の例は、ロングタームエボリューション（ＬＴＥ）である。ＬＴＥは、第３世代パートナーシッププロジェクト（Third Generation Partnership Project）(3GPP)により公表（promulgated）されたユニバーサル移動通信システム（Universal Mobile Telecommunications System）（ＵＭＴＳ）モバイル標準への機能強化のセットである。それは、スペクトル効率を改善することによってモバイル・ブロードバンド・インターネット・アクセスをより良くサポートし、コストを減らし、サービスを向上し、新しいスペクトルを利用し、また、ダウンリンク（ＤＬ）上でＯＦＤＭＡを使用し、アップリンク（ＵＬ）上でＳＣ−ＦＤＭＡを使用し及び多重入力多重出力（ＭＩＭＯ）アンテナ技術を使用する他のオープンスタンダードとより良く融和するように、デザインされている。しかし、モバイル・ブロードバンド・アクセスに対する需要が増加し続けており、ＬＴＥ技術における更なる改善の必要が存在する。好ましくは、これらの改善は、これらの技術を使用する他の多重アクセス技術及び電気通信標準に適用できるべきである。
【発明の概要】
【０００５】
以下は、クレームされた主題の様々な態様の簡略化された概要を、そのような態様の基本的な理解を提供するために示す。この概要は、すべての予期される態様の外延的な概要であるというわけではなく、また、鍵となる又は重要な要素を識別することも、そのような態様の範囲を線引きすることも、いずれも意図されていない。その唯一の目的は、後で示されるより詳しい説明への前置きとして開示された態様の幾つかの概念を簡略化された形で提示することである。
【０００６】
一つの態様によると、無線通信のための方法は、通信イベントを検出することと、上記検出された通信イベントの１又は複数のアスペクトを解析することと、上記検出された通信イベントの上記１又は複数のアスペクトのうちの少なくとも一つを、ユーザ装置（ＵＥ）上でログに記憶することを含む。
【０００７】
他の態様によると、無線通信のための装置は、通信イベントを検出するための手段と、上記検出された通信イベントの１又は複数のアスペクトを解析するための手段と、上記検出された通信イベントの上記１又は複数のアスペクトのうちの少なくとも一つを、ＵＥ上でログに記憶するための手段とを含む。
【０００８】
他の態様によると、コンピュータ・プログラム製品は、通信イベントを検出し、上記検出された通信イベントの１又は複数のアスペクトを解析し、上記検出された通信イベントの上記１又は複数のアスペクトのうちの少なくとも一つを、ＵＥ上でログに記憶するためのコードを含むコンピュータ読み取り可能な媒体を含む
他の態様によると、無線通信のための装置は、少なくとも一つのプロセッサと、上記少なくとも一つのプロセッサに接続されたメモリとを含み、上記少なくとも一つのプロセッサは、通信イベントを検出し、上記検出された通信イベントの１又は複数のアスペクトを解析し、上記検出された通信イベントの上記１又は複数のアスペクトのうちの少なくとも一つを、ＵＥ上でログに記憶するように構成される。
【０００９】
他の態様によると、ネットワークにおける無線通信のための方法は、ユーザ装置からＵＥログの少なくとも一部を受信することと、ここで、該ユーザ装置ログは、該ユーザ装置上に記憶された検出された通信イベントの１又は複数のアスペクトを含む、ｅＮＢからｅＮＢログの少なくとも一部を受信することと、ここで、ｅＮＢログは、ｅＮＢ上に記憶された第２の検出された通信イベントの１又は複数のアスペクトを含む、最適化基準を判定するために、上記ユーザ装置上に記憶された上記１又は複数の検出された通信イベントのうちの少なくとも一つを、ｅＮＢ上に記憶された第２の検出された通信イベントの上記１又は複数のアスペクトのうちの少なくとも一つと比較することと、ネットワークを最適化するために最適化基準を使用することを含む。
【００１０】
他の態様によると、無線通信のための装置は、ＵＥからＵＥログの少なくとも一部を受信するための手段と、ここで、該ＵＥログは、該ＵＥ上に記憶された検出された通信イベントの１又は複数のアスペクトを含む、ｅＮＢからｅＮＢログの少なくとも一部を受信するための手段と、ここで、ｅＮＢログは、ｅＮＢ上に記憶された第２の検出された通信イベントの１又は複数のアスペクトを含む、最適化基準を判定するために、上記ＵＥ上に記憶された上記１又は複数の検出された通信イベントのうちの少なくとも一つを、ｅＮＢ上に記憶された第２の検出された通信イベントの上記１又は複数のアスペクトのうちの少なくとも一つと比較するための手段と、ネットワークを最適化するために最適化基準を使用するための手段とを含む。
【００１１】
他の態様によると、コンピュータ・プログラム製品は、からＵＥログの少なくとも一部を受信するためのコードを含むコンピュータ読み取り可能な媒体を含む。一つの態様によると、無線通信のための方法は、通信イベントを検出することと、上記検出された通信イベントの１又は複数のアスペクトを解析することと、上記検出された通信イベントの上記１又は複数のアスペクトのうちの少なくとも一つを、ＵＥ上でログに記憶することを含む。
【００１２】
他の態様によると、無線通信のための装置は、通信イベントを検出するための手段と、上記検出された通信イベントの１又は複数のアスペクトを解析するための手段と、上記検出された通信イベントの上記１又は複数のアスペクトのうちの少なくとも一つを、ＵＥ上でログに記憶するための手段とを含む。
【００１３】
他の態様によると、コンピュータ・プログラム製品は、通信イベントを検出し、上記検出された通信イベントの１又は複数のアスペクトを解析し、上記検出された通信イベントの上記１又は複数のアスペクトのうちの少なくとも一つを、ＵＥ上でログに記憶するためのコードを含むコンピュータ読み取り可能な媒体を含む。
【００１４】
ユーザ装置からユーザ装置ログの少なくとも一部を受信し、ここで、該ＵＥログは、該ＵＥ上に記憶された検出された通信イベントの１又は複数のアスペクトを含む、ｅＮＢからｅＮＢログの少なくとも一部を受信し、ここで、ｅＮＢログは、ｅＮＢ上に記憶された第２の検出された通信イベントの１又は複数のアスペクトを含む、最適化基準を判定するために、上記ＵＥ上に記憶された上記１又は複数の検出された通信イベントのうちの少なくとも一つを、ｅＮＢ上に記憶された第２の検出された通信イベントの上記１又は複数のアスペクトのうちの少なくとも一つと比較し、ネットワークを最適化するために最適化基準を使用するためのコードを含む。
【図面の簡単な説明】
【００１５】
【図１】図１は、処理システムを用いる装置のためのハードウェア実装の一例を示す図である。
【図２】図２は、ネットワーク・アーキテクチャーの一例を示す図である。
【図３】図３は、アクセス・ネットワークの一例を示す図である。
【図４】図４は、アクセス・ネットワークにおいて使用するためのフレーム構造の一例を示す図である。
【図５】図５は、ＬＴＥにおけるＵＬのための例示的なフォーマットを示す。
【図６】図６は、ユーザ及び制御プレーンのための無線プロトコル・アーキテクチャーの一例を示す図である。
【図７】図７は、アクセス・ネットワークにおけるｅＮＢ及びＵＥの一例を示す図である。
【図８】図８は、一つの態様に従った例示的な多元接続無線通信システムを示す。
【図９】図９は、無線通信デバイスのブロック図の例示的なアーキテクチャーを示す。
【図１０】図１０は、一つの態様に従った干渉低減システム（interference reduction system）の例示的なブロック図を示す。
【図１１】図１１は、様々な態様に従った通信システムの管理及び最適化のためのシステムのブロック図を示す。
【図１２】図１２は、様々な態様に従った自己最適化ネットワークの例示的な実装を示す。
【図１３】図１３は、様々な態様に従った自己最適化ネットワークの例示的な実装を示す。
【図１４】図１４は、本明細書で説明される様々な態様を実装するために利用されることができる例示的な通信プロトコル・アーキテクチャーを示す。
【図１５】図１５は、無線通信の方法のフローチャートである。
【図１６】図１６は、例示的な装置の機能性を示す概念ブロック図である。
【図１７】図１７は、無線通信の方法のフローチャートである。
【図１８】図１８は、例示的な装置の機能性を示す概念ブロック図である。
【詳細な説明】
【００１６】
添付の図面に関連して以下で説明される詳細な説明は、様々な構成の説明として意図されており、本明細書で説明される概念が実施され得る唯一の構成を示すことは意図されていない。詳細な説明は、様々な概念の深い理解を与えることを目的として、特定の詳細を含んでいる。しかし、これら特定の詳細なしにこれらの概念が実施され得ることは、当業者には明らかであろう。幾つかのインスタンスにおいて、そのような概念を不明りょうにすることを回避するために、周知の構造及びデバイスがブロック図で示される。
【００１７】
さて、電気通信システム（telecommunication systems）の幾つかの態様に関して様々な装置及び方法が示される。これらの装置及び方法は、以下の詳細な説明において説明され、また、（まとめて「要素（elements）」と呼ばれる）様々なブロック、モジュール、コンポーネント、回路、ステップ、プロセス、アルゴリズムなどにより添付の図面に示される。これらの要素は、電子ハードウェア、コンピュータ・ソフトウェア又はそれらの任意の組み合わせを使用して実装されても良い。そのような要素が、ハードウェアとして実装されるか又はソフトウェアとして実装されるかは、特定のアプリケーション及び全体的なシステムに課されるデザイン制約に依存する。
【００１８】
例として、要素、又は要素の任意の部分、又は複数の要素の任意の組み合わせは、１又は複数のプロセッサを含む「処理システム（processing system）」により実装されても良い。プロセッサの例は、マイクロプロセッサ、マイクロコントローラ、デジタルシグナルプロセッサ（ＤＳＰ）、フィールド・プログラマブル・ゲート・アレイ（ＦＰＧＡ）、プログラマブル・ロジック・デバイス（ＰＬＤ）、ステート・マシン、ゲート・ロジック、ディスクリート・ハードウェア回路、及びこの開示を通して説明される様々な機能性を実行するように構成される他の適したハードウェアを含む。処理システムにおける１又は複数のプロセッサは、ソフトウェアを実行し得る。ソフトウェアは、ソフトウェア、ファームウェア、ミドルウェア、マイクロコード若しくはハードウェア・ディスクプリプションと呼ばれるか、又は他の方法で呼ばれるかにかかわらず、インストラクション、インストラクション・セット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行ファイル、実行スレッド、プロシージャー、関数などを意味するために、広く解釈される。ソフトウェアは、コンピュータ読み取り可能な媒体上に存在しても良い。コンピュータ読み取り可能な媒体は、例として、磁気記憶デバイス（例えば、ハードディスク、フロッピー（登録商標）ディスク、磁気ストリップ）、光ディスク（例えば、コンパクトディスク（ＣＤ）、デジタル・バーサタイル・ディスク（ＤＶＤ））、スマートカード、フラッシュメモリデバイス（例えば、カード、スティック、キー・ドライブ）、ランダムアクセスメモリ（ＲＡＭ）、リードオンリーメモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、キャリア・ウェイブ、伝送回線、及び、ソフトウェアを記憶又は送信するための任意の他の適した媒体を含んでも良い。コンピュータ読み取り可能な媒体は、処理システムの中に存在しても良いし、処理システムの外部に存在しても良いし、又は、処理システムを含む複数のエンティティーにわたって分散されても良い。コンピュータ読み取り可能な媒体は、コンピュータ・プログラム製品に具現化されても良い。例として、コンピュータ・プログラム製品は、パッケージ材料に入ったコンピュータ読み取り可能な媒体を含んでも良い。当業者は、この開示を通して提示される説明された機能性を実装すべき最良の方法を、特定のアプリケーション及び全体的なシステムに課されるデザイン制約に依存して認識するであろう。
【００１９】
図１は、処理システム１１４を用いる装置１００のためのハードウェア実装の一例を示す概念図である。この例において、処理システム１１４は、バス・アーキテクチャー（バス１０２により一般に表される）を用いて実装されても良い。バス１０２は、処理システム１１４の特定のアプリケーション及び全体的なデザイン制約に応じて、任意の数の相互接続するバス及びブリッジを含んでも良い。バス１０２は、１又は複数のプロセッサ（プロセッサ１０４により一般に表される）及びコンピュータ読み取り可能な媒体（コンピュータ読み取り可能な媒体１０６により一般に表される）を含む様々な回路をリンクする。バス１０２はまた、例えばタイミング・ソース、周辺機器、電圧調整器及びパワーマネジメント回路などのような、様々な他の回路をリンクしても良い。それらは当該分野で周知であり、したがって、それ以上説明されない。バス・インタフェース１０８は、バス１０２と送受信機１１０との間のインタフェースを提供する。送受信機１１０は、伝送媒体を介して様々な他の装置と通信するための手段を提供する。また、装置の性質（nature）に応じて、ユーザ・インタフェース１１２（例えば、キーパッド、ディスプレイ、スピーカ、マイク、ジョイスティック）が提供されても良い。
【００２０】
プロセッサ１０４は、バス１０２及び一般的な処理（コンピュータ読み取り可能な媒体１０６に記憶されるソフトウェアの実行を含む）を管理する役割を果たす（responsible）。ソフトウェアは、プロセッサ１０４により実行されるとき、処理システム１１４に、任意の特定の装置のための下で説明される様々な機能を実行させる。コンピュータ読み取り可能な媒体１０６はまた、ソフトウェアを実行するときにプロセッサ１０４により処理（manipulated）されるデータを記憶するために使用されても良い。
【００２１】
さて、図２に示されるようなＬＴＥネットワーク・アーキテクチャーに関して、様々な装置を用いる電気通信システム（telecommunications system）の例が示される。ＬＴＥネットワーク・アーキテクチャー２００が、コアネットワーク２０２及びアクセス・ネットワーク２０４により示されている。この例において、コアネットワーク２０２は、パケット交換サービスをアクセス・ネットワーク２０４へ提供する。しかし、当業者が容易に認識するように、この開示の全体を通じて提示される様々な概念は、回線交換サービスを提供するコアネットワークに拡張され得る。
【００２２】
アクセス・ネットワーク２０４が、単一の装置２１２により示されている。それは、ＬＴＥアプリケーションにおいて発展型ＮｏｄｅＢ（evolved NodeB）と一般に呼ばれるが、それはまた、当業者により、基地局、無線基地局（base transceiver station）、無線基地局（radio base station）、無線送受信機（radio transceiver）、送受信機機能、基本サービス・セット（ＢＳＳ）、拡張サービス・セット（ＥＳＳ）と呼ばれることがあり又は幾つかの他の適した専門用語で呼ばれることがある。ｅＮＢ ２１２は、コアネットワーク２０２に対するアクセスポイントをモバイル装置２１４へ提供する。モバイル装置の例は、セルラー電話、スマートフォン、セッション開始プロトコル（ＳＩＰ）電話、ラップトップ、携帯情報端末（ＰＤＡ）、衛星ラジオ、グローバル・ポジショニング・システム、マルチメディア・デバイス、ビデオ・デバイス、デジタル・オーディオプレーヤ（例えば、ＭＰ３プレーヤ）、カメラ、ゲーム機又は任意の他の同様の機能のデバイスを含む。モバイル装置２１４は、ＬＴＥアプリケーションにおいてＵＥと一般に呼ばれるが、それはまた、当業者により、モバイル局、加入者設備（subscriber station）、モバイル・ユニット、加入者ユニット、無線ユニット、リモート・ユニット、モバイル・デバイス、無線デバイス、無線通信デバイス、リモート・デバイス、モバイル加入者設備、アクセス端末、モバイル端末、無線端末、リモート端末、ハンドセット、ユーザ・エージェント、モバイル・クライアント、クライアントと呼ばれることがあり又は幾つかの他の適した専門用語で呼ばれることがある。
【００２３】
コアネットワーク２０２が、パケットデータノード（ＰＤＮ）ゲートウェイ２０８及びサービング・ゲートウェイ２１０を含む幾つかの装置により示されている。ＰＤＮゲートウェイ２０８は、パケットベース・ネットワーク２０６に対するコネクションを、アクセス・ネットワーク２０４へ提供する。この例において、パケットベース・ネットワーク２０６は、インターネットである。しかし、この開示の全体を通じて提示される概念は、インターネット・アプリケーションに制限されない。ＰＤＮゲートウェイ２０８の主要な機能は、ネットワーク接続性をＵＥ２１４に提供することである。データパケットは、サービング・ゲートウェイ２１０を介してＰＤＮゲートウェイ２０８とＵＥ２１４との間で転送される。そして、サービング・ゲートウェイ２１０は、ＵＥ２１４がアクセス・ネットワーク２０４の中をローミング（roams）するときに、ローカル・モビリティ・アンカーとしてサービスする。
【００２４】
さて、図３を参照すると、ＬＴＥネットワーク・アーキテクチャーのアクセス・ネットワークの例が示されている。この例において、アクセス・ネットワーク３００は、いくつかの（a number of）セルラー領域（セル）３０２に分割される。ｅＮＢ ３０４が、セル３０２に割り当てられ、また、コアネットワーク２０２（図２を参照）に対するアクセスポイントを、そのセル３０２中のすべてのＵＥ ３０６へ提供するように構成される。このアクセス・ネットワーク３００の例には集中型のコントローラは存在しない。しかし、替わりの構成において集中型のコントローラが使用されても良い。ｅＮＢ ３０４は、コアネットワーク２０２におけるサービング・ゲートウェイ２１０（図２を参照）に対する、無線ベアラ制御（radio bearer control）、アドミッション制御（admission control）、モビリティ制御（mobility control）、スケジューリング（scheduling）、セキュリティー（security）及び接続性（connectivit）を含むすべての無線関連機能（radio related functions）に対して責任がある（responsible）。
【００２５】
アクセス・ネットワーク３００により使用される変調及び多元接続スキームは、配備されている特定の電気通信標準に応じて変化し得る。ＬＴＥアプリケーションにおいて、周波数分割二重化（ＦＤＤ）及び時分割二重化（ＴＤＤ）の両方をサポートするために、ＤＬ上でＯＦＤＭが使用され、ＵＬ上でＳＣ−ＦＤＭＡが使用される。当業者は後に続く詳細な説明から容易に認識するように、本明細書で提示される様々な概念はＬＴＥアプリケーションによく適している。しかし、これらの概念は、他の変調及び多元接続技術を用いる他の電気通信標準に容易に及び得る。例として、これらの概念は、進化データ最適化（Evolution-Data Optimized）（ＥＶ−ＤＯ）又はウルトラ・モバイル・ブロードバンド（ＵＭＢ）に及び得る。ＥＶ−ＤＯ及びＵＭＢは、標準のＣＤＭＡ２０００ファミリーの一部として第３世代パートナーシッププロジェクト２（３ＧＰＰ２）により公表されたエアインタフェース標準であり、また、モバイル局へブロードバンド・インターネット接続を提供するためにＣＤＭＡを使用する。これらの概念はまた、ワイドバンドＣＤＭＡ（Ｗ−ＣＤＭＡ）及びＣＤＭＡの他の変形（例えばＴＤ−ＳＣＤＭＡ）を採用するユニバーサル地上無線アクセス（ＵＴＲＡ）；ＴＤＭＡを採用するグローバル移動体通信システム（ＧＳＭ（登録商標））；、及び、発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０及びＯＦＤＭＡを採用するＦｌａｓｈ−ＯＦＤＭ（登録商標）に及び得る。ＵＴＲＡ、Ｅ−ＵＴＲＡ、ＵＭＴＳ、ＬＴＥ及びＧＳＭ（登録商標）は、３ＧＰＰ団体からのドキュメントに記載されている。ＣＤＭＡ２０００及びＵＭＢは、３ＧＰＰ２団体からのドキュメントに記載されている。使用される実際の無線通信標準及び多元接続技術は、特定のアプリケーション及びシステムに課される全体的なデザイン制約に依存するであろう。
【００２６】
ｅＮＢ ３０４は、ＭＩＭＯ技術をサポートする複数のアンテナを有していても良い。ＭＩＭＯ技術の使用は、ｅＮＢ ３０４が、空間多重化、ビームフォーミング、及び送信ダイバーシティーをサポートするために、空間領域を活用するのを可能にする。
【００２７】
空間多重化は、同一の周波数上で同時に異なるデータ・ストリームを送信するのに使用し得る。データ・ストリームは、データレートを増加させるために単一のＵＥ３０６へ送信されても良いし又は全体的なシステム・キャパシティーを増加させるために複数のＵＥ３０６へ送信されても良い。これは、各データ・ストリームを空間的にプリコーディング（precoding）し、それから、空間的にプリコードされた各ストリームを、ダウンリンク上で異なる送信アンテナを通して送信することによって、達成される。空間的にプリコードされたデータ・ストリームは、異なる空間的な署名（spatial signatures）とともに（１又は複数の）ＵＥ３０６へ到着する。それは、（１又は複数の）ＵＥ３０６の各々が、そのＵＥ３０６に向けられた１又は複数のデータ・ストリームを回復するのを可能にする。アップリンクの上で、各々のＵＥ３０６は、空間的にプリコードされたデータ・ストリームを送信する。それは、ｅＮＢ３０４が、空間的にプリコードされた各データ・ストリームの送信元（source）を識別するのを可能にする。
【００２８】
空間多重化が、通常、チャネル状態が良好であるときに使用される。チャネル状態がより良好でないときは、１又は複数の方向に送信エネルギーを集中させるために、ビームフォーミングが使用されても良い。これは、複数のアンテナを通して送信のためのデータを空間的にプリコードすることによって、達成されても良い。セルのエッジにおける良好なカバレージを達成するために、送信ダイバーシティーと組み合わせて、単一のストリーム・ビームフォーミング送信が使用されても良い。
【００２９】
後に続く詳細な説明において、ダウンリンクの上でＯＦＤＭをサポートするＭＩＭＯシステムに関してアクセス・ネットワークの様々な態様が説明される。ＯＦＤＭは、ＯＦＤＭシンボル中のいくつかのサブキャリアの上でデータを変調させるスペクトラム拡散技術である。サブキャリアは、正確な周波数の間隔でスペーシングされる。スペーシング（spacing）は、受信機がサブキャリアからデータを回復するのを可能にする「直交性（orthogonality）」を提供する。時間領域において、ＯＦＤＭシンボル間干渉（inter-OFDM-symbol interference）を防止（combat）するために、各々のＯＦＤＭシンボルにガードインターバル（例えば、サイクリックプレフィックス）が加えられても良い。アップリンクは、高いピーク対平均電力比（peak-to-average power ratio）（ＰＡＲＲ）を補償するために、ＤＦＴ拡散ＯＦＤＭ信号（DFT-spread OFDM signal）の形で、ＳＣ−ＦＤＭＡを使用しても良い。
【００３０】
ＤＬ及びＵＬ伝送をサポートするために、様々なフレーム構造が使用され得る。さて、図４を参照すると、ＤＬフレーム構造の例が示されている。しかし、当業者が容易に認識するように、任意の特定のアプリケーションのためのフレーム構造は、任意の数の要因（factors）に応じて異なり得る。この例において、一つのフレーム（１０ｍｓ）は、１０個の同じサイズの（equally sized）サブフレームに分割される。各々のサブフレームは、２つの連続する（consecutive）タイムスロットを含む。
【００３１】
二つのタイムスロットを表すために資源グリッドが使用され得る。二つのタイムスロットの各々が一つの資源ブロックを含む。資源グリッドは、複数の資源エレメントに分割される。ＬＴＥにおいて、一つの資源ブロックは、周波数領域において１２個の連続するサブキャリアを含み、各々のＯＦＤＭシンボルにおいて通常のサイクリックプレフィックスを含み、時間領域において７個の連続するＯＦＤＭシンボルを含み、又は、８４個の資源エレメントを含む。Ｒ０及びＲ１として示されるように、資源エレメントのうちの幾つか（Some）は、ＤＬ基準信号（ＤＬ−ＲＳ）を含む。ＤＬ−ＲＳは、セル特有ＲＳ（Cell-specific RS）（ＣＲＳ）（時々、共通ＲＳとも呼ばれる）及びＵＥ特有ＲＳ（UE-specific RS）（ＵＥ−ＲＳ）を含む。ＵＥ−ＲＳは、対応する物理ダウンリンク共有チャネル（ＰＤＳＣＨ）がマッピングされる資源ブロックのみの上で送信される。各々の資源エレメントにより運ばれるビットの数は、変調スキームに依存する。それゆえ、ＵＥが受信する資源ブロックがより多く且つ変調スキームがより高いほど、ＵＥのためのデータレートはより高くなる。
【００３２】
さて、図５を参照すると、ＵＬフレーム構造の例が示されている。図５は、ＬＴＥにおけるＵＬのための例示的なフォーマットを示す。ＵＬのための利用可能な資源ブロックは、データ・セクションと制御セクションに分割され得る。制御セクションは、システム・バンド幅の二つの端部において形成され得、また、設定可能なサイズ（configurable size）を有し得る。制御セクションにおける資源ブロックは、制御情報の送信のためにＵＥに割り当てられ得る。データ・セクションは、制御セクションに含まれないすべての資源ブロックを含み得る。図５のデザインは、連続する（contiguous）サブキャリアを含むデータ・セクションをもたらす。それは、単一のＵＥが、データ・セクション中の連続するサブキャリアのすべてを割り当てられるのを可能にし得る。
【００３３】
ＵＥは、制御情報をｅＮＢへ送信するために制御セクション中の資源ブロック５１０ａ，５１０ｂを割り当てられ得る。ＵＥはまた、データをｅＮＢへ送信するためにデータ・セクション中の資源ブロック５２０ａ，５２０ｂを割り当てられても良い。ＵＥは、制御セクション中の割り当てられた資源ブロックの上で物理アップリンク制御チャネル（ＰＵＣＣＨ）に制御情報を送信し得る。ＵＥは、データ・セクション中の割り当てられた資源ブロックの上で物理アップリンク共有チャネル（ＰＵＳＣＨ）においてデータのみを又はデータと制御情報の両方を送信し得る。ＵＬ伝送は、サブフレームの両方のスロットにわたっても良く、また、図５に示されるように周波数にわたってホップしても良い。
【００３４】
図５に示されるように、資源ブロックのセットは、初期システム・アクセス（initial system access）を実行するために使用されても良く、また、物理ランダム・アクセス・チャネル（ＰＲＡＣＨ）においてＵＬ同期を達成しても良い。ＰＲＡＣＨは、ランダム・シーケンスを運ぶが、ＵＬデータ／シグナリングを運ぶことはできない。各々のランダム・アクセス・プリアンブルは、６つの連続する（consecutive）資源ブロックに対応するバンド幅を占める。開始周波数（starting frequency）は、ネットワークにより指定される。つまり、ランダム・アクセス・プリアンブルの伝送は、特定の時間及び周波数資源に制限される。ＰＲＡＣＨのための周波数ホッピングは存在しない。ＰＲＡＣＨアテンプト（PRACH attempt）は、単一のサブフレーム（１ｍｓ）において運ばれ、ＵＥは、フレーム（１０ｍｓ）につき一つのＰＲＡＣＨアテンプトだけをすることができる。
【００３５】
ＬＴＥにおけるＰＵＣＣＨ、ＰＵＳＣＨ及びＰＲＡＣＨは、３ＧＰＰ ＴＳ ３６．２１１において記載されている（“Evolved Universal Terrestrial Radio Access (E-UTRA); Physical Channels and Modulation”と題され、それは一般公開されている）。
【００３６】
無線プロトコル・アーキテクチャーは、特定のアプリケーションに応じて様々な形を採用し得る。さて、図６を参照すると、ＬＴＥシステムのための例が示されている。図６は、ユーザ及び制御プレーンに関する無線プロトコル・アーキテクチャーの一例を示す概念図である。
【００３７】
図６を参照すると、ＵＥ及びｅＮＢに関する無線プロトコル・アーキテクチャーが次の３つのレイヤで示されている：レイヤ１、レイヤ２及びレイヤ３。レイヤ１は、最も低い下位レイヤであり、様々な物理レイヤ信号処理機能を実装する。レイヤ１は、ここでは物理レイヤ６０６と呼ぶ。レイヤ２（Ｌ２レイヤ）６０８は、物理レイヤ６０６の上にあり、物理レイヤ６０６上でのＵＥとｅＮＢと間のリンクに対して責任がある（responsible）。
【００３８】
ユーザプレーンにおいて、Ｌ２レイヤ６０８は、メディア・アクセス制御（ＭＡＣ）サブレイヤ６１０、無線リンク制御（ＲＬＣ）サブレイヤ６１２、及びパケット・データ・コンバージェンス・プロトコル（ＰＤＣＰ）６１４サブレイヤを含む。それらは、ネットワーク側ではｅＮＢにおいてターミネートされる。図示されていないが、ＵＥは、ネットワーク側でＰＤＮゲートウェイ２０８（図２を参照）においてターミネートされるネットワーク・レイヤ（例えば、ＩＰレイヤ）を含むＬ２レイヤ６０８上の幾つかの上位レイヤ、及び、コネクションの反対側（other end of）（例えば、遠端（far end）ＵＥ、サーバ、その他）においてターミネートされるアプリケーション・レイヤを有し得る。
【００３９】
ＰＤＣＰサブレイヤ６１４は、異なる無線ベアラと論理チャネルとの間の多重化を提供する。ＰＤＣＰサブレイヤ６１４はまた、無線通信オーバーヘッドを低減するための上位レイヤ・データパケットのヘッダ圧縮、データパケットを暗号化することによるセキュリティー、及び、ハンドオーバー失敗（handover failure）、セル再選択失敗（cell reselection failure）、セル・リダイレクション失敗（cell redirection failure）又はｅＮＢ間でのＵＥのための圏外エクスペリエンス（out-of-service experience）のサポートを提供する。ＲＬＣサブレイヤ６１２は、ハイブリッド自動再送リクエスト（hybrid automatic repeat request）（ＨＡＲＱ）に起因する障害受信状態（out-of-order reception）を補償するために、上位レイヤ・データパケットのセグメンテーション及びリアセンブリ、失われたデータパケット（lost data packets）の再送（retransmission）、及び、データパケットのリオーダー（reordering）を提供する。ＭＡＣサブレイヤ６１０は、論理チャネルとトランスポート・チャネルとの間の多重化を提供する。ＭＡＣサブレイヤ６１０はまた、一つのセルにおける様々な無線資源（例えば、資源ブロック）をＵＥ間で割り当てる役割を果たす（responsible）。ＭＡＣサブレイヤ６１０はまた、ＨＡＲＱオペレーションに対して責任がある（responsible）。
【００４０】
制御プレーンにおいて、ＵＥ及びｅＮＢに関する無線プロトコル・アーキテクチャーは、制御プレーンのためのヘッダ圧縮機能が存在しないことを除いて、物理レイヤ６０６及びＬ２レイヤ６０８と実質的に同一であり得る。制御プレーンはまた、レイヤ３において無線資源制御（ＲＲＣ）サブレイヤ６１６を含む。ＲＲＣサブレイヤ６１６は、無線資源（すなわち、無線ベアラ）を得る役割を果たし、また、ｅＮＢとＵＥとの間のＲＲＣシグナリングを使用して下位レイヤを設定（configuring）する役割を果たす（responsible）。
【００４１】
図７は、アクセス・ネットワークにおいてＵＥ７５０と通信するｅＮＢ７１０のブロック図である。ＤＬにおいて、コアネットワークからの上位レイヤ・パケットは、コントローラ／プロセッサ７７５へ提供される。コントローラ／プロセッサ７７５は、図６に関連して前に説明されたＬ２レイヤの機能性を実装する。ＤＬにおいて、コントローラ／プロセッサ７７５は、ヘッダ圧縮、暗号化、パケット・セグメンテーション及びリオーダーリング、論理チャネルとトランスポート・チャネルとの間の多重化、及び、様々なプライオリティー・メトリクス（priority metrics）に基づくＵＥ７５０への無線資源割り当てを提供する。コントローラ／プロセッサ７７５はまた、ＨＡＲＱオペレーション、失われたパケットの再送、及びＵＥ７５０へのシグナリングに対して責任がある（responsible）。
【００４２】
ＴＸプロセッサ７１６は、Ｌ１レイヤ（すなわち、物理レイヤ）のための様々な信号処理機能を実装する。信号処理機能は、ＵＥ７５０における前方誤り訂正（forward error correction）（ＦＥＣ）を容易にするために符号化及びインターリーブすることと、様々な変調スキーム（例えば、２位相偏移変調（binary phase-shift keying）（ＢＰＳＫ）、４位相偏移変調（quadrature phase-shift keying）（ＱＰＳＫ）、Ｍ位相シフトキーイング（M-phase-shift keying）（Ｍ−ＰＳＫ）、Ｍ直交振幅変調（M-quadrature amplitude modulation）（Ｍ−ＱＡＭ））に基づいて信号コンステレーション（signal constellations）へマッピングすることを含む。符号化された変調シンボルは、それから、パラレル・ストリームに分割される。各々のストリームは、それから、ＯＦＤＭサブキャリアにマッピングされ、時間及び／又は周波数領域において基準信号（例えば、パイロット）とともに多重化され、そして、時間領域ＯＦＤＭシンボル・ストリームを運ぶ物理チャネルを生成するために、逆高速フーリエ変換（ＩＦＦＴ）を使用して一緒に結合される。ＯＦＤＭストリームは、複数の空間ストリームを生成するために、空間的にプリコードされる。チャネル推定器７７４からのチャネル推定は、符号化及び変調スキームを判定するために、また、空間処理のために、使用され得る。チャネル推定は、ＵＥ７５０により送信される基準信号及び／又はチャネル状態フィードバック（channel condition feedback）から導かれても良い。各々の空間ストリームは、それから、別々の送信機７１８ＴＸを介して異なるアンテナ７２０へ提供される。各々の送信機７１８ＴＸは、それぞれの送信のための空間ストリームでＲＦキャリアを変調する。
【００４３】
ＵＥ７５０において、各々の受信機７５４ＲＸは、そのそれぞれのアンテナ７５２を通して信号を受信する。各々の受信機７５４ＲＸは、ＲＦキャリアの上へ変調された情報を回復し、そして、該情報を受信機（ＲＸ）プロセッサ７５６へ提供する。
【００４４】
ＲＸプロセッサ７５６は、Ｌ１レイヤの様々な信号処理機能を実装する。ＲＸプロセッサ７５６は、ＵＥ７５０に向けられた任意の空間ストリームを回復するために、該情報に関して空間処理を実行する。複数の空間ストリームがＵＥ７５０に向けられているならば、それらは、ＲＸプロセッサ７５６によって単一のＯＦＤＭシンボル・ストリームに結合され得る。それから、ＲＸプロセッサ７５６は、高速フーリエ変換（ＦＦＴ）を使用して、時間領域から周波数領域へＯＦＤＭシンボル・ストリームを変換する。周波数ドメイン信号は、ＯＦＤＭ信号のサブキャリアごとに、別々のＯＦＤＭシンボル・ストリームを含む。各々のサブキャリア中のシンボル、及び、基準信号は、ｅＮＢ７１０により送信される最も可能性のある信号コンステレーション・ポイントを判定することによって、回復され、復調される。これらの柔らかい決定（soft decisions）は、チャネル推定器７５８により計算されるチャネル推定に基づいても良い。それから、柔らかい決定は、物理チャネルの上でｅＮＢ７１０により最初に送信されたデータ及び制御信号を回復するために、復号化され、デインターリーブされる。それから、データ及び制御信号は、コントローラ／プロセッサ７５９へ提供される。
【００４５】
コントローラ／プロセッサ７５９は、図５に関連して前に説明されたＬ２レイヤを実装する。ＵＬにおいて、コントローラ／プロセッサ７５９は、トランスポート・チャネルと論理チャネルとの間の逆多重化（demultiplexing）、パケット・リアセンブリ、復号化（deciphering）、ヘッダ解凍（header decompression）、コアネットワークからの上位レイヤ・パケットを回復するための制御信号処理を提供する。それから、上位レイヤ・パケットは、データ・シンク７６２へ提供される。それは、Ｌ２レイヤより上のすべてのプロトコル・レイヤを表す。様々な制御信号はまた、Ｌ３処理のためにデータ・シンク７６２へ提供されても良い。コントローラ／プロセッサ７５９はまた、ＨＡＲＱオペレーションをサポートするために、肯定応答（acknowledgement）（ＡＣＫ）及び／又は否定応答（negative acknowledgement）（ＮＡＣＫ）プロトコルを使用する、誤り検出（error detection）に対して責任がある（responsible）。
【００４６】
ＵＬにおいて、データ・ソース７６７は、上位レイヤ・パケットをコントローラ／プロセッサ７５９に提供するために使用される。データ・ソース７６７は、Ｌ２レイヤ（Ｌ２）より上のすべてのプロトコル・レイヤを表す。ｅＮＢ７１０によるＤＬ伝送に関連して説明された機能性と同様に、コントローラ／プロセッサ７５９は、ヘッダ圧縮、暗号化（ciphering）、パケット・セグメンテーション（packet segmentation）及びリオーダー（reordering）、ｅＮＢ７１０による無線資源割り当てに基づく論理チャネルとトランスポート・チャネルとの間の多重化を提供することによって、ユーザプレーン及び制御プレーンに関するＬ２レイヤを実行する。コントローラ／プロセッサ７５９はまた、ＨＡＲＱオペレーション、失われたパケットの再送及びｅＮＢ７１０へのシグナリングに対して責任がある（responsible）。
【００４７】
チャネル推定器７５８により基準信号から導かれるチャネル推定又はｅＮＢ７１０により送信されるフィードバックは、適当な符号化及び変調スキームを選択するために、及び、空間処理を容易にするために、ＴＸプロセッサ７６８により使用され得る。ＴＸプロセッサ７６８により生成される空間ストリームは、別々の送信機７５４ＴＸを介して異なるアンテナ７５２へ提供される。各々の送信機７５４ＴＸは、それぞれの送信のための空間ストリームでＲＦキャリアを変調させる。
【００４８】
ＵＬ伝送は、ＵＥ７５０における受信機機能に関連して説明されたそれと同様の方法で、ｅＮＢ７１０において処理される。各々の受信機７１８ＲＸは、そのそれぞれのアンテナ７２０を通して信号を受信する。各々の受信機７１８ＲＸは、ＲＦキャリアの上へ変調された情報を回復し、該情報をＲＸプロセッサ７７０へ提供する。ＲＸプロセッサ７７０は、Ｌ１レイヤを実装する。
【００４９】
コントローラ／プロセッサ７５９は、図６に関連して前に説明されたＬ２レイヤを実装する。ＵＬにおいて、コントローラ／プロセッサ７７５は、トランスポート・チャネルと論理チャネルとの間の逆多重化（demultiplexing）、パケット・リアセンブリ、復号化、ヘッダ解凍（header decompression）、ＵＥ７５０からの上位レイヤ・パケットを回復するための制御信号処理を提供する。コントローラ／プロセッサ７７５からの上位レイヤ・パケットは、コアネットワークへ提供されても良い。コントローラ／プロセッサ７７５はまた、ＨＡＲＱオペレーションをサポートするために、ＡＣＫ及び／又はＮＡＣＫプロトコルを使用する誤り検出に対して責任がある（responsible）。
【００５０】
図１に関して説明された処理システム１００は、ｅＮＢ７１０を含む。特に、処理システム１００は、ＴＸプロセッサ７１６、ＲＸプロセッサ７７０、及び、コントローラ／プロセッサ７７５を含む。図１に関して説明された処理システム１００は、代わりに、ＵＥ７５０を含む。特に、処理システム１００は、ＴＸプロセッサ７６８、ＲＸプロセッサ７５６、及び、コントローラ／プロセッサ７５９を含む。
【００５１】
図８を参照して、一つの態様による多元接続無線通信システムが説明される。アクセスポイント８００（ＡＰ）は、複数のアンテナ・グループを含む。一つのグループは８０４と８０６を含み、もう一つのグループは８０８と８１０を含み、更なるグループは８１２と８１４を含む。図８において、各アンテナ・グループについて２つのアンテナだけが示されているが、各アンテナ・グループについて、より多くのアンテナ又はより少ないアンテナが利用されても良い。アクセス端末８１６（ＡＴ）は、アンテナ８１２及び８１４と通信する。ここで、アンテナ８１２及び８１４は、順方向リンク８２０の上でアクセス端末８１６へ情報を送信し、逆方向リンク８１８の上でアクセス端末８１６から情報を受信する。アクセス端末８２２は、アンテナ８０６及び８０８と通信する。ここで、アンテナ８０６及び８０８は、順方向リンク８２６の上でアクセス端末８２２へ情報を送信し、逆方向リンク８２４の上でアクセス端末８２２から情報を受信する。ＦＤＤシステムでは、通信リンク８１８，８２０，８２４及び８２６は、通信のために異なる周波数を使用しても良い。例えば、順方向リンク８２０は、逆方向リンク８１８により使用される周波数とは異なる周波数を使用しても良い。
【００５２】
各々のアンテナ・グループ及び／又はそれらが通信するようにデザインされているエリアは、アクセスポイントのセクターとしばしば呼ばれる。該態様において、アンテナ・グループそれぞれは、アクセスポイント８００によりカバーされるエリアのセクター中のアクセス端末に対して通信するようにデザインされている。
【００５３】
順方向リンク８２０及び８２６の上の通信において、アクセスポイント８００の送信アンテナは、異なるアクセス端末８１６及び８２２のための順方向リンクの信号対雑音比を改善するために、ビームフォーミングを利用する。また、そのカバレージ全体にわたってランダムに散在するアクセス端末へ送信するためにビームフォーミングを使用するアクセスポイントは、近隣セル中のアクセス端末に対して、単一のアンテナを通してすべてのそのアクセス端末に送信するアクセスポイントよりも少ない干渉をもたらす。
【００５４】
アクセスポイントは、端末との通信のために使用される固定局であっても良い。アクセスポイントはまた、アクセスポイント、Ｎｏｄｅ Ｂと呼ばれても良く、又は何らかの他の専門用語で呼ばれても良い。アクセス端末はまた、アクセス端末、ＵＥ、無線通信デバイス、端末、アクセス端末と呼ばれても良く、又は何らかの他の専門用語で呼ばれても良い。
【００５５】
一つの態様において、論理チャネルは、制御チャネル及びトラフィック・チャネルに分類される。論理制御チャネルは、以下を含む。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１つ又は複数のＭＴＣＨについてマルチメディア・ブロードキャスト及びマルチキャスト・サービス（Multimedia Broadcast and Multicast Service）（ＭＢＭＳ）スケジューリング及び制御情報の送信のために使用されるポイントツーポイントＤＬチャネルであるマルチキャスト制御チャネル（ＭＣＣＨ）。通常、ＲＲＣコネクションを確立した後に、このチャネルはＭＢＭＳ（注：旧ＭＣＣＨ＋ＭＳＣＨ）を受信するＵＥにより使用されるだけである。専用制御チャネル（ＤＣＣＨ）は、専用制御情報を送信するポイントツーポイント双方向チャネルであり、ＲＲＣコネクションを有するＵＥにより使用される。一つの態様において、論理トラフィック・チャネルは、ユーザ情報の転送のために一つのＵＥに専用にされるポイントツーポイント双方向チャネルである専用トラフィック・チャネル（ＤＴＣＨ）を含む。また、マルチキャスト・トラフィック・チャネル（ＭＴＣＨ）は、トラフィック・データを送信するためのポイントツーマルチポイントＤＬチャネルのためのものである。
【００５６】
一つの態様において、トランスポート・チャネルは、ＤＬとＵＬに分類される。ＤＬトランスポート・チャネルは、ブロードキャスト・チャネル（ＢＣＨ）、ダウンリンク共有データ・チャネル（ＤＬ−ＳＤＣＨ）及びページング・チャネル（ＰＣＨ）を含む。ＰＣＨは、ＵＥ省電力のサポートのためのものであり（ＤＲＸサイクルは、ネットワークによりＵＥへ示される））、セル全体にわたりブロードキャストされ、他の制御チャネル／トラフィック・チャネルのために使用され得るＰＨＹ資源にマッピングされる。ＵＬトランスポート・チャネルは、ランダム・アクセス・チャネル（ＲＡＣＨ）、リクエスト・チャネル（ＲＥＱＣＨ）、アップリンク共有データ・チャネル（ＵＬ−ＳＤＣＨ）及び複数のＰＨＹチャネルを含む。ＰＨＹチャネルは、ＤＬチャネル及びＵＬチャネルのセットを含む。  
ＤＬ  ＰＨＹチャネルは、以下を含んでも良い：  
共通パイロット・チャネル（Common Pilot Channel）（ＣＰＩＣＨ）  
同期チャネル（Synchronization Channel）（ＳＣＨ）  
共通制御チャネル（Common Control Channel）（ＣＣＣＨ）  
共有ＤＬ制御チャネル（Shared DL Control Channel）（ＳＤＣＣＨ）  
マルチキャスト制御チャネル（Multicast Control Channel）（ＭＣＣＨ）  
共有ＵＬ割り当てチャネル（Shared UL Assignment Channel）（ＳＵＡＣＨ）  
確認チャネル（Acknowledgement Channel）（ＡＣＫＣＨ）  
ＤＬ物理共有データ・チャネル（DL Physical Shared Data Channel）（ＤＬ−ＰＳＤＣＨ）  
ＵＬ電力制御チャネル（UL Power Control Channel）（ＵＰＣＣＨ）  
ページング・インジケータ・チャネル（Paging Indicator Channel）（ＰＩＣＨ）  
負荷インジケータ・チャネル（Load Indicator Channel）（ＬＩＣＨ）  
ＵＬ ＰＨＹチャネルは、以下を含む：  
物理ランダム・アクセス・チャネル（Physical Random Access Channel）（ＰＲＡＣＨ）  
チャネル品質インジケータ・チャネル（Channel Quality Indicator Channel）（ＣＱＩＣＨ）  
確認チャネル（Acknowledgement Channel）（ＡＣＫＣＨ）  
アンテナ・サブセット・インジケータ・チャネル（Antenna Subset Indicator Channel）（ＡＳＩＣＨ）  
共有リクエスト・チャネル（Shared Request Channel）（ＳＲＥＱＣＨ）  
ＵＬ物理共有データ・チャネル（UL Physical Shared Data Channel）（ＵＬ−ＰＳＤＣＨ）  
ブロードバンド・パイロット・チャネル（Broadband Pilot Channel）（ＢＰＩＣＨ）
一つの態様において、単一のキャリア波形の低いＰＡＲの（常にチャネルは連続し又は周波数において均等に間隔をあけられる）特性を維持するチャネル構造が提供される。
【００５７】
本文書のために以下の省略形が適用され得る：  
ＡＭ          確認モード（Acknowledged Mode）  
ＡＭＤ        確認モード・データ（Acknowledged Mode Data）  
ＡＲＱ        自動再送リクエスト（Automatic Repeat Request）  
ＢＣＣＨ      ブロードキャスト制御チャネル（Broadcast Control CHannel）  
ＢＣＨ        ブロードキャスト・チャネル（Broadcast CHannel）  
Ｃ−          制御−（Control-）  
ＣＣＨ        共通制御チャネル（Common Control CHannel）  
ＣＣＨ        制御チャネル（Control CHannel）  
ＣＣＴｒＣＨ  符号化複合トランスポート・チャネル（Coded Composite Transport Channel）  
ＣＰ          サイクリックプレフィックス（Cyclic Prefix）  
ＣＲＣ        巡回冗長検査（Cyclic Redundancy Check）  
ＣＴＣＨ      共通トラフィック・チャネル（Common Traffic CHannel）  
ＤＣＣＨ      専用制御チャネル（Dedicated Control CHannel）  
ＤＣＨ        専用チャネル（Dedicated CHannel）  
ＤＬ          ダウンリンク（DownLink）  
ＤＳＣＨ      ダウンリンク共有チャネル（Downlink Shared CHannel）  
ＤＴＣＨ      専用トラフィック・チャネル（Dedicated Traffic CHannel）  
ＦＡＣＨ      順方向リンク・アクセス・チャンネル（Forward link Access CHannel）  
ＦＤＤ        周波数分割双方向（Frequency Division Duplex）  
Ｌ１          レイヤ１（物理レイヤ）（Layer 1 (physical layer)）  
Ｌ２          レイヤ２（データリンク・レイヤ）（Layer 2 (data link layer)）
Ｌ３          レイヤ３（ネットワーク・レイヤ）（Layer 3 (network layer)）  
ＬＩ          長さインジケータ（Length Indicator）  
ＬＳＢ        最下位ビット（Least Significant Bit）  
ＭＡＣ        メディア・アクセス制御（Medium Access Control）  
ＭＢＭＳ      マルチメディア・ブロードキャスト・マルチキャスト・サービス（Multimedia Broadcast Multicast Service）  
ＭＣＣＨ      ＭＢＭＳポイントツーマルチポイント制御チャネル（MBMS point-to-multipoint Control CHannel）  
ＭＲＷ        ムーブ受信ウインドウ（Move Receiving Window）  
ＭＳＢ        最上位ビット（Most Significant Bit）  
ＭＳＣＨ      ＭＢＭＳポイントツーマルチポイント・スケジューリング・チャネル（MBMS point-to-multipoint Scheduling CHannel）  
ＭＴＣＨ      ＭＢＭＳポイントツーマルチポイント・トラフィック・チャネル（MBMS point-to-multipoint Traffic CHannel）  
ＰＣＣＨ      ページング制御チャネル（Paging Control CHannel）  
ＰＣＨ        ページング・チャネル（Paging CHannel）  
ＰＤＵ        プロトコル・データ・ユニット（Protocol Data Unit）  
ＰＨＹ        物理レイヤ（PHYsical layer）  
ＰｈｙＣＨ    物理チャネル（Physical CHannels）  
ＲＡＣＨ      ランダム・アクセス・チャネル（Random Access CHannel）  
ＲＬＣ        無線リンク制御（Radio Link Control）  
ＲＲＣ        無線資源制御（Radio Resource Control）  
ＳＡＰ        サービス・アクセス・ポイント（Service Access Point）  
ＳＤＵ        サービス・データユニット（Service Data Unit）  
ＳＨＣＣＨ    共有チャネル制御チャネル（SHared channel Control CHannel）  
ＳＮ          シーケンス番号（Sequence Number）  
ＳＵＦＩ      スーパーフィールド（SUper FIeld）  
ＴＣＨ        トラフィック・チャネル（Traffic CHannel）  
ＴＤＤ        時分割双方向（Time Division Duplex）  
ＴＦＩ        トランスポート・フォーマット・インジケータ（Transport Format Indicator）  
ＴＭ          トランスペアレント・モード（Transparent Mode）  
ＴＭＤ        トランスペアレント・モード・データ（Transparent Mode Data）  
ＴＴＩ        送信タイムインターバル（Transmission Time Interval）  
Ｕ−          ユーザ−（User-）  
ＵＥ          ユーザ装置（User Equipment）  
ＵＬ          アップリンク（UpLink）  
ＵＭ          非確認モード（Unacknowledged Mode）  
ＵＭＤ        非確認モード・データ（Unacknowledged Mode Data）  
ＵＭＴＳ      ユニバーサル移動通信システム  
（Universal Mobile Telecommunications System）  
ＵＴＲＡ      ＵＭＴＳ地上無線アクセス（UMTS Terrestrial Radio Access）  
ＵＴＲＡＮ    ＵＭＴＳ地上無線アクセスネットワーク（UMTS Terrestrial Radio Access Network）  
ＭＢＳＦＮ    マルチキャスト・ブロードキャスト単一周波数ネットワーク（multicast broadcast single frequency network）  
ＭＣＥ        ＭＢＭＳ調整エンティティー（MBMS coordinating entity）  
ＭＣＨ        マルチキャスト・チャネル（multicast channel）  
ＤＬ−ＳＣＨ  ダウンリンク共有チャネル（downlink shared channel）  
ＭＳＣＨ      ＭＢＭＳ制御チャネル（MBMS control channel）  
ＰＤＣＣＨ    物理ダウンリンク制御チャネル（physical downlink control channel）  
ＰＤＳＣＨ    物理ダウンリンク共有チャネル（physical downlink shared channel）
さて、図９を参照すると、ＵＥ９００の例示的なアーキテクチャーが示されている。図９に表されるように、ＵＥ９００は、例えば受信アンテナ（図示せず）から信号を受信し、該受信信号に対して典型的なアクション（例えば、フィルタリング、増幅、ダウンコンバートなど）を実行し、そして、サンプルを得るために、該調整された信号をデジタイズする受信機９０２を含む。受信機９０２は、受信されたシンボルを復調し、そして、チャネル推定のために、それらをプロセッサ９０６へ提供することができる復調器９０４を含むことができる。ロセッサ９０６は、受信機９０２により受信される情報を解析するために及び／又は送信機９２０による送信のための情報を生成するために専用にされるプロセッサであることができ、ＵＥ９００の１又は複数のコンポーネントを制御するプロセッサであることができ、及び／又は、受信機９０２により受信される情報を解析し、送信機９２０による送信のための情報を生成することと、ＵＥ９００の１又は複数のコンポーネントを制御することの両方とも行うプロセッサであることができる。
【００５８】
ＵＥ９００は、例えばＳＯＮサーバと連携して、ネットワークの最適化を容易にするための最適化モジュール９３０を更に含むことができる。一つの態様において、最適化モジュール９３０は、高い干渉状況の間、動作可能であるだけであっても良い。最適化モジュール９３０は、例えば、本明細書で説明される、受信されたページ、リンク・アンバランス（link imbalance）、パイロット・ポリューション（pilot pollution）、セルエッジ・エクスペリエンス（cell edge experience）、ハンドオーバー失敗、セル再選択失敗、セル・リダイレクション失敗又は圏外エクスペリエンスなどのような、通信イベントを検出するのを援助するイベント検出器９３２を更に含んでも良い。一つの態様において、最適化モジュール９３０は、例えば、イベント検出器９３２により検出される通信イベントに関係する測定を実行するための測定モジュール９３４を更に含んでも良い。さらに他の態様において、最適化モジュール９３０は、例えば、イベント検出器９３２により検出されるイベント及び／又は測定モジュール９３４によりなされる測定に関連するデータを記録（log）し得るロギング・モジュール９３６を更に含んでも良。下記のように、ロギング・モジュールは、とりわけネットワークの最適化で使用するためにログ又はログの部分がＳＯＮサーバ又は他のエンティティーへ送信され得るように、検出されたイベントのログを更に編集（compile）しても良い。
【００５９】
ＵＥ９００は、さらに、メモリ９０８を含むことができる。メモリ９０８は、プロセッサ９０６に有効に（operatively）接続され、そして、送信されるデータ、受信データ、例えば最適化モジュール９３０により生成又は処理されるデータ又は情報に関係する情報を記憶することができる。メモリ９０８は、さらに、データを取得又は処理するために、測定モジュール９３４を使用することに関連するプロトコル及び／又はアルゴリズムを記憶することができる。その上、メモリ９０８は、最適化モジュール９３０の様々なモジュールを使用して、データを測定し、収集し、及び、記録するために、ＳＯＮサーバからのインストラクション（例えば、ＳＯＮプロトコルの形のインストラクションなど）を記憶しても良い。
【００６０】
さらに、プロセッサ９０６は、測定モジュール９３４により取得される測定データ、ロギング・モジュール９３６により生成されるログ又はログの部分及び／又はそれら二つの組み合わせを解析及び処理するための手段を提供することができる。その上、プロセッサ９０６は、最適化モジュール９３０の様々なモジュールを使用して、データを測定し、収集し、及び、記録するために、ＳＯＮサーバからのインストラクション（例えば、ＳＯＮプロトコルの形のインストラクション）を処理しても良い。
【００６１】
本明細書で説明されるデータ・ストア（data store）（例えば、メモリ９０８）は、揮発性メモリ若しくは不揮発性メモリのいずかであることができ、又は、揮発性及び不揮発性メモリの両方を含むことができることは認識されるであろう。制限ではなく例として、不揮発性メモリは、リードオンリーメモリ（ＲＯＭ）、プログラマブルＲＯＭ（ＰＲＯＭ）、電気的書換え可能ＲＯＭ（ＥＰＲＯＭ）、電気的消去可能ＰＲＯＭ（ＥＥＰＲＯＭ）又はフラッシュメモリを含むことができる。揮発性メモリは、外部キャッシュメモリの働きをするランダムアクセスメモリ（ＲＡＭ）を含むことができる。制限ではなく例として、ＲＡＭは、例えば、シンクロナスＲＡＭ（ＳＲＡＭ）、ダイナミックＲＡＭ（ＤＲＡＭ）、シンクロナスＤＲＡＭ（ＳＤＲＡＭ）、２倍速ＳＤＲＡＭ（ＤＤＲ ＳＤＲＡＭ）、拡張ＳＤＲＡＭ（ＥＳＤＲＡＭ）、シンクリンクＤＲＡＭ（ＳＬＤＲＡＭ）とダイレクトラムバスＲＡＭ（ＤＲＲＡＭ）などのような、多くの形で利用できる。対象となるシステム及び方法のメモリ９０８は、これら及び他の適したタイプのメモリを含んでも良い（ただし、これらに制限されるものではない）。
【００６２】
その上、ＵＥ９００は、ユーザ・インタフェース９４０を含んでも良い。ユーザ・インタフェース９４０は、通信デバイス９００への入力を生成するための入力機構（mechanisms）９４２、及び、ＵＥ９００のユーザによる消費のための情報を生成するための出力機構（mechanism）９４４を含んでも良い。例えば、入力機構９４２は、例えば、キーまたはキーボード、マウス、タッチスクリーン・ディスプレイ、マイクロフォンなどのような機構を含んでも良い。さらに、例えば、出力機構９４４は、ディスプレイ、オーディオ・スピーカ、触覚フィードバック機構（haptic feedback mechanism）、パーソナルエリアネットワーク（ＰＡＮ）送受信機などを含んでも良い。説明された態様において、出力機構９４４は、画像又はビデオ・フォーマットのメディア・コンテンツを提示できるディスプレイ、又は、音声フォーマットのメディア・コンテンツを提示するオーディオ・スピーカを含んでも良い。
【００６３】
図１０を参照すると、ＳＯＮサーバ最適化システム１０００の詳細なブロック図が示されている。ＳＯＮサーバ最適化システム１０００は、任意のタイプのハードウェア、サーバ、パーソナル・コンピュータ、ミニ・コンピュータ、メインフレーム・コンピュータ、又は、任意のコンピュータ・デバイス、特殊用途若しくは汎用のコンピュータ・デバイスのうちの少なくとも一つを含んでも良い。さらに、ＳＯＮサーバ最適化システム１０００の上で又はそれによってオペレートされる、本明細書で説明されるモジュール及びアプリケーションは、単一のネットワーク・デバイス上で完全に実行されても良く、あるいは代わりに、他の態様において、独立したサーバ、データベース又はコンピュータ・デバイスが、パーティーに使用できるフォーマットでデータを提供するために、及び／又は、通信デバイス２１４とＳＯＮサーバ最適化システム１０００により実行されるモジュール及びアプリケーションとの間のデータフローにおける独立した制御のレイヤを提供するために、協力して働いても良い。
【００６４】
ＳＯＮサーバ最適化システム１０００は、有線及び無線ネットワークにわたってデータを送受信することができ、また、ルーチン及びアプリケーションを実行することができるコンピュータ・プラットホーム１００２を含む。コンピュータ・プラットホーム１００２は、メモリ１００４を含む。メモリ１００４は、例えば、リードオンリーメモリ及び／又はランダムアクセスメモリ（ＲＯＭ及びＲＡＭ）、ＥＰＲＯＭ、ＥＥＰＲＯＭ、フラッシュカード、又は、コンピュータ・プラットホームに共通の任意のメモリなどのような、揮発性及び不揮発性メモリを含んでも良い。さらに、メモリ１００４は、１又は複数のフラッシュメモリセルを含んでも良く、又は、例えば、磁気媒体、光学媒体、テープ、又は、ソフト若しくはハード・ディスクなどのような任意の二次記憶装置若しくは三次記憶装置であっても良い。さらに、コンピュータ・プラットホーム１００２はまた、プロセッサ１０３０を含む。プロセッサ１０３０は、特定用途向け集積回路（“ＡＳＩＣ”）、又は、他のチップセット、論理回路、又は、他のデータ処理デバイスであっても良い。プロセッサ１０３０は、様々な処理サブシステム１０３２を含んでも良い。様々な処理サブシステム１０３２は、ハードウェア、ファームウェア、ソフトウェア又はそれらの組み合わせで実装され、また、ＳＯＮサーバの機能性（functionality）及び有線又は無線ネットワーク上のネットワーク・デバイスの実施可能性（operability）を有効（enable）にする。
【００６５】
コンピュータ・プラットホーム１００２は、ハードウェア、ファームウェア、ソフトウェア及びそれらの組み合せで実現される通信モジュール１０５０を更に含んでも良い。それは、サービスプロバイダ・システム１０００の様々なコンポーネントの間の通信、並びに、サービスプロバイダ・システム１０００、デバイス２１４及びｅＮＢ２１２の間の通信を可能にする。通信モジュール１０５０は、無線通信コネクションを確立するために、必要なハードウェア、ファームウェア、ソフトウェア及び／又はそれらの組み合せを含んでも良い。説明された態様によれば、通信モジュール１０５０は、要求されたコンテンツ・アイテム、制御情報などの無線ブロードキャスト、マルチキャスト及び／又はユニキャスト通信を容易にするために、必要なハードウェア、ファームウェア及び／又はソフトウェアを含んでも良い。
【００６６】
コンピュータ・プラットホーム１００２は、ハードウェア、ファームウェア、ソフトウェア及びそれらの組み合せで実現されるメトリクス・モジュール（metrics module）１０４０を更に含む。それは、とりわけ、通信イベント検出、測定及び記録をするデバイス２１４に対応する、デバイス２１４及びｅＮＢｓ２１２などから受信されるメトリクス（metrics）を使用可能（enables）にする。一つの態様において、ＳＯＮサーバ最適化システム１０００は、メトリクス・モジュール１０４０を介してネットワークの最適化のためのＳＯＮポリシー及び／又は他の最適化基準（optimization criteria）を修正するために、メトリクス・モジュール１０４０を通して受信されるデータを解析しても良い。メトリクス・モジュール１０４０はまた、例えば、デバイス２１４から受信されるログをｅＮＢ２１２から受信されるログと比較しても良く及び／又はそれらログの少なくとも一部からのデータに関して更なる解析を実行しても良い。
【００６７】
ＳＯＮサーバ最適化システム１０００のメモリ１００４は、ネットワーク最適化を容易にするために動作可能な最適化モジュール１０１０を含む。一つの態様において、最適化モジュール１０１０は、ＳＯＮポリシー１０１２及び最適化基準１０１４を含んでも良い。一つの態様において、ＳＯＮポリシー１０１２は、以下のものを含むネットワーク通信及び関係のある情報を最適化する様々な手段を含んでも良い：隣接リスト（Neighbor Lists）（ＮＬ）を修正するためのスキーム、知的な決定を行い、レポートを発行し、更なる隣接リスト最適化を行うために、ＵＥ提供ログとｅＮＢ提供ログとを相関させるためのスキーム。一つの態様において、データ制御チャネル・スキーム１０１４は、互いに直交するように（orthogonally）資源を割り当てることを含んでも良い。
【００６８】
図１１は、本明細書で提供される様々な態様に従った、通信システムを管理及び最適化することためのシステムのブロック・ダイアグラム１１０２〜１１０４を示す。ダイアグラム１１０２〜１１０４が示すように、システムは、ＵＥ１１１０及びネットワーク・マネージャー１１２０を含むことができる。一つずつのＵＥ１１１０及びネットワーク・マネージャー１１２０だけが図１１に示されているが、ダイアグラム１１０２〜１１０４により示されるシステムが任意の数のＵＥ１１１０及び／又はネットワーク・マネージャー１１２０を含むことができることは認識されるべきである。ネットワーク・マネージャー１１２０は、例えばモビリティ管理エンティティー（ＭＭＥ）、ネットワーク・コントローラ、ネットワーク管理サーバ又はその種の他のもののような、任意の適したネットワーク・エンティティーであることができることは更に認識されることができる。
【００６９】
一つの態様に従って、ネットワーク・マネージャー１１２０は、ネットワーク・パフォーマンスを最適化するために、ネットワーク中の１又は複数のＵＥ１１１０に関係する情報を利用することができる。従来の通信システムにおいて、ネットワーク・マネージャーは、ネットワーク・パフォーマンスを最適化するために、ネットワーク中のデバイスからマニュアルで取得され及び伝えられたメジャーメント（measurements）に依存するであろう。これらのメジャーメントは、ネットワークの中でのドライブ・テスト及び／又は他のマニュアル・テスト手続きを通して得ることができる。しかし、そのような手続きは、コストと時間がかかる可能性がある。そして、それは、新たに配備されるネットワーク及び／又は急速に変化するネットワークを実装するために、そのような手続きを、好ましくなく及び実行不可能に（infeasible）する可能性がある。
【００７０】
したがって、図１１により示されるネットワーク・マネージャー１１２０は、ＵＥ１１１０による測定の実行及び／又はレポートを標準化及び自動化するために、自己最適化ネットワーク（Self-Optimized Network）（ＳＯＮ）ポリシーを利用することができる。そして、それによって、自動的な且つ自律的な方法で実行される、情報の収集及び／又は収集された情報に基づく最適化を可能にする。その結果、通信ネットワークの全体を通じたマニュアル・ドライブ・テスト及び他の同様のマニュアル測定の必要性は、かなり低減することができる。
【００７１】
一つの態様に従って、ネットワーク・マネージャー１１２０は、ネットワーク・マネージャー１１２０に関連するネットワークの中で使用されるＳＯＮポリシー（例えば、ポリシー・ストア１１２２により記憶されるＳＯＮポリシー）を作成及び／又はさもなければ識別することができる。一つの例において、ＳＯＮポリシーは、ＵＥ１１１０によりレポートされる標準化されたイベント、そのようなイベントを測定及び／又は記録するための技法（techniques）、記録されたイベントをネットワーク・マネージャー１１２０にレポートするための技法、又はその種の他のものを指定することができる。一つの態様において、ＵＥ１１１０により測定されるイベント及びそのようなイベントが記録されてネットワーク・マネージャー１１２０へレポートされる方法を標準化することによって、ネットワーク・マネージャー１１２０は、ネットワークの自律的な管理を容易にすることができる。
【００７２】
一つの例において、ネットワーク・マネージャー１１２０は、ダイアグラム１１０２により示されるように、標準化されたイベントを検出、ロギング及びレポートするために使用されるべきＳＯＮポリシーを、ネットワーク中のＵＥ１１１０へ提供することができる。他の例において、ＵＥ１１１０がＳＯＮポリシーを提供される前にアイドル状態にあるならば、ネットワーク・マネージャー１１２０は、ＵＥ１１１０のためにページングを開始することができる。加えて及び／又は代わりに、ＵＥ１１１０は、ＵＥ１１１０とネットワーク・マネージャー１１２０に関連するネットワークとの間でコネクションを確立するための接続手続（Attach procedure）及び／又は他の適した手続きの間において（例えば、ＳＯＮポリシーで利用されるべきＳＯＮベアラ及び／又は関連するネットワーク管理プロトコルを使用して）、ＳＯＮポリシーをサポートするその能力を、ネットワーク・マネージャー１１２０に知らせることができる。例えば、ＵＥ１１１０が、まず最初に、ＧＳＭ（登録商標） ＥＤＧＥ（ＧＳＭエボリューションのための強化データレート（Enhanced Data rates for GSM Evolution））無線アクセス・ネットワーク（ＧＥＲＡＮ）及び／又はＵＭＴＳ地上無線アクセスネットワーク（ＵＴＲＡＮ）を介して接続され、そして、その後、発展型ＵＴＲＡＮ（Evolved UTRAN）（Ｅ−ＵＴＲＡＮ）へ移動する場合に、ＵＥ１１１０は、ＳＯＮに関係のあるＵＥ能力情報（SON-related UE capability information）を含むシステム間追跡エリア更新（inter-system Tracking Area Update）（ＴＡＵ）メッセージを提供することができる。一つの態様に従って、ＳＯＮ能力（SON capability）をもつＵＥ１１１０のリストは、ネットワーク・マネージャー１１２０により収集及び維持されることができる。
【００７３】
ＳＯＮポリシー１１１２がネットワーク・マネージャー１１２０によりＵＥ１１１０に提供された後、ダイアグラム１１０４により示されるように、ＵＥ１１１０は、ＳＯＮポリシー１１１２に従ってオペレートすることができる。例えば、ＵＥ１１１０は、ＳＯＮポリシー１１１２において定義される１又は複数の標準化されたイベントの発生を検出するためのイベント探知器１１１４、検出されたイベントを記録するための及び／又はＳＯＮポリシー１１１２に従って対応する測定を実行するためのイベント・ロガー１１１６、検出されたイベントに関係する情報を、ＳＯＮポリシー１１１２において提供されるスケジュール及び／又はＳＯＮポリシー１１１２を実行するための他の適したメカニズムに従って、ネットワーク・マネージャー１１２０及び／又は他の適したエンティティーにレポートするログ・リポーター１１１８を含むことができる。一つの態様に従って、ネットワーク・マネージャー１１２０は、マニュアル・テスト又は測定を要求することなく、受信されたレポートに基づいてネットワークのパフォーマンスを最適化するために、ＵＥ１１１０から記録されたイベントのレポートを受信すると、ネットワーク最適化モジュール（network optimizer module）１１２４及び／又は任意の他の適した手段を利用することができる。
【００７４】
図１２は、例えば、図１１中のシステムと連携して又はその代わりに使用され得る無線ネットワーク最適化のためのシステム１２００のブロック図である。図１２に示されるように、システム１２００は、ＵＥ１２２０及びｅＮＢ１２１０を含むことができる。一つずつのＵＥ１２２０とｅＮＢ１２１０だけが図１２中に示されるが、システム１２００が任意の数のＵＥ１２２０及び／又はｅＮＢ１２１０を含むことができることは認識されるべきである。ｅＮＢ１２１０が、例えば、基地局、モビリティ管理エンティティー（ＭＭＥ）、ネットワーク・コントローラ、ネットワーク管理サーバ又はその種の他のもののような、任意の適したネットワーク・エンティティーであることができることは更に認識されることができる。
【００７５】
ｅＮＢ１２１０は、例えば、ＵＥ１２２０に対して、データ、制御シグナリング及び／又は他の情報を送信することができる。ｅＮＢ１２１０はまた、例えば、ＵＥ１２２０に対して、データ及び／又は他の情報を受信することができる。さらに、ｅＮＢ１２１０及び／又はＵＥ１２２０は、ｅＮＢ１２１０、ＵＥ１２２０、最適化モジュール１２３０及び／又は任意の他の適した機能性に関して、本明細書で説明される機能性の一部又は全部を実装するためにプロセッサ１２４２及び／又はメモリ１２４４を含むことができる。
【００７６】
従来の通信システムにおいて、ネットワーク・マネージャー（図示せず）は、ネットワーク・パフォーマンスを最適化するために、ネットワーク中のデバイスからマニュアルで得られ及び伝えられたメジャーメントに依存するであろう。これらのメジャーメントは、一般的に、ネットワークの中でのドライブ・テスト及び／又は他の手マニュアル・テスト手続きを通して得られるであろう。しかし、そのような手続きは、コストと時間がかかる可能性がある。そして、それは、新たに配備されるネットワーク及び／又は急速に変化するネットワークを実装するために、そのような手続きを、好ましくなく及び実行不可能に（infeasible）する可能性がある。
【００７７】
一つの態様に従って、ｅＮＢ１２１０は、ＳＯＮサーバ（図示せず）と連携してネットワーク・パフォーマンスを最適化するために、ネットワーク中の１又は複数のＵＥ１２２０に関係する情報を利用することができる。ＵＥ１２２０とＳＯＮサーバ（図示せず）との間でのデータ交換は、例えば、ネットワーク・マネージャー（例えば、図１１に示されるネットワーク・マネージャー１１２０など）を通して起こっても良い。通常、ＵＥ１２２０へのＳＯＮポリシーの通信は、このように起こる（例えば、図１１に示されるように）。
【００７８】
システム１２００に示されるように、ｅＮＢ１２１０及び／又はＵＥ１２２０は、とりわけ、通信イベントを検出し、１又は複数の測定を実行することができ、また、少なくともその測定の結果を記録することができる最適化モジュール１２３０を含むことができる。測定は、ＳＯＮプロトコルによって、命令（dictated）され、指示（indicated）され、選択（selected）され又は指令（directed）されても良く、また、例えば、ＵＥ１２２０とｅＮＢ１２１０又は他のエンティティーとの間の通信イベントに関係しても良い。測定は、以下でより詳しく議論される。最適化モジュール１２３０は、一般に、データ及び他の情報を収集及び記憶するための機能性を含む。最適化モジュール１２３０は、そのデータを他のエンティティーに（例えば、ＵＥ１２２０からｅＮＢ１２１０に又はその逆に）送信する能力を更に含んでも良い。これらの能力及び他の能力の各々について、最適化モジュール１２３０は、一般に、次を含む：イベント検出器１２３２、測定モジュール１２３４及びロギング・モジュール１２３６。
【００７９】
一つの態様において、最適化モジュールの様々なコンポーネントのオペレーションは、ＳＯＮサーバ（図示せず）により生成されるＳＯＮポリシーによって支配（governed）されても良い。一つの態様に従って、ｅＮＢ１２１０は、ＳＯＮサーバ（図示せず）と直接インタフェースすることができる。他の態様において、ＵＥ１２２０は、ＳＯＮポリシーを得るために（例えば、図１１に示されるように）、ＳＯＮサーバと直接インタフェースしても良い。一つの例において、ＳＯＮポリシーは、ＵＥ１２２０によりレポートされる標準化されたイベント、そのようなイベントを測定及び／又は記録するための技法、記録されたイベントをネットワーク・マネージャーにレポートするための技法、又はその種の他のものを指定することができる。一つの態様において、ＵＥ１２２０により測定されるイベント及びそのようなイベントが記録されてネットワーク・マネージャーへレポートされる方法を標準化することによって、ネットワーク・マネージャーは、ネットワークの自律的な管理を容易にすることができる。
【００８０】
オペレーション・モジュール１２３０は、イベント検出器１２３２を有しても良い。イベント検出器１２３２の機能は、通常、ＳＯＮサーバにより実行されるネットワークの最適化にとって関連し得る及び／又は有用であり得る通信イベントを検出することである。イベント検出器１２３２はネットワーク中のデバイスに関連することができ（例えば、ｅＮＢ１２１０に対するＵＥ１２２０）、あるいはさもなければ、イベント検出器１２３２は通信ネットワーク中の独立型エンティティーであることができることは認識されるべきである。したがって、イベント検出器１２３２の機能（functions）及び機能性（functionality）は、それらの位置（locations）によって異なり得る。例えば、ＵＥ１２２０上のイベント検出器１２３２の機能性は、ｅＮＢ１２１０上のイベント検出器１２３２の機能性と異なっても良い。
【００８１】
一つの例において、イベントは、ＳＯＮサーバのＳＯＮポリシー及び／又は他の適した定義セットにより定義されることができる。イベント検出器１２３２は、診断（diagnosis）及び検出（detection）を可能にする多くの適した特徴（features）及び特質（attributes）を含んでも良い。検出された通信イベントは、以下を含んでも良い（ただし、以下に制限されない）：失われたページ（missed pages）（ｅＮＢ１２１０におけるイベント検出器１２３２の場合）、受信されたページ、リンク・アンバランス、パイロット及びデータ・ポリューション（pilot and data pollution）、セルエッジ効果（cell edge effects）、ハンドオーバー失敗、セル再選択失敗、セル・リダイレクション失敗、又は圏外エクスペリエンスを検出すること。イベント検出器１２３２は、例えば、各々のタイプのイベントを検出することに専用にされる別々のモジュールを含んでも良い。あるいは、イベント検出器１２３２は、複数のイベントを検出することができる一つの多目的モジュールだけを含んでも良い。
【００８２】
他の態様に従って、イベント検出器１２３２は、通信イベントに加えて様々なタイプのイベントの検出を容易にするために、上記（図示せず）に加えて１又は複数のモジュールを含むことができる。例えば、イベント検出器１２３２は、例えば、無線リンク故障（radio link failures）、コネクション故障（connection failures）、ハードウェア故障（hardware failures）、又はその種の他のもののような、ネットワーク及び／又はネットワーク中のデバイスに関連する故障を検出するための故障検出器（failure detector）を含むことができる。他の例として、イベント検出器は、ロケーション・モニター（location monitor）を含むことができる。ロケーション・モニターは、システム１２００及び／又はネットワーク内の関連するデバイスの位置、及び、監視されるロケーションの変化（例えば、セル及び／又はネットワーク間の関連するデバイスの移動）を監視することができる。加えて及び／又は代わりに、イベント検出器は、動作状態モニター（operating state monitor）を含むことができる。動作状態モニターは、送信資源（例えば、周波数、符号などにおける資源）、送信電力、観測された干渉、及び／又はネットワーク・デバイスに関連する他のオペレーション・パラメータ及び／又はそのようなパラメータの変化を監視することができる。
【００８３】
一つ又は複数の通信イベントがイベント検出器１２３２により検出されるとき、測定又は測定を実行することに関連するアクションが、測定モジュール１２３４により実行される。言い換えると、測定モジュール１２３４は、一般に、例えば次のような（ただし、それらに制限されない）１又は複数の通信イベントの検出に関係する測定を実行しても良い：失われたページ、リンク・アンバランス、パイロット及びデータ・ポリューション、セルエッジ効果、ハンドオーバー失敗、セル再選択失敗、セル・リダイレクション失敗、又は圏外エクスペリエンスなどを検出すること。この目的及び他の目的のために、測定モジュール１２３４は、パイロット又はサウンディング信号（pilot or sounding signals）、リンク電力制御ビット、パイロット及びパイロットの数、ハンドオーバー失敗、セル再選択失敗、セル・リダイレクション失敗、又は圏外エクスペリエンスの各イベント、セル選択／再選択などを測定するための能力を有しても良い。さらに、測定モジュール１２３４は、一般に、通信イベントの時刻（time）及び期間（during）を記録する能力を有する。
【００８４】
ロギング・モジュール１２３６は、イベント検出器１２３２により検出された通信イベント及び測定モジュール１２３４により実行される測定に関連するデータを記録する。特に、ロギング・モジュール１２３６は、ログで又は他の適したフォーマットで、ローカルに、測定モジュール１２３４により実行される測定に関連するデータを記憶する能力を含んでも良い。
【００８５】
ロギング・モジュール１２３６により記録され得るイベントのアスペクトは、以下を含んでも良い（ただし、それらに制限されない）：イベントに関係するエンティティー（例えば、リンク、基地局、など）のロギング、本明細書で説明される最適化機能、など。
【００８６】
一つの態様において、失われたページは、ＵＥ１２２０が、該ＵＥ１２２０にサービスしているｅＮＢ１２１０から又は何らかの他のエンティティーからのページに応答することができない場合に、起こり得る。一般に、ＵＥ１２２０は、アイドル状態にある可能性がある。アイドル状態は、それが基地局又はｅＮＢ１２１０に接続されていないことを意味する。この状況において、ネットワークは、ＵＥ１２２０の実際の位置（location）又は状態（status）についての知識を有しない場合がある。ページは、とりわけ、ＵＥ１２２０との通信を確立する試みにおいて、ネットワーク・エンティティーにより送信され得る。如何なる理由であってもＵＥ１２２０がそのようなページに応答することができない場合に、失われたページは、起こる。ページング及び失われたページ・イベントのより詳細な説明が後に続く。
【００８７】
ＵＥ１２２０がアイドル状態にある（例えば、基地局又はｅＮＢ１２１０に接続されていない）ならば、モビリティ管理エンティティー（ＭＭＥ）、ネットワーク・コントローラ、ネットワーク管理サーバ、又はその種の他のものは、とりわけ、ＥＮＭメッセージ交換（ENM message exchange）のためのシグナリング・コネクションをセットアップするために、ページング・メッセージ（「ページ」）をＵＥ１２００に送信することができる。ページの目的は、ＵＥ１２２０と通信すること及び／又はＵＥ１２２０を位置検出（locating）することを含む。したがって、ＭＭＥは、ページング・リクエスト・メッセージ（Paging Request message）を、ページングされるＵＥ１２２０にサービスし得る一つのｅＮＢ１２１０又は一連のｅＮＢ１２１０へ提供することができる。ＭＥＥからページング・リクエスト・メッセージを受信するｅＮＢ１２１０は、それから、ＵＥ１２２０にページングすることができる。通常、ページングは、ＵＥ１２２０を位置検出（locate）するために及び／又はＵＥ１２２０との通信を確立するために、複数のｅＮＢ１２１０により実行される。
【００８８】
ＵＥ１２２０がページを受信するならば、ＵＥ１２２０は、ｅＮＢ１２１０に接続すること、該ページを送信すること、及び、サービス・リクエスト・メッセージ（Service Request message）をｅＮＢイベント検出器１２３２に又はＭＭＥイベント検出器（図示せず）に提出（submitting）することによって、ページング信号に応答することができる。この場合、ＵＥ１２２０のイベント検出器１２３２は、ページ受信イベント（page received event）を検出し、そして、ロギング・モジュール１２３６を用いて、通常、該ページがいつ受信されたか及び／又は該ページがいつ送信されたかを示すタイムスタンプとともに、それを記録するであろう。ＵＥ１２２０はまた、例えば、ページがそこから受信された一つのｅＮＢ１２１０又は複数のｅＮＢ１２１０の識別情報、ページング信号の相対的な強度などのような、他の情報を記録しても良い。
【００８９】
任意の所定のセルにおいて、カバレージが妨害される（interrupted）か又は制限されるエリアが存在する場合があり、それで、ｅＮＢ１２１０又は他のネットワーク・エンティティーからＵＥ１２２０への信号が、ＵＥが動作する電力レンジにそれらを置く十分な電力を有する場合がある。さらに、ページが送信されるとき又はそれがページを受信することができない他の状態にあるとき、ＵＥ１２２０がスイッチオフされる場合がある。これら又は類似した状況のうちの一つにおいてページが送信されるならば、ＵＥ１２２０はたぶんページに応答しないであろう。そのような通信イベントは、「失われたページ（missed page）」と呼ばれる。
【００９０】
つまり、ＵＥ１２２０がページを受信することができないならば、いかなる理由であっても、通常、ＵＥ１２２０によりｅＮＢイベント検出器１２３２へ送信されるレスポンスはないであろう。例えば、そのような各々の失われたページは、ｅＮＢ１２１０のイベント検出器１２３２により、ページが送信された後で指定された時間を待つことによって検出されるであろう。ＵＥ１２２０からのレスポンスが指定された時間内に受信されないならば、失われたページ・イベントは、ｅＮＢ１２１０のイベント検出器１２３２により検出されるであろう。この場合、ｅＮＢ１２１０のロギング・モジュール１２３６は、通常、失われたページに関係するタイムスタンプ（例えば、失われたページがいつ検出されたか及び／又は失われたページがいつｅＮＢ１２１０により送信されたかを示す）とともに、失われたページを記録するであろう。１つのｅＮＢ１２１０又は複数のｅＮＢ１２１０はまた、例えば、該ページを失ったＵＥ１２２０の識別情報、ＵＥ１２２０の最後に知られている（last known）位置及び状態、ページがそこから送信された１つのｅＮＢ１２１０又は複数のｅＮＢ１２１０の識別情報などのような、他の情報を記録しても良い。
【００９１】
ＵＥ１２２０が接続状態にある場合に（すなわち、少なくとも一つのｅＮＢ１２１０と通信する場合に）、リンク・アンバランスが起こり得る。通常、接続状態において、ＵＥ１２２０は、アップリンク及びダウンリンクにおいて通信を受信する。あるリンクからの通信が低いエラー及びハイデータレートを有し、第２のリンクからの通信が高いエラー及び低いデータレートを有する場合に、「リンク・アンバランス（link imbalance）」が起こったと言われる。リンク・アンバランス・イベントのより詳細な説明が後に続く。
【００９２】
接続状態において、ＵＥ１２２０は、少なくとも一つのリンクからダウンリンクの上で良好な信号を受信する（例えば、高いＭＣＳデータレート、高い信号対雑音比（ＳＮＲ）、低いＣＲＣ又はチェックサム・エラー失敗）。この状況において、ＵＥ１２２０が少なくとも他のリンクからダウンリンクの上で良好な信号を受信していない場合に、リンク・アンバランスが起こる（例えば、高いＣＲＣ又はチェックサム・エラー失敗又はＳＮＲ）。通常、ＣＲＣ又はチェックサム・エラー失敗（failure）が高いならば、第２のリンクは、ＭＣＳデータレートを減少させる。したがって、第２のリンクからの高いＣＲＣ又はチェックサム失敗は、低いＭＣＳデータレートをもたらす可能性がある。
【００９３】
リンク・アンバランスは、いくつかの理由で起こり得る。例えば、単純に、通信パラメータ（例えば、チャネル復号化など）が一つのリンクについてもう一つのリンクよりも良く最適化されることがあり得るであろう。加えて又は代わりに、干渉問題が存在する場合がある。例えば、他のＵＥ１２２０の存在は、あるリンクで通信するＵＥ１２２０の能力に対して、それが第２のリンクで通信するＵＥ１２２０の能力に干渉するよりも、より大きく干渉し得る。実際、同一の又は近隣するセルにおける他のＵＥ１２２０は、様々な程度で、また、地理的に不均一な（geographically heterogeneous）方法で、ＵＥ１２２０及びリンク間の通信干渉をもたらし得る。
【００９４】
そのようなリンク・アンバランスは、リンクからのパイロット又はサウンディング信号の電力、チャネル品質インジケータ（ＣＱＩ）をチェックすること、及び／又は、ｅＮＢ１２１０によりＵＥ１２２０へ送信される電力増加／減少コマンド（power up/down commands）をチェックすることによって、監視され得る。例えば、ｅＮＢ１２１０が、長いタイムピリオド（extended period of time）の間、電力増加コマンド（power-down command）をＵＥ１２２０へ絶えず（constantly）送信しているならば、特にｅＮＢ１２１０が電力増加コマンドを一貫して（consistently）他のリンクへ送信していないならば、そのリンクに関する問題が存在することは、良いインジケーション（good indication）である。同様に、ｅＮＢ１２１０が、長いタイムピリオドの間、電力減少コマンド（power-down command）をＵＥ１２２０へ絶えず送信しており、そして、ＣＱＩが低いチャネル品質を示すならば、特にｅＮＢ１２１０が電力減少コマンドを一貫して他のリンクへ送信していないならば、そのリンクに関する問題が存在することは、良いインジケーションである。電力増加及び電力減少コマンドは、特定のリンクの上で電力制御ビットを介して監視されることができる。
【００９５】
ｅＮＢ１２１０がＵＥ１２２０へパイロット又はサウンディング信号を送信するならば、それは、通常、その測定モジュール１２３４及びロギング・モジュール１２３６にそれぞれ関連するパラメータを測定及び記録し得る。そのような測定及び記録されたパラメータは、例えば、送信の時刻（タイムスタンプ）、ＵＥ１２２０が位置するセルの識別情報、及び、パイロット又はサウンディング信号の電力の受信電力レベルを含んでも良い。
【００９６】
ｅＮＢ１２１０のイベント検出器１２３２は、リンク・アンバランスが起こったかどうか判定するために、各々の測定されたパイロット又はサウンディング信号を、記録されたパイロット又はサウンディング信号と比較しても良い。例えば、イベント検出器１２３２は、以下が起こる場合に、リンク・アンバランスを検出する：１）パイロット又はサウンディング信号の受信電力レベルが、指定されたタイムピリオドTime_linkの間、閾値Thresh_linkを下回る、及び、２）第２のリンクに対するパイロット又はサウンディング信号の受信電力レベルが、少なくともTime_linkの間、Thresh_linkを下回らない。パラメータThresh_link及びTime_linkは、例えば、ＳＯＮサーバによりセットされても良い。一旦、ｅＮＢ１２１０のイベント検出器１２３２が、リンク・アンバランスを検出したならば、それは、例えば以下のものなどのようなパラメータを記録（log）するために、ロギング・モジュール１２３６を用いて、リンク・アンバランスを記録（record）しても良い：リンク・アンバランスが検出された時刻、リンク・アンバランスが起こったセルの識別情報、受信電力レベル及びアンバランスの継続期間（duration）。
【００９７】
ＵＥ１２２０がリンクからパイロット又はサウンディング信号を受信するならば、それは、通常、その測定モジュール１２３４及びロギング・モジュール１２３６にそれぞれ関連するパラメータを測定及び記録し得る。そのような測定及び記録されたパラメータは、例えば、パイロット又はサウンディング信号がそこから送信されたリンクの識別情報、及び、送信リンクからのパイロット又はサウンディング信号の電力を含んでも良い。
【００９８】
ＵＥ１２２０のイベント検出器１２３２は、リンク・アンバランスが起こったかどうか判定するために、各々の測定されたパイロット又はサウンディング信号を、記録されたパイロット又はサウンディング信号と比較しても良い。例えば、イベント検出器１２３２は、以下が起こる場合に、リンク・アンバランスを検出する：１）特定のリンクのための電力制御ビットが、指定されたタイムピリオドTime_linkの間、アップ又はダウンのいずれかを示す、及び、２）第２のリンクのための電力制御ビットが、少なくともTime＿linkの間、同じものを示さない。パラメータTime_linkは、例えば、ＳＯＮサーバによりセットされても良い。一旦、ＵＥ１２２０のイベント検出器１２３２がリンク・アンバランスを検出したならば、それは、例えば以下のものなどのようなパラメータを記録するために、ロギング・モジュール１２３６を用いて、リンク・アンバランスを記録しても良い：リンク・アンバランスが検出された時刻、リンク・アンバランスが起こったセルの識別情報、第２のリンクの電力と比較してアンバランスをもたらすリンクの電力レベル及びアンバランスの継続期間。
【００９９】
通常、ＵＥ１２２０が、等しい又はほぼ等しい強度で複数のセルからパイロット及び／又はデータ信号を受信しているとき（２−３ｄＢの範囲内のＳＩＮＲ）、パイロット及び／又はデータ・ポリューションが起こり得る。ＵＥ１２２０がアイドル状態又は接続状態にある（すなわち、少なくとも一つのｅＮＢ１２１０と通信している）場合に、パイロット・ポリューション及び／又はデータ・ポリューションが起こり、検出される場合がある。ポリューションは、一般に、信号間の干渉又はオーバーラップのために受信されたデータを解釈する際に問題をもたらす。セル・デザインが、わずか一つのｅＮＢ１２１０が特定のセルを支配（dominates）するようなものでなければならないという事実にもかかわらず、ＵＥ１２２０がすぐにいくつかの異なるセルを「聞く（hear）」ことができることは、ネットワーク配備において一般に観測される。この問題はまた、最も高い及び最も低い送信基地局間の周波数ギャップが、信号が区別されるのに不十分である場合に起こり得る。言い換えると、パイロット及び／又はデータ・ポリューションは、２つのパイロットからの信号が互いに干渉し得る場合に起こる。これらの状況では、干渉が低減されるように、干渉するｅＮＢ１２１０の電力を変更する必要がある。
【０１００】
通信リンクが、特定のセルにおいてＵＥ１２２０と特定のｅＮＢ１２１０との間で確立されるときでさえ、ＵＥ１２２０は、例えば、まだ近隣のセルにおいて他のｅＮＢ１２１０を聞く必要がある。そのような近隣のセルのｅＮＢ１２１０は、例えば、ＵＥ１２２０へネットワーク・メンテナンス又は他の情報を送信しても良い。近隣のセルが選択されるとき、一般的に、それらのパイロット又はサウンディング信号は、干渉を防ぐために互いに周波数においてシフトされる。しかし、それでも、固有の制限（inherent limitations）のために、偶然の（occasional）オーバーラップが、幾つかのシステムにおいて存在する。例えば、モジュラー６通信（modular six communications）において、それらのいずれも周波数においてオーバーラップしないように選択されることができる６つのパイロットだけが存在する。そのような場合に、幾つかのパイロットは、周波数においてオーバーラップし得る。これらの場合、例えば、パイロットを識別するために、タイムシフトが適用されても良い。それでも、そのような状況では、ＵＥ１２２０に対するパイロット通信間の干渉が存在する可能性があるであろう。そのようなケースは、「パイロット・ポリューション（pilot pollution）」と呼ばれる。さらに、近隣のセルからのデータは、同一の周波数の上で送信されることがあり、また、同様の方法で干渉することがある。そのようなケースは、一般的に、「データ・ポリューション（data pollution）」と呼ばれる。
【０１０１】
いずれのケースにおいても、干渉は、一つのｅＮＢ１２１０に対するＳＩＮＲが他のｅＮＢ１２１０からの信号のＳＩＮＲに類似する状況で起こる可能性がある。パイロット又はデータがＵＥ１２２０に送信された後、ＵＥ１２２０は、パイロット及びデータに関するチャネル品質インジケータ（channel quality indicator）（ＣＱＩ）を送信する。パイロット・ポリューションは、例えば、それが接続モードにあるとき、ＵＥ１２２０における連続するＣＲＣ失敗（CRC failures）をもたらすであろう。さらに、複数の好ましくない（unfavorable）ＣＱＩが受信されるであろう。
【０１０２】
パイロット及びデータ・ポリューションを測定するために、いくつかの方法及びパラメータが使用され得る。各々の方法は、あまりに多くの（too many）パイロット及び／又はｅＮＢ１２１０の検出に依存する。あまりに多くの検出されたパイロットが、アイドル状態又は接続状態にあるＵＥ１２２０により観測され得る。通常、ＵＥ１２２０がパイロット信号の数が閾値数Thresh_pilotを超えているのを検出するとき、パイロット及びデータ・ポリューションが起こる。パラメータThresh_pilotは、例えば、ＳＯＮサーバによりセットされても良い。
【０１０３】
ＵＥ１２２０がリンクからパイロット又はサウンディングを受信するならば、それは、通常、その測定モジュール１２３４及びロギング・モジュール１２３６にそれぞれ関連するパラメータを測定及び記録し得る。そのような測定及び記録されたパラメータは、例えば、パイロット又はサウンディング信号がそこから受信されたリンクの識別情報、送信リンクからのパイロット又はサウンディング信号の電力、及び、パイロット又はサウンディング信号のＣＱＩ又はエラーレートを含んでも良い。
【０１０４】
ＵＥ１２２０のイベント検出器１２３２は、例えば、単にパイロット又はサウンディング信号を提供しているリンクの数をカウントしても良い。この数がThresh_pilotを超えるならば、パイロット及びデータ・ポリューション・イベントが検出される。
【０１０５】
一旦、ＵＥ１２２０のイベント検出器１２３２が、パイロット及びデータ・ポリューション・イベントを検出したならば、それは、例えば以下のものなどのようなパラメータを記録するために、ロギング・モジュール１２３６を用いて、パイロット及びデータ・ポリューション・イベントを記録しても良い：パイロット及びデータ・ポリューション・イベントが検出された時刻、パイロット及びデータ・ポリューション・イベントが起こったセルの識別情報、パイロット及びデータ・ポリューション・イベントに係った（implicated）パイロット、及び、パイロット及びデータ・ポリューション・イベントに係った各々のパイロットの電力レベル。
【０１０６】
ハンドオーバー失敗、セル再選択失敗、セル・リダイレクション失敗又は圏外エクスペリエンスを防ぐために、ＵＥ１２２０が、セルの伝送の範囲のエッジに到達し、そして、近隣のセルの信号がさらにより低いときに、セルエッジ・エクスペリエンスが起こり得る。簡単に言えば、サービング・セルからの信号は、確実にデータをＵＥ１２２０へ及びから転送するにはあまりに弱くなる。
【０１０７】
起こり得る問題は、ＵＥ１２２０がサービング・セルから弱い信号を受信すること及びセルの信号と近隣のセルとの間の干渉を含む。これは、通常、低いデータ・ライト（data right）、（接続された状態における）高水準のＣＲＣ失敗及び（アイドル状態における）失われたページのより高い可能性をもたらすであろう。さらに、サービング・セルの電力が特定の電力閾値未満であるとき、セルエッジ・エクスペリエンスが検出される可能性がある。この状況において、ハンドオーバー失敗、セル再選択失敗、セル・リダイレクション失敗又は圏外エクスペリエンスが防がれ、そして、ＵＥ１２２０は、しばらくの間、この十分に接続されなかった状態で残存（linger）し得る。
【０１０８】
ＵＥ１２２０が、時間Time_cellの間、閾値Thresh_cellを下回る信号を受信するとき、セルエッジ・エクスペリエンスが検出され得る。パラメータThresh_cell及びTime_cellは、例えば、ＳＯＮサーバによりセットされても良い。
【０１０９】
一旦、ＵＥ１２２０のイベント検出器１２３２が、セルエッジ・エクスペリエンスを検出したならば、それは、例えば以下のものなどのようなパラメータを記録するために、ロギング・モジュール１２３６を用いて、セルエッジ・エクスペリエンスを記録しても良い：セルエッジ・エクスペリエンスが検出された時刻、セルエッジ・エクスペリエンスが起こったセルの識別情報及びセルエッジ・エクスペリエンスの位置。
【０１１０】
ハンドオーバー失敗、セル再選択失敗、セル・リダイレクション失敗又は圏外エクスペリエンスは、アイドル状態又は接続状態において起こり得る。ハンドオーバーが試みられて、成功しないとき、更なるハンドオーバー失敗、セル再選択失敗、セル・リダイレクション失敗又は圏外エクスペリエンスが起こり得る。
【０１１１】
一旦、ＵＥ１２２０のイベント検出器１２３２が、ハンドオーバー失敗、セル再選択失敗、セル・リダイレクション失敗又は圏外エクスペリエンスを検出したならば、それは、例えば以下のものなどのようなパラメータを記録するために、ロギング・モジュール１２３６を用いて、ハンドオーバー失敗、セル再選択失敗、セル・リダイレクション失敗又は圏外エクスペリエンスをを記録しても良い：セルエッジ・エクスペリエンスが検出された時刻、セルエッジ・エクスペリエンスが起こったセルの識別情報及びセルエッジ・エクスペリエンスの位置、ＲＳＲＰの使用、ＲＳＲＱ、ＭＣＳ、バンド幅、ＨＡＲＱ終了情報（HARQ termination information）及びＭＡＣレイヤＡＣＫ／ＮＡＫ情報。
【０１１２】
以下のマテリアル（materials）において、ＵＥ１２２０、ｅＮＢ１２１０及びＳＯＮサーバ間のインターラクションが議論される。一般的に言えば、ＵＥ１２２０及び／又はｅＮＢ１２１０は、例えば下記のような（ただし、それらに制限されない）、先に述べたようなイベントを、いくつかの異なる方法でＳＯＮサーバにレポートしても良い：受信された／失われたページ、リンク・アンバランス、パイロット・ポリューション、セルエッジ・エクスペリエンス、ハンドオーバー失敗、セル再選択失敗、セル・リダイレクション失敗又は圏外エクスペリエンス。
【０１１３】
例えば、ＵＥ１２２０及び／又はｅＮＢ１２１０は、イベント、又は、イベントのログを、周期的にＳＯＮサーバへレポートしても良い。そのような周期的にレポートすることは、例えば、図１１に示されるように、ＳＯＮポリシーに従うものであっても良い。他の態様において、ＵＥ１２２０及び／又はｅＮＢ１２１０は、ＳＯＮサーバからの要求時にＳＯＮサーバへ、イベント又はイベントのログをレポートしても良い。そのような要求に応じてレポートすることはまた、例えば、図１１に示されるように、ＳＯＮポリシーに従うものであっても良い。ＳＯＮサーバへの一部又は全部のレポートは、本明細書で議論される任意の手段（以下のセクションで議論される手段を含む）を介して、ＵＥ１２２０及びｅＮＢ１２１０によりなされても良い。
【０１１４】
上記の通信イベントのコンテキストで議論される一部又は全部の情報は、ＳＯＮサーバへレポートされても良い。例えば、ログ、メジャーメント、イベント検出及び任意の関連するデータは、ＳＯＮサーバへレポートされても良い。代わりに又は加えて、同一の情報は、少なくともメモリ・モジュール１２４４及び／又はロギング・モジュール１２３６（図１２）に記憶されても良い。ログは、ＳＯＮサーバへ送信されても良く、あるいは、それらの全部で又は任意の適したセグメント、セクション若しくはサブディビジョンで、メモリ・モジュール１２４４及び／又はロギング・モジュールへ記憶されても良い。ロギング・モジュール１２３６に記憶された、イベント検出器１２３２又は測定モジュール１２３４により収集された、ログからの個々のデータは、ＳＯＮサーバへ送信されても良く、あるいは、それらの全部で又は任意の適したセグメント、セクション若しくはサブディビジョンで、メモリ・モジュール１２４４及び／又はロギング・モジュールへ記憶されても良い。
【０１１５】
まず最初に、ＳＯＮサーバがネットワークを最適化し得る方法は、参照によって本明細書で組み込まれる、仮出願６１／０３７，４４３及び６１／１０９，０２４においてより包括的に議論されている。本明細書で議論されるイベントのレポート及びすべての関連するデータは、該組み込まれた任意の文献において本明細書で議論された任意の適した方法でネットワークを最適化するために、ＳＯＮサーバにより使用されても良い。
【０１１６】
例えば、ＳＯＮサーバは、ネットワークに関する問題を診断し、ネットワーク・パラメータに関して知的な決定をし、さらに問題（issues）及び更なる問題（further problems）をレポートするために、ｅＮＢ及びＵＥからのログを相関させても良い。最適化され得るパラメータの例は、ネットワークのホール（holes）を取り除くために必要に応じて、信号を増加／減少するために、個々のＵＥのための隣接リスト（neighbor lists）（ＮＬ）を含む。そのようなＮＬは、特定のＵＥが聞くことができる基地局をリストする。
【０１１７】
ＳＯＮサーバは、失われたページの後でネットワークを最適化するであろう。ネットワーク最適化は、通常、隣接リスト（ＮＬ）にセルを加えること又は取り除くことを含む。隣接リストは、ＵＥが聞くことができる基地局のリストである。
【０１１８】
図１３を参照すると、様々な態様に従って、自己最適化ネットワークの例示的な実装を示すダイアグラム１３００が提供される。ダイアグラム１３００が示すように、ＵＥ１３１０は、ＭＭＥ１３２０、ゲートウェイ（ＧＷ）１３３０、ｅＮＢ１３４０、ＳＯＮサーバ１３５０及び／又は任意の他の適したエンティティーを含むネットワークと、インターラクトすることができる。一つの例において、ＭＭＥ１３２０は、ネットワークの全体を通じてＵＥ１３１０の移動を追跡することができ、ＵＥ１３１０のためのページングを開始することができ、及び／又は、他の適したアクションを実行することができる。他の例において、ＧＷ１３３０は、ＵＥ１３１０と、ＵＥ１３１０が通信することができる１又は複数のデータ・ネットワークとの間の接続ポイント（connecting point）として動作することができる。加えて及び／又は代わりに、ＧＷ１３３０は、１又は複数のデータ・ネットワークとＵＥ１３１０との間でデータをルーティングすることができる。更なる例において、ｅＮＢ１３４０は、例えば、ＵＥ１３１０による伝送のために使用されるべき資源をスケジューリングすること、ＵＥ１３１０のための電力制御を実行すること、ＵＥ１３１０とネットワーク中の他のエンティティー（例えば、ＭＭＥ１３２０、ＧＷ１３３０など）との間のリエゾン（連絡、liaison）として動作すること、及び／又は、他の適したアクションを実行することによって、ＵＥ１３１０のための基本的な通信機能性を提供することができる。
【０１１９】
一つの態様に従って、ＳＯＮサーバ１３５０は、ダイアグラム１３００により示されるネットワークの中で自己最適化ネットワーク管理を実装するために利用されることができる。例えば、ＳＯＮサーバ１３５０は、ＵＥ１３１０により利用されるＳＯＮポリシーの全部又は一部を指定することができる（例えば、標準化されたイベント、イベントを記録するための技法、イベントをレポートするための技法、その他）。一つの例において、ＳＯＮサーバ１３５０は、ダイアグラム１３００により示されるネットワークの中のオペレーション及び管理（operations and management）（Ｏ＆Ｍ）システムと連携して実装されることができる。そのような例において、ＳＯＮベアラは、ＵＥと、オペレーション及び管理（Ｏ＆Ｍ）システムにおけるＳＯＮサーバとの間の論理インタフェースになることができる。他の例において、ＳＯＮサーバ１３５０は、ＳＯＮ能力を有する関連するネットワークにおけるＵＥ１３１０のリストを維持することができる。
【０１２０】
他の態様に従って、ＳＯＮサーバ１３５０は、最初の使用１３５２ａにおいてＳＯＮベアラ１３５２を介してＵＥ１３１０へ、ＵＥ１３１０のためのＳＯＮポリシーに関係する情報及び／又は他の情報をリレーすることができる。ダイアグラム１３００により示される例示的な実装では、最初の使用１３５２ａにおけるＳＯＮベアラ１３５２は、ＵＥ１３１０とＳＯＮサーバ１３５０との間の直接の論理インタフェースとして提供されることができる。一つの例において、ＳＯＮベアラ１３５２はまた、イベント・レポート及び／又は他の適した情報をＳＯＮサーバ１３５０へリレーするために、ＵＥ１３１０により利用されることができる。
【０１２１】
図１３はまた、最適化ネットワークの代わりの例示的な実装を示し、ＳＯＮベアラ１３５２が次の使用１３５２ｂにある場合について、ダイアグラム１３００により示される。一つの態様に従って、ＭＭＥ１３２０は、ＳＯＮサーバ１３５０からＳＯＮポリシー情報を得るために、任意の適した有線及び／又は無線通信方法によって、１５３２ｂを使用して、ＳＯＮサーバ１３５０と接続することができる。それは、その後、ＭＭＥ１３２０とＵＥ１３１０との間のＳＯＮベアラ１３５２を介してＵＥ１３１０へリレーされることができる。それに応答して、ＵＥ１３１０は、ＳＯＮベアラ１３５２を介してＭＭＥ１３２０へ、ＳＯＮポリシー及び／又は他の適した情報に従って記録されたイベントに関係する情報を提供することができる。そのような情報を受信すると、該情報は、ＭＭＥ１３２０によりＳＯＮサーバ１３５０へリレーされることができる。
【０１２２】
一つの態様に従って、ＳＯＮベアラ１３５２は、ＵＥ１３１０とＭＭＥ１３２０との間のノンアクセス・ストラタム（ＮＡＳ）シグナリングを使用して制御プレーン・ベースのベアラとして実装されることができる。一つの例において、制御プレーン・ベースのＳＯＮベアラ１３５２は、ネットワーク管理シグナリングのためのプロトコルを含むように、ダイアグラム１３００により示されるネットワークにより利用されるプロトコル・スタックを修正することによって、実装されることができる。この目的のために利用されることができるプロトコル・スタックの例は、図１４中の図１４００により示される。
【０１２３】
ダイアグラム１４００により示されるように、ネットワークにより利用されるプロトコル・スタックは、１又は複数のＮＡＳシグナリング・プロトコル１４０２及び／又は１又は複数のアクセス・ストラタム（ＡＳ）シグナリング・プロトコル１４０４を含むことができる。ＮＡＳシグナリング・プロトコル１４０２は、例えば、ＥＰＳ（発展型パケット・システム（Evolved Packet System））セッション管理（ＥＳＭ）プロトコル１４１４及び／又はＥＰＳモビリティ管理（ＥＭＭ）プロトコル１４２０を含むことができる。ＡＳシグナリング・プロトコル１４０４は、例えば、無線資源制御（ＲＲＣ）プロトコル１４３０、無線リンク制御（ＲＬＣ）プロトコル１４４０、メディア・アクセス制御（ＭＡＣ）プロトコル１４５０及び／又は物理レイヤ（ＰＨＹ）プロトコル１４６０を含むことができる。
【０１２４】
ダイアグラム１４００により更に説明されるように、プロトコル・スタックは、ＥＰＳネットワーク管理（ＥＮＭ）プロトコル１４１２を含むように拡張することができる。それは、ＵＥとＭＭＥとの間でＳＯＮ関係情報を交換するために利用されることができる（例えば、ＵＥ１３１０とＭＭＥ１３２０との間のＳＯＮベアラ１３５２を実装するために）。一つの例において、ＥＮＭプロトコル１４１２は、上位に存在し、ＥＳＭプロトコル１４１４と同様の方法でＥＭＭプロトコル１４２０の既存の機能を利用するように、定義されることができる。
【０１２５】
ダイアグラム１３００−１４００により示されるネットワーク実装に対する代わりの例として、ＳＯＮベアラは、ＵＥとパケット・データ・ネットワーク（ＰＤＮ）ＧＷとの間のユーザプレーン・ベースのベアラとして実装されることができる。これは、例えば、ＵＥとＳＯＮサーバとの間のインターラクションがＩＰアプリケーション機能とみなされるように、ＵＥとＰＤＮ ＧＷとの間でインターネット・プロトコル（ＩＰ）ベアラを利用することによって、実装されることができる。例えば、ＳＯＮベアラがＩＰベースのアプリケーションであることができる。一つの態様に従って、そのような実装におけるＰＤＮＧＷは、ＰＤＮ ＧＷに関連するローカル・エリアから離れる（leaves）ＵＥのためのＳＯＮ機能性を提供するために、１又は複数の他のＧＷノードと調和することができる。加えて及び／又は代わりに、１又は複数のセキュリティー対策は、ＰＤＮ ＧＷを介してＵＥとＳＯＮサーバとの間の通信をセキュアにするために、ＵＥとＳＯＮサーバとの間で実装されることができる。さらに、例えばオープン・モバイル・アライアンス（ＯＭＡ）デバイス管理（ＤＭ）スペシフィケイション及び／又は任意の他の適したスペシフィケイションなどのような、当該分野で一般に知られている１又は複数のスペシフィケイションは、ＵＥとＰＤＮ ＧＷ及び／又は他の適したネットワーク・エンティティーの間のユーザプレーン・ベアラをセットアップ及び／又は維持するために利用されることができる。
【０１２６】
図１５は、クレームされた主題に従った様々な手順を示す。説明を簡単にする目的で、手順が一連の動作として図示され説明されるが、クレームされた主題は、動作の順序により制限されるものではなく、幾つかの動作が、本明細書で図示され説明される順序とは異なる順序で及び／又は他の動作と同時に、発生しても良いことは、理解及び認識されるべきである。例えば、代わりに手順が一連の相互に関係のある状態又はイベントとして（例えば状態図において）表されることができることは、当業者が理解又は認識するであろう。さらに、クレームされた主題に従う手順を実装するために、必ずしも説明されたすべての動作が要求されなくても良い。さらに、以下でそしてこのスペシフィケイションを通して開示される手順が、そのような手順をコンピュータへトランスポート（transporting）又はトランスファー（transferring）するのを容易にするために製品（article of manufacture）の上に記憶することができることは更に認識されるべきである。本明細書で使用される用語「製品（article of manufacture）」は、任意のコンピュータ読み取り可能なデバイス、キャリア又は媒体からアクセスできるコンピュータ・プログラムを含むことを意図されている。
【０１２７】
図１５を参照して、システム１５００は、ＵＥ、第１のｅＮＢ及び任意の適切な数の更なるｅＮＢ又はＵＥを含んでも良い。さらに、システム１５００のオペレーションにおいて、ＵＥは、ネットワーク最適化で使用するために、通信イベントを検出、記録及びレポートしても良い。
【０１２８】
参照番号１５０２において、ＵＥは通信イベントを検出しても良い。一つの態様において、通信イベントは、ページ・レスポンスを含む。他の態様において、通信イベントは、リンク・アンバランスを含む。この態様において、検出することは以下を更に含む：タイムピリオドの間、増加を示す電力制御ビットを有する第１のリンクを識別すること、タイムピリオドの間、減少を示す電力制御ビットを有する第１のリンクを識別すること、上記タイムピリオドの間、第１のリンクの電力制御ビットと同一の又は類似するインジケーションを一貫して与えないチャネル品質インジケータ・ビットを有する第２のリンクを識別すること。他の態様において、通信イベントは、数ｄＢ内の相対的な信号強度をもつ２つのパイロットにより定義される、パイロット及びデータ・ポリューションのインスタンスを含む。この態様において、検出することは以下を更に含む：検出されたパイロットの数を閾値パイロット数と比較すること、及び、該検出されたパイロットの数が閾値パイロット数を超える場合に、パイロット及びデータ・ポリューションのインスタンスを示すこと、及び、パイロット及びデータ・ポリューションに関連する２つ以上のパイロットを識別すること。他の態様において、通信イベントは、セルエッジ・エクスペリエンスのインスタンスを含む。この態様において、検出することは以下を更に含む：ＵＥ受信信号を閾値受信信号と比較すること；及び、以下のうちの少なくとも一つが起こるとき、セルエッジ・エクスペリエンスのインスタンスを示すこと：時間ｔの間、ＵＥ受信信号が閾値受信信号より低い。他の態様において、通信イベントは、ハンドオーバー失敗、セル再選択失敗、セル・リダイレクション失敗又は圏外エクスペリエンスのインスタンスを含む。
【０１２９】
参照番号１５０４において、ＵＥは通信イベントの１又は複数のアスペクトを解析しても良い。一つの態様において、解析することは、パイロット及びデータ・ポリューションに関連する２つ以上のパイロットの強度を測定することを更に含む。
【０１３０】
参照番号１５０６において、ＵＥは、検出された通信イベントの１又は複数のアスペクトのうちの少なくとも一つを、ＵＥ上でログに記憶しても良い。一つの態様において、記憶することは、ページ・レスポンスのログを、それぞれタイムスタンプとともに、記憶することを更に含む。他の態様において、記憶することは、以下のうちの少なくとも一つを記憶することを更に含む：リンク・アンバランスの時刻、リンク・アンバランスに関連するセルＩＤ、受信電力レベル及びリンク・アンバランスの継続期間。他の態様において、記憶することは、以下のうちの少なくとも一つを記憶することを更に含む：パイロット及びデータ・ポリューションのインスタンスの時刻、セルＩＤ、パイロットＩＤ及び少なくとも一つのパイロットの強度。他の態様において、記憶することは、以下のうちの少なくとも一つを記憶することを更に含む：セルエッジ・エクスペリエンスの時刻、セルエッジ・エクスペリエンスに関連するセルＩＤ、セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報。他の態様において、記憶することは、以下のうちの少なくとも一つを記憶することを更に含む：通信イベントの時刻、通信イベントに関連するセルＩＤ、通信イベントに関連する通信モード、及びＵＥが通信イベントに関連するセルＩＤをもつセルの上でキャンプ（camps）する継続期間。
【０１３１】
図１６は、例示的な装置１６００の機能性を示す概念ブロック図である。図１６を参照して、システム１６００は、ＵＥ、第１のｅＮＢ及び任意の適切な数の更なるｅＮＢ又はＵＥを含み得る）を含んでも良い。さらに、システム１６００のオペレーションにおいて、ＵＥは、ネットワーク最適化で使用するために、通信イベントを検出、記録及びレポートしても良い。
【０１３２】
装置１６００は、通信イベントを検出し得るモジュール１６０２を含む。一つの態様において、通信イベントは、ページ・レスポンスを含む。他の態様において、通信イベントは、リンク・アンバランスを含む。この態様において、検出することは以下を更に含む：タイムピリオドの間、増加を示す電力制御ビットを有する第１のリンクを識別すること、タイムピリオドの間、減少を示す電力制御ビットを有する第１のリンクを識別すること、上記タイムピリオドの間、第１のリンクの電力制御ビットと同一の又は類似するインジケーションを一貫して与えないチャネル品質インジケータ・ビットを有する第２のリンクを識別すること。他の態様において、通信イベントは、数ｄＢ内の相対的な信号強度をもつ２つのパイロットにより定義される、パイロット及びデータ・ポリューションのインスタンスを含む。この態様において、検出することは以下を更に含む：検出されたパイロットの数を閾値パイロット数と比較すること、及び、該検出されたパイロットの数が閾値パイロット数を超える場合に、パイロット及びデータ・ポリューションのインスタンスを示すこと、及び、パイロット及びデータ・ポリューションに関連する２つ以上のパイロットを識別すること。他の態様において、通信イベントは、セルエッジ・エクスペリエンスのインスタンスを含む。この態様において、検出することは以下を更に含む：ＵＥ受信信号を閾値受信信号と比較すること；及び、以下のうちの少なくとも一つが起こるとき、セルエッジ・エクスペリエンスのインスタンスを示すこと：時間ｔの間、ＵＥ受信信号が閾値受信信号より低い。他の態様において、通信イベントは、ハンドオーバー失敗、セル再選択失敗、セル・リダイレクション失敗又は圏外エクスペリエンスのインスタンスを含む。
【０１３３】
装置１６００は、通信イベントの１又は複数のアスペクトを解析し得るモジュール１６０４を含む。一つの態様において、解析することは、パイロット及びデータ・ポリューションに関連する２つ以上のパイロットの強度を測定することを更に含む。
【０１３４】
装置１６００は、検出された通信イベントの１又は複数のアスペクトのうちの少なくとも一つを、ＵＥ上でログに記憶し得るモジュール１６０６を含む。一つの態様において、記憶することは、ページ・レスポンスのログを、それぞれタイムスタンプとともに、記憶することを更に含む。他の態様において、記憶することは、以下のうちの少なくとも一つを記憶することを更に含む：リンク・アンバランスの時刻、リンク・アンバランスに関連するセルＩＤ、受信電力レベル及びリンク・アンバランスの継続期間。他の態様において、記憶することは、以下のうちの少なくとも一つを記憶することを更に含む：パイロット及びデータ・ポリューションのインスタンスの時刻、セルＩＤ、パイロットＩＤ及び少なくとも一つのパイロットの強度。他の態様において、記憶することは、以下のうちの少なくとも一つを記憶することを更に含む：セルエッジ・エクスペリエンスの時刻、セルエッジ・エクスペリエンスに関連するセルＩＤ、セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報。他の態様において、記憶することは、以下のうちの少なくとも一つを記憶することを更に含む：通信イベントの時刻、通信イベントに関連するセルＩＤ、通信イベントに関連する通信モード、及びＵＥが通信イベントに関連するセルＩＤをもつセルの上でキャンプする継続期間。
【０１３５】
一つの構成において、無線通信のための装置１６００は、通信イベントを検出するための手段を含む。さらに、装置１６００は、検出された通信イベントの１又は複数のアスペクトを解析するための手段を含む。さらに、装置１６００は、通信イベントの１又は複数のアスペクトのうちの少なくとも一つを、ユーザ・ログ又は装置上に記憶する手段を含む。上記の手段は、上記の手段によりリサイト（recited）される機能を実行するように構成される処理システム１１４である。上で説明されたように、処理システム１１４は、ＴＸプロセッサ７６８、ＲＸプロセッサ７５６及びコントローラ／プロセッサ７５９を含む。それで、一つの構成において、上記の手段は、上記の手段によりリサイトされる機能を実行するように構成されるＴＸプロセッサ７６８、ＲＸプロセッサ７５６及びコントローラ／プロセッサ７５９であっても良い。
【０１３６】
図１７は、クレームされた主題に従った様々な手順を示す。説明を簡単にする目的で、手順が一連の動作として図示され説明されるが、クレームされた主題は、動作の順序により制限されるものではなく、幾つかの動作が、本明細書で図示され説明される順序とは異なる順序で及び／又は他の動作と同時に、発生しても良いことは、理解及び認識されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、クレームされた主題に従う手順を実装するために、必ずしも説明されたすべての動作が要求されなくても良い。さらに、以下でそしてこのスペシフィケイションを通して開示される手順が、そのような手順をコンピュータへトランスポート（transporting）又はトランスファー（transferring）するのを容易にするために製品（article of manufacture）の上に記憶することができることは更に認識されるべきである。本明細書で使用される用語「製品（article of manufacture）」は、任意のコンピュータ読み取り可能なデバイス、キャリア又は媒体からアクセスできるコンピュータ・プログラムを含むことを意図されている。
【０１３７】
図１７を参照して、システム１７００は、ＳＯＮサーバ、ＵＥ、第１のｅＮＢ及び任意の適切な数の更なるｅＮＢ又はＵＥを含んでも良い。さらに、システム１７００のオペレーションにおいて、ＳＯＮサーバは、ユーザ・ログの部分を受信し、そして、それらのログを比較しても良い。参照番号１７０２において、ＳＯＮサーバは、ＵＥからＵＥログの少なくとも一部を受信しても良い。参照番号１７０４で、ＳＯＮサーバは、ｅＮＢからｅＮＢログの少なくとも一部を受信しても良い。参照番号１７０６において、ＳＯＮサーバは、最適化基準を判定するために、ＵＥに記憶される少なくとも一つ以上の検出された通信イベントを、ｅＮＢに記憶される第２の検出された通信イベントの１又は複数のアスペクトのうちの少なくとも一つと比較しても良い。参照番号１７０８において、ＳＯＮサーバは、ネットワークを最適化するために、最適化基準を使用しても良い。
【０１３８】
他の態様において、検出された通信イベントは、ページ・レスポンスを含み、第２の検出された通信イベントは、失われたページを含む。さらにもう一つの態様において、受信することは、ＵＥログの少なくとも一部及びｅＮＢログの少なくとも一部を、周期的に受信することを更に含む。さらに他の態様は、以下のうちの少なくとも一つに応答して、ＵＥログの少なくとも一部及びｅＮＢがログの少なくとも一部を受信することを含む：ＳＯＮサーバからのリクエスト、セットされたタイムピリオドの経過、及びＵＥ及びｅＮＢのうちの一つにより開始されるレスポンス。
【０１３９】
一つの態様において、検出された通信イベント及び第２の検出された通信イベントのうちの少なくとも一つは、リンク・アンバランスを含む。ここで、アスペクトは、以下のうちの少なくとも一つを含む：リンク・アンバランスの時刻、リンク・アンバランスに関連するセルＩＤ、受信電力レベル及びリンク・アンバランスの継続期間。この態様において、検出された通信イベント及び第２の検出された通信イベントのうちの少なくとも一つは、タイムピリオドの間、絶えずパイロット閾値を上回るパイロット又はサウンディング信号を有する第１のリンクを識別することによって、検出される;そして、検出された通信イベント及び第２の検出された通信イベントのうちの少なくとも一つは、更に、上記タイムピリオドの間、上記第１のリンクの電力制御ビットと同じパイロット閾値に関して同一の又は類似する振る舞いを一貫して与えないパイロット又はサウンディング信号を有する第２のリンクを識別することによって、検出される。この態様において、検出された通信イベント及び第２の検出された通信イベントのうちの少なくとも一つは、タイムピリオドの間、絶えずパイロット閾値を下回るパイロット又はサウンディング信号を有する第１のリンクを識別することによって、検出されても良い;ここで、検出された通信イベント及び第２の検出された通信イベントのうちの少なくとも一つは、更に、上記タイムピリオドの間、上記第１のリンクの電力制御ビットと同じパイロット閾値に関して同一の又は類似する振る舞いを一貫して与えないパイロット又はサウンディング信号を有する第２のリンクを識別することによって、検出される。
【０１４０】
他の態様において、検出された通信イベント及び第２の検出された通信イベントのうちの少なくとも一つは、セルエッジ・エクスペリエンスのインスタンスを含む。ここで、アスペクトは、以下のうちの少なくとも一つを含む：セルエッジ・エクスペリエンスの時刻、セルエッジ・エクスペリエンスに関連するセルＩＤ、セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報。この態様において、検出された通信イベント及び第２の検出された通信イベントのうちの少なくとも一つは、以下を介して検出されても良い：ＵＥ受信信号を閾値受信信号と比較すること;及び、以下のうちの少なくとも一つが起こるとき、セルエッジ・エクスペリエンスのインスタンスを示すこと：時間ｔの間、ＵＥ受信信号が閾値受信信号より低い。
【０１４１】
他の態様において、検出された通信イベント及び第２の検出された通信イベントのうちの少なくとも一つは、以下のうちの少なくとも一つのインスタンスを含む：ハンドオーバー失敗、セル再選択失敗、セル・リダイレクション失敗、又は圏外エクスペリエンス。ここで、アスペクトは、以下のうちの少なくとも一つを含む：通信イベントの時刻、通信イベントに関連するセルＩＤ、通信イベントに関連する通信モード、及びＵＥが通信イベントに関連するセルＩＤをもつセルの上でキャンプする継続期間。この態様において、通信モードは、更に、アイドル状態（idle state）、トラフィック状態（traffic state）又は休止状態（dormant state）のうちの少なくとも一つを含んでも良い。
【０１４２】
図１８は、例示的な装置１８００の機能性を示す概念ロック図である。図１８を参照して、システム１８００は、ＳＯＮサーバ、ＵＥ、第１のｅＮＢ及び任意の適切な数の更なるｅＮＢ又はＵＥを含んでも良い。さらに、システム１８００のオペレーションにおいて、ＵＥは、ネットワーク最適化で使用するために、通信イベントを検出、記録及びレポートしても良い。さらに、システム１８００のオペレーションにおいて、ＳＯＮサーバは、ユーザ・ログの部分を受信し、そして、それらのログを比較しても良い。
【０１４３】
装置１８００は、ＵＥからＵＥログの少なくとも一部を受信し得るモジュール１８０２を含む。さらに、装置１８００は、ｅＮＢからｅＮＢログの少なくとも一部を受信し得るモジュール１８０４を含む。またさらに、装置１８００は、最適化基準を判定するために、ＵＥに記憶される少なくとも一つ以上の検出された通信イベントを、ｅＮＢに記憶される第２の検出された通信イベントの１又は複数のアスペクトのうちの少なくとも一つと比較し得るモジュール１８０６を含む。さらに、装置１８００は、ネットワークを最適化するために最適化基準を使用し得るモジュール１８０８を含む。
【０１４４】
他の態様において、検出された通信イベントは、ページ・レスポンスを含み、第２の検出された通信イベントは、失われたページを含む。さらにもう一つの態様において、受信することは、ＵＥログの少なくとも一部及びｅＮＢログの少なくとも一部を、周期的に受信することを更に含む。さらに他の態様は、以下のうちの少なくとも一つに応答して、ＵＥログの少なくとも一部及びｅＮＢがログの少なくとも一部を受信することを含む：ＳＯＮサーバからのリクエスト、セットされたタイムピリオドの経過、及びＵＥ及びｅＮＢのうちの一つにより開始されるレスポンス。
【０１４５】
一つの態様において、検出された通信イベント及び第２の検出された通信イベントのうちの少なくとも一つは、リンク・アンバランスを含む。ここで、アスペクトは、以下のうちの少なくとも一つを含む：リンク・アンバランスの時刻、リンク・アンバランスに関連するセルＩＤ、受信電力レベル及びリンク・アンバランスの継続期間。この態様において、検出された通信イベント及び第２の検出された通信イベントのうちの少なくとも一つは、タイムピリオドの間、絶えずパイロット閾値を上回るパイロット又はサウンディング信号を有する第１のリンクを識別することによって、検出される;そして、検出された通信イベント及び第２の検出された通信イベントのうちの少なくとも一つは、更に、上記タイムピリオドの間、第１のリンクの電力制御ビットと同じパイロット閾値に関して同一の又は類似する振る舞いを一貫して与えないパイロット又はサウンディング信号を有する第２のリンクを識別することによって、検出される。この態様において、検出された通信イベント及び第２の検出された通信イベントのうちの少なくとも一つは、タイムピリオドの間、絶えずパイロット閾値を下回るパイロット又はサウンディング信号を有する第１のリンクを識別することによって、検出されても良い;ここで、検出された通信イベント及び第２の検出された通信イベントのうちの少なくとも一つは、更に、上記タイムピリオドの間、第１のリンクの電力制御ビットと同じパイロット閾値に関して同一の又は類似する振る舞いを一貫して与えないパイロット又はサウンディング信号を有する第２のリンクを識別することによって、検出される。
【０１４６】
他の態様において、検出された通信イベント及び第２の検出された通信イベントのうちの少なくとも一つは、セルエッジ・エクスペリエンスのインスタンスを含む。ここで、アスペクトは、以下のうちの少なくとも一つを含む：セルエッジ・エクスペリエンスの時刻、セルエッジ・エクスペリエンスに関連するセルＩＤ、セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報。この態様において、検出された通信イベント及び第２の検出された通信イベントのうちの少なくとも一つは、以下を介して検出されても良い：ＵＥ受信信号を閾値受信信号と比較すること;及び、以下のうちの少なくとも一つが起こるとき、セルエッジ・エクスペリエンスのインスタンスを示すこと：時間ｔの間、ＵＥ受信信号が閾値受信信号より低い。
【０１４７】
他の態様において、検出された通信イベント及び第２の検出された通信イベントのうちの少なくとも一つは、以下のうちの少なくとも一つのインスタンスを含む：ハンドオーバー失敗、セル再選択失敗、セル・リダイレクション失敗、又は圏外エクスペリエンス。ここで、アスペクトは、以下のうちの少なくとも一つを含む：通信イベントの時刻、通信イベントに関連するセルＩＤ、通信イベントに関連する通信モード、及びＵＥが通信イベントに関連するセルＩＤをもつセルの上でキャンプする継続期間。この態様において、通信モードは、アイドル・モード又は接続モードのうちの少なくとも一つを更に含んでも良い。
【０１４８】
図１８を参照して、一つの構成において、無線通信のための装置１８００は、ＵＥからＵＥログの少なくとも一部を受信するための手段を含む。ここで、ＵＥログは、解析された検出された通信イベントの１又は複数のアスペクト及びＵＥ上に記憶される解析の結果を含む。一つの態様において、上記の手段は、上記の手段によりリサイトされる機能を実行するように構成された、ＳＯＮ最適化システム１０００における、プロセッサ１０３０である。
【０１４９】
開示されたプロセスにおけるステップの特定の順序又は階層（hierarchy）は、例示的なアプローチの説明であることは理解される。デザイン選択（design preferences）に基づいて、プロセスにおけるステップの特定の順序又は階層が、リアレンジされても良いことは理解される。添付の方法クレームは、例示的な順序における様々なステップの要素を提示するものであり、提示される特定の順序又は階層に制限されるべきでないことが意味される。
【０１５０】
前の説明は、いかなる当業者もここに記述された様々な態様を実施することを可能にするために与えらる。これらの態様に対する様々な修正は当業者には容易に明白になり、また、ここに定義された一般的な原理は、他の態様に対して適用されても良い。したがって、当該クレームがここに示された態様に限定されることを意味するものではなく、言語クレームに矛盾しない全範囲を与えられるものであり、ここで、単数で参照した要素は「１つ且つ１つだけ（one and only one）」を意味するものではなく、特にそのように述べたものでない限り、むしろ「１又は複数（one or more）」を意味するものである。明確に異なる記述がない限り、用語「幾つか（some）」は、１又は複数（one or more）を指す。当業者に知られているか又は後で知られるようになる、この開示の全体にわたって記述された様々な実施形態の要素に構造的及び機能的に等価なものは、すべて、参照によって明確にここに組み込まれ、当該クレームによって包含されるように意図される。さらに、ここに開示されたいずれも、そのような開示が当該クレームの中で明示的に記載されているかどうかに関係なく、公に対して捧げるようには意図されない。クレームの要素は、該要素が明確に「means for」なる句を用いて記載されていない限り、あるいは、方法クレームについては該要素が「step for」を用いて記載されていない限り、米国特許法第１１２条第６段落の条項の下で解釈されない。
【図１】
2014096823.tif 000003
【図２】
2014096823.tif 000004
【図３】
2014096823.tif 000005
【図４】
2014096823.tif 000006
【図５】
2014096823.tif 000007
【図６】
2014096823.tif 000008
【図７】
2014096823.tif 000009
【図８】
2014096823.tif 000010
【図９】
2014096823.tif 000011
【図１０】
2014096823.tif 000012
【図１１】
2014096823.tif 000013
【図１２】
2014096823.tif 000014
【図１３】
2014096823.tif 000015
【図１４】
2014096823.tif 000016
【図１５】
2014096823.tif 000017
【図１６】
2014096823.tif 000018
【図１７】
2014096823.tif 000019
【図１８】
2014096823.tif 000020
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
ネットワークにおける無線通信のための方法において、
ユーザ装置からユーザ装置ログの少なくとも一部を受信することと、ここで、該ユーザ装置ログは、該ユーザ装置上に記憶された検出された通信イベントの１又は複数のアスペクトを含む、
ｅＮＢからｅＮＢログの少なくとも一部を受信することと、ここで、該ｅＮＢログは、該ｅＮＢ上に記憶された第２の検出された通信イベントの１又は複数のアスペクトを含む、
最適化基準を判定するために、前記ユーザ装置上に記憶された検出された通信イベントの前記１又は複数のアスペクトのうちの少なくとも一つを、前記ｅＮＢ上に記憶された第２の検出された通信イベントの前記１又は複数のアスペクトのうちの少なくとも一つと比較することと、
前記ネットワークを最適化するために最適化基準を使用することを含む方法。
【請求項２】
前記検出された通信イベントは、ページ・レスポンスを含み、
前記第２の検出された通信イベントは、失われたページを含む請求項１の方法。
【請求項３】
前記受信することは、周期的にユーザ装置ログの少なくとも一部及びｅＮＢログの少なくとも一部を受信することを更に含む請求項１の方法。
【請求項４】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む請求項１の方法。
【請求項５】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項１の方法。
【請求項６】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項５の方法。
【請求項７】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項５の方法。
【請求項８】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項１方法。
【請求項９】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、
検出される請求項８の方法。
【請求項１０】
前記検出された通信イベント及び前記第２の検出された通信イベントのうちの前記少なくとも一つは、前記パイロット及びデータ・ポリューションに関連する２つ以上のパイロットを識別することを介して、検出される請求項９の方法。
【請求項１１】
前記アスペクトは、前記パイロット及びデータ・ポリューションに関連する２つ以上のパイロットの前記信号強度のメジャーメントを含む請求項１０の方法。
【請求項１２】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項１の方法。
【請求項１３】
前記検出することは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを含む請求項１２の方法。
【請求項１４】
前記検出することは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを更に含む請求項１２の方法。
【請求項１５】
前記検出することは、
ユーザ装置の受信信号を閾値受信信号と比較することと、
多数のＣＲＣ失敗が存在する場合に、セルエッジ・エクスペリエンスのインスタンスを示すことを更に含む請求項１２の方法。
【請求項１６】
前記通信イベントは、ハンドオーバー失敗のインスタンスを含み、
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む請求項１の方法。
【請求項１７】
前記通信イベントは、セル再選択失敗のインスタンスを含み、
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶することを更に含む請求項１の方法。
【請求項１８】
前記通信イベントは、セル・リダイレクション失敗のインスタンスを含み、
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む請求項１の方法。
【請求項１９】
前記通信イベントは、圏外エクスペリエンスのインスタンスを含み、
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む請求項１の方法。
【請求項２０】
前記通信モードは、アイドル・モード又は接続モードのうちの少なくとも一つを更に含む請求項１６の方法。
【請求項２１】
無線通信のための装置において、
ユーザ装置からユーザ装置ログの少なくとも一部を受信するための手段と、ここで、該ユーザ装置ログは、該ユーザ装置上に記憶された検出された通信イベントの１又は複数のアスペクトを含む、
ｅＮＢからｅＮＢログの少なくとも一部を受信するための手段と、ここで、該ｅＮＢログは、該ｅＮＢ上に記憶された第２の検出された通信イベントの１又は複数のアスペクトを含む、
最適化基準を判定するために、前記ユーザ装置上に記憶された検出された通信イベントの前記１又は複数のアスペクトのうちの少なくとも一つを、前記ｅＮＢ上に記憶された第２の検出された通信イベントの前記１又は複数のアスペクトのうちの少なくとも一つと比較するための手段と、
ネットワークを最適化するために最適化基準を使用するための手段とを含む装置。
【請求項２２】
前記検出された通信イベントは、ページ・レスポンスを含み、
前記第２の検出された通信イベントは、失われたページを含む請求項２１の装置。
【請求項２３】
前記受信するための手段は、周期的にユーザ装置ログの少なくとも一部及びｅＮＢログの少なくとも一部を受信するための手段を更に含む請求項２１の装置。
【請求項２４】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するための手段を更に含む請求項２１の装置。
【請求項２５】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項２１の装置。
【請求項２６】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項２５の装置。
【請求項２７】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項２５の装置。
【請求項２８】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項２１の装置。
【請求項２９】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、
検出される請求項２８の装置。
【請求項３０】
前記検出された通信イベント及び前記第２の検出された通信イベントのうちの前記少なくとも一つは、前記パイロット及びデータ・ポリューションに関連する２つ以上のパイロットを識別することを介して、検出される請求項２９の装置。
【請求項３１】
前記アスペクトは、パイロット及びデータ・ポリューションに関連する２つ以上のパイロットの前記強度のメジャーメントを含む請求項３０の装置。
【請求項３２】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項２１の装置。
【請求項３３】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、
検出される請求項３２の装置。
【請求項３４】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、
検出される請求項３２の装置。
【請求項３５】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、
検出される請求項３２の装置。
【請求項３６】
前記通信イベントは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項２１の装置。
【請求項３７】
前記通信イベントは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項２１の装置。
【請求項３８】
前記通信イベントは、セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む請求項２１の装置。
【請求項３９】
前記通信イベントは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項２１の装置。
【請求項４０】
前記通信モードは、アイドル・モード又は接続モードのうちの少なくとも一つを更に含む請求項３６の装置。
【請求項４１】
コンピュータ・プログラムを記憶したコンピュータ読み取り可能な記憶媒体において、前記コンピュータ・プログラムは、
コンピュータに、ユーザ装置からユーザ装置ログの少なくとも一部を受信させるためのコードと、ここで、該ユーザ装置ログは、該ユーザ装置上に記憶された検出された通信イベントの１又は複数のアスペクトを含む、
前記コンピュータに、ｅＮＢからｅＮＢログの少なくとも一部を受信させるためのコードと、ここで、該ｅＮＢログは、該ｅＮＢ上に記憶された第２の検出された通信イベントの１又は複数のアスペクトを含む、
前記コンピュータに、最適化基準を判定するために、前記ユーザ装置上に記憶された検出された通信イベントの前記１又は複数のアスペクトのうちの少なくとも一つを、前記ｅＮＢ上に記憶された第２の検出された通信イベントの前記１又は複数のアスペクトのうちの少なくとも一つと比較させるためのコードと、
前記コンピュータに、ネットワークを最適化するために最適化基準を使用させるためのコードを含むコンピュータ読み取り可能な媒体を含むコンピュータ読み取り可能な記憶媒体。
【請求項４２】
前記検出された通信イベントは、ページ・レスポンスを含み、
前記第２の検出された通信イベントは、失われたページを含む請求項４１のコンピュータ読み取り可能な記憶媒体。
【請求項４３】
前記コンピュータに前記受信させるためのコードは、前記コンピュータに周期的にユーザ装置ログの少なくとも一部及びｅＮＢログの少なくとも一部を受信させるためのコードを含む請求項４１のコンピュータ読み取り可能な記憶媒体。
【請求項４４】
ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む請求項４１のコンピュータ読み取り可能な記憶媒体。
【請求項４５】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項４１のコンピュータ読み取り可能な記憶媒体。
【請求項４６】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項４５のコンピュータ読み取り可能な記憶媒体。
【請求項４７】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項４５のコンピュータ読み取り可能な記憶媒体。
【請求項４８】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項４１のコンピュータ読み取り可能な記憶媒体。
【請求項４９】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、
検出される請求項４８のコンピュータ読み取り可能な記憶媒体。
【請求項５０】
前記検出された通信イベント及び前記第２の検出された通信イベントのうちの前記少なくとも一つは、前記パイロット及びデータ・ポリューションに関連する２つ以上のパイロットを識別することを介して、検出される請求項４９のコンピュータ読み取り可能な記憶媒体。
【請求項５１】
前記アスペクトは、パイロット及びデータ・ポリューションに関連する２つ以上のパイロットの前記強度のメジャーメントを含む請求項５０のコンピュータ読み取り可能な記憶媒体。
【請求項５２】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項４１のコンピュータ読み取り可能な記憶媒体。
【請求項５３】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、
検出される請求項５２のコンピュータ読み取り可能な記憶媒体。
【請求項５４】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、
検出される請求項５２のコンピュータ読み取り可能な記憶媒体。
【請求項５５】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、
検出される請求項５２のコンピュータ読み取り可能な記憶媒体。
【請求項５６】
前記検出された通信イベント及び前記第２の検出された通信イベントのうちの少なくとも一つは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項４１のコンピュータ読み取り可能な記憶媒体。
【請求項５７】
前記検出された通信イベント及び前記第２の検出された通信イベントのうちの少なくとも一つは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項４１のコンピュータ読み取り可能な記憶媒体。
【請求項５８】
前記検出された通信イベント及び前記第２の検出された通信イベントのうちの少なくとも一つは、前記セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む請求項４１のコンピュータ読み取り可能な記憶媒体。
【請求項５９】
前記検出された通信イベント及び前記第２の検出された通信イベントのうちの少なくとも一つは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項４１のコンピュータ読み取り可能な記憶媒体。
【請求項６０】
前記通信モードは、アイドル・モード又は接続モードのうちの少なくとも一つを更に含む請求項５６のコンピュータ読み取り可能な記憶媒体。
【請求項６１】
無線通信のための装置において、
少なくとも一つのプロセッサと、
前記少なくとも一つのプロセッサに接続されたメモリとを含み、
前記少なくとも一つのプロセッサは、
ユーザ装置からユーザ装置ログの少なくとも一部を受信することと、ここで、前記少なくとも一つのプロセッサは、ユーザ装置ログが、該ユーザ装置上に記憶された検出された通信イベントの１又は複数のアスペクトを含むように構成される、
ｅＮＢからｅＮＢログの少なくとも一部を受信することと、ここで、ｅＮＢログは、ｅＮＢ上に記憶された第２の検出された通信イベントの１又は複数のアスペクトを含む、
最適化基準を判定するために、前記検出された通信イベントの前記１又は複数のアスペクトを、前記第２の検出された通信イベントの前記１又は複数のアスペクトと比較することと、
最適化基準を使用して、無線通信のためのネットワークを最適化するように構成される装置。
【請求項６２】
前記少なくとも一つのプロセッサは、前記検出された通信イベントが、ページ・レスポンスを含み、前記第２の検出された通信イベントが、失われたページを含むように構成される請求項６１の装置。
【請求項６３】
前記少なくとも一つのプロセッサは、周期的にユーザ装置ログの少なくとも一部及びｅＮＢログの少なくとも一部を受信するように更に構成される請求項６１の装置。
【請求項６４】
前記少なくとも一つのプロセッサは、ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するように更に構成される請求項６１の装置。
【請求項６５】
前記検出された通信イベント及び前記第２の検出された通信イベントのうちの少なくとも一つは、リンク・アンバランスを含み、
前記アスペクトは、前記リンク・アンバランスの時刻、前記リンク・アンバランスに関連するセルＩＤ、受信電力レベル及び前記リンク・アンバランスの継続期間のうちの少なくとも一つを含む請求項６１の装置。
【請求項６６】
前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項６５の装置。
【請求項６７】
前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される請求項６５の装置。
【請求項６８】
前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、
前記アスペクトは、前記パイロット及びデータ・ポリューションのインスタンスの時刻、セルＩＤ、パイロットＩＤ及び少なくとも一つのパイロットの強度のうちの少なくとも一つを含む請求項６１の装置。
【請求項６９】
前記検出された通信イベント及び前記第２の検出された通信イベントのうちの少なくとも一つは、
検出されたパイロットの数を閾値パイロット数と比較することと、
前記検出されたパイロットの数が閾値数を超える場合にパイロット及びデータ・ポリューションのインスタンスを示すことを介して、
検出される請求項６８の装置。
【請求項７０】
前記検出された通信イベント及び前記第２の検出された通信イベントのうちの前記少なくとも一つは、前記パイロット及びデータ・ポリューションに関連する２つ以上のパイロットを識別することを介して、検出される請求項６９の装置。
【請求項７１】
前記アスペクトは、パイロット及びデータ・ポリューションに関連する２つ以上のパイロットの前記強度のメジャーメントを含む請求項７０の装置。
【請求項７２】
前記検出された通信イベント及び前記第２の検出された通信イベントのうちの少なくとも一つは、セルエッジ・エクスペリエンスのインスタンスを含み、
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む請求項６１の装置。
【請求項７３】
前記検出された通信イベント及び前記第２の検出された通信イベントのうちの少なくとも一つは、
ユーザ装置の受信信号を閾値受信信号と比較することと、
時間ｔの間又はより長い間、前記ユーザ装置の受信信号が、前記閾値受信信号より低い場合に、セルエッジ・エクスペリエンスのインスタンスを示すことを介して、
検出される請求項７２の装置。
【請求項７４】
前記検出された通信イベント及び前記第２の検出された通信イベントのうちの少なくとも一つは、
ユーザ装置の受信信号を閾値受信信号と比較することと、
サポートされるデータレートにおいて、非常に低いデータレートへの低下が存在する場合に、セルエッジ・エクスペリエンスのインスタンスを示すことを介して、
検出される請求項７２の装置。
【請求項７５】
前記検出された通信イベント及び前記第２の検出された通信イベントのうちの少なくとも一つは、
ユーザ装置の受信信号を閾値受信信号と比較することと、
多数のＣＲＣ失敗が存在する場合に、セルエッジ・エクスペリエンスのインスタンスを示すことを介して、
検出される請求項７２の装置。
【請求項７６】
前記検出された通信イベント及び前記第２の検出された通信イベントのうちの少なくとも一つは、ハンドオーバー失敗のインスタンスを含み、
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む請求項６１の装置。
【請求項７７】
前記検出された通信イベント及び前記第２の検出された通信イベントのうちの少なくとも一つは、セル再選択失敗のインスタンスを含み、
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む請求項６１の装置。
【請求項７８】
前記検出された通信イベント及び前記第２の検出された通信イベントのうちの少なくとも一つは、セル・リダイレクション失敗のインスタンスを含み、
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期のうちの少なくとも一つを含む請求項６１の装置。
【請求項７９】
前記検出された通信イベント及び前記第２の検出された通信イベントのうちの少なくとも一つは、圏外エクスペリエンスのインスタンスを含み、
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む請求項６１の装置。
【請求項８０】
前記少なくとも一つのプロセッサは、前記通信モードが、アイドル・モード又は接続モードのうちの少なくとも一つを更に含むように更に構成される請求項７６の装置。
【手続補正２】
【補正対象書類名】明細書
【補正対象項目名】０１５０
【補正方法】変更
【補正の内容】
【０１５０】
前の説明は、いかなる当業者もここに記述された様々な態様を実施することを可能にするために与えらる。これらの態様に対する様々な修正は当業者には容易に明白になり、また、ここに定義された一般的な原理は、他の態様に対して適用されても良い。したがって、当該クレームがここに示された態様に限定されることを意味するものではなく、言語クレームに矛盾しない全範囲を与えられるものであり、ここで、単数で参照した要素は「１つ且つ１つだけ（one and only one）」を意味するものではなく、特にそのように述べたものでない限り、むしろ「１又は複数（one or more）」を意味するものである。明確に異なる記述がない限り、用語「幾つか（some）」は、１又は複数（one or more）を指す。当業者に知られているか又は後で知られるようになる、この開示の全体にわたって記述された様々な実施形態の要素に構造的及び機能的に等価なものは、すべて、参照によって明確にここに組み込まれ、当該クレームによって包含されるように意図される。さらに、ここに開示されたいずれも、そのような開示が当該クレームの中で明示的に記載されているかどうかに関係なく、公に対して捧げるようには意図されない。クレームの要素は、該要素が明確に「means for」なる句を用いて記載されていない限り、あるいは、方法クレームについては該要素が「step for」を用いて記載されていない限り、米国特許法第１１２条第６段落の条項の下で解釈されない。 
以下に、本願出願の当初の特許請求の範囲に記載された各請求項に対応する発明を付記する。 
［１］無線通信のための方法において、 
通信イベントを検出することと、 
前記検出された通信イベントの１又は複数のアスペクトを解析することと、 
前記検出された通信イベントの前記１又は複数のアスペクトのうちの少なくとも一つを、ユーザ装置上でログに記憶することを含む方法。 
［２］前記ログの少なくとも一部をレポートすることを更に含む［１］の方法。 
［３］前記通信イベントは、ページ・レスポンスを含み、 
前記記憶することは、前記ページ・レスポンスをタイムスタンプとともに前記ログに記憶することを更に含む［１］の方法。 
［４］前記レポートすることは、周期的に前記ログをレポートすることを更に含む［２］の方法。 
［５］前記レポートすることは、ＳＯＮサーバからのリクエストに応答して、前記ログの前記少なくとも一部をレポートすることを更に含む［２］の方法。 
［６］前記レポートすることは、制御プレーン・ベアラを使用してなされる［２］の方法。 
［７］前記レポートすることは、ユーザプレーン・ベアラを使用してなされる［２］の方法。 
［８］前記通信イベントは、リンク・アンバランスを含み、 
前記記憶することは、前記リンク・アンバランスの時刻、前記リンク・アンバランスに関連するセルＩＤ、受信電力レベル及び前記リンク・アンバランスの継続期間のうちの少なくとも一つを記憶することを更に含む［１］の方法。 
［９］前記検出することは、 
タイムピリオドの間、増加を示す電力制御ビットを有する第１のリンクを識別することと、 
前記タイムピリオドの間、前記第１のリンクの前記電力制御ビットと同一の又は類似するインジケーションを一貫して与えないチャネル品質インジケータ・ビットを有する第２のリンクを識別することを更に含む［８］の方法。 
［１０］前記検出することは、 
タイムピリオドの間、減少を示す電力制御ビットを有する第１のリンクを識別することと、
前記タイムピリオドの間、前記第１のリンクの前記電力制御ビットと同一の又は類似するインジケーションを一貫して与えないチャネル品質インジケータ・ビットを有する第２のリンクを識別することを更に含む［８］の方法。 
［１１］前記通信イベントは、数ｄＢ内の相対的な信号強度をもつ２つのパイロットにより定義される、パイロット及びデータ・ポリューションのインスタンスを含み、 
前記記憶することは、更に、前記パイロット及びデータ・ポリューションのインスタンスの時刻、セルＩＤ、パイロットＩＤ及び少なくとも２つのパイロットの強度のうちの少なくとも一つを記憶することを含む［１］の方法。 
［１２］前記検出することは、 
検出されたパイロットの数を閾値パイロット数と比較することと、 
前記検出されたパイロットの数が閾値数を超える場合にパイロット及びデータ・ポリューションのインスタンスを示すことを更に含む［１１］の方法。 
［１３］前記検出することは、前記パイロット及びデータ・ポリューションに関連する２つ以上のパイロットを識別することを更に含む［１］の方法。 
［１４］前記解析することは、前記パイロット及びデータ・ポリューションに関連する２つ以上のパイロットの前記強度を測定することを更に含む［１１］の方法。 
［１５］前記通信イベントは、セルエッジ・エクスペリエンスのインスタンスを含み、 
前記記憶することは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む［１］の方法。 
［１６］前記検出することは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを含む［１５］の方法。 
［１７］前記検出することは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを更に含む［１５］の方法。 
［１８］前記検出することは、 
ユーザ装置の受信信号を閾値受信信号と比較することと、 
多数のＣＲＣ失敗が存在する場合に、セルエッジ・エクスペリエンスのインスタンスを示すことを更に含む［１５］の方法。 
［１９］前記通信イベントは、ハンドオーバー失敗のインスタンスを含み、 
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む［１］の方法。 
［２０］前記通信イベントは、セル再選択失敗のインスタンスを含み、 
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間の少なくとも一つを記憶することを更に含む［１］の方法。 
［２１］前記通信イベントは、セル・リダイレクション失敗のインスタンスを含み、 
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む［１］の方法。 
［２２］前記通信イベントは、圏外エクスペリエンスのインスタンスを含み、 
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む［１］の方法。 
［２３］前記通信モードは、アイドル・モード又は接続モードのうちの少なくとも一つを更に含む［１９］の方法。 
［２４］無線通信のための装置において、 
通信イベントを検出するための手段と、 
前記検出された通信イベントの１又は複数のアスペクトを解析するための手段と、 
前記検出された通信イベントの前記１又は複数のアスペクトのうちの少なくとも一つを、ユーザ装置上でログに記憶するための手段とを含む装置。 
［２５］前記ログの少なくとも一部をレポートするための手段を更に含む［２４］の装置。 
［２６］前記通信イベントは、ページ・レスポンスを含み、 
前記記憶することは、前記ページ・レスポンスをタイムスタンプとともに前記ログに記憶することを更に含む［２４］の装置。 
［２７］前記レポートするための手段は、周期的にログをレポートするための手段を更に含む［２５］の装置。 
［２８］前記レポートするための手段は、ＳＯＮサーバからのリクエストに応答して、前記ログの前記少なくとも一部をレポートすることを更に含む［２６］の装置。 
［２９］前記通信イベントは、リンク・アンバランスを含み、 
前記記憶するための手段は、前記リンク・アンバランスの時刻、前記リンク・アンバランスに関連するセルＩＤ、受信電力レベル及び前記リンク・アンバランスの継続期間のうちの少なくとも一つを記憶することを更に含む［２４］の装置。 
［３０］前記検出するための手段は、 
タイムピリオドの間、増加を示す電力制御ビットを有する第１のリンクを識別するための手段と、 
前記タイムピリオドの間、前記第１のリンクの前記電力制御ビットと同一の又は類似するインジケーションを一貫して与えないチャネル品質インジケータ・ビットを有する第２のリンクを識別するための手段とを更に含む［２９］の装置。 
［３１］前記検出するための手段は、 
タイムピリオドの間、減少を示す電力制御ビットを有する第１のリンクを識別するための手段と、 
前記タイムピリオドの間、前記第１のリンクの前記電力制御ビットと同一の又は類似するインジケーションを一貫して与えないチャネル品質インジケータ・ビットを有する第２のリンクを識別するための手段とを更に含む［２９］の装置。 
［３２］前記通信イベントは、数ｄＢ内の相対的な信号強度をもつ２つのパイロットにより定義される、パイロット及びデータ・ポリューションのインスタンスを含み、 
前記記憶するための手段は、前記パイロット及びデータ・ポリューションのインスタンスの時刻、セルＩＤ、パイロットＩＤ及び少なくとも２つのパイロットの強度のうちの少なくとも一つを記憶することを更に含む［２４］の装置。 
［３３］前記検出するための手段は、 
検出されたパイロットの数を閾値パイロット数と比較することと、 
前記検出されたパイロットの数が閾値数を超える場合にパイロット及びデータ・ポリューションのインスタンスを示すことを更に含む［３２］の装置。 
［３４］前記検出するための手段は、パイロット及びデータ・ポリューションに関連する２つ以上のパイロットを識別するための手段を更に含む［３３］の装置。 
［３５］前記解析することは、パイロット及びデータ・ポリューションに関連する２つ以上のパイロットの前記強度を測定することを更に含む［３４］の装置。 
［３６］前記通信イベントは、セルエッジ・エクスペリエンスのインスタンスを含み、 
前記記憶するための手段は、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む［２４］の装置。 
［３７］前記検出するための手段は、 
ユーザ装置の受信信号を閾値受信信号と比較するための手段と、 
時間ｔの間、前記ユーザ装置の受信信号が、前記閾値受信信号より低い、サポートされるデータレートにおいて、非常に低いデータレートへの低下が存在する、及び、多数のＣＲＣ失敗が存在する、のうちの少なくとも一つが起こる場合に、セルエッジ・エクスペリエンスのインスタンスを示すための手段とを更に含む［３６］の装置。 
［３８］前記通信イベントは、ハンドオーバー失敗、セル再選択失敗、セル・リダイレクション失敗、又は圏外エクスペリエンスのうちの少なくとも一つのインスタンスを含み、 
前記記憶するための手段は、通信イベントの時刻、通信イベントに関連するセルＩＤ、通信イベントに関連する通信モード、及びユーザ装置が通信イベントに関連するセルＩＤをもつセルの上でキャンプする継続期間のうちの少なくとも一つを記憶することを更に含む［２４］の装置。 
［３９］前記通信モードは、アイドル・モード又は接続モードのうちの少なくとも一つを更に含む［３８］の装置。 
［４０］コンピュータ・プログラム製品において、 
通信イベントを検出し、 
前記検出された通信イベントの１又は複数のアスペクトを解析し、 
前記検出された通信イベントの前記１又は複数のアスペクトのうちの少なくとも一つを、ユーザ装置上でログに記憶するためのコードを含むコンピュータ読み取り可能な媒体を含むコンピュータ・プログラム製品。 
［４１］前記ログの少なくとも一部をレポートすることを更に含む［４０］のコンピュータ・プログラム製品。 
［４２］前記通信イベントは、ページ・レスポンスを含み、 
前記記憶することは、前記ページ・レスポンスをタイムスタンプとともに前記ログに記憶することを更に含む［４０］のコンピュータ・プログラム製品。 
［４３］前記レポートすることは、周期的に前記ログをレポートすることを更に含む［４１］のコンピュータ・プログラム製品。 
［４４］前記レポートすることは、ＳＯＮサーバからのリクエストに応答して、前記ログの前記少なくとも一部をレポートすることを更に含む［４１］のコンピュータ・プログラム製品。 
［４５］前記レポートすることは、制御プレーン・ベアラを使用してなされる［４１］のコンピュータ・プログラム製品。 
［４６］前記レポートすることは、ユーザプレーン・ベアラを使用してなされる［４１］のコンピュータ・プログラム製品。 
［４７］前記通信イベントは、リンク・アンバランスを含み、 
前記記憶することは、前記リンク・アンバランスの時刻、前記リンク・アンバランスに関連するセルＩＤ、受信電力レベル及び前記リンク・アンバランスの継続期間のうちの少なくとも一つを記憶することを更に含む［４０］のコンピュータ・プログラム製品。 
［４８］前記検出することは、 
タイムピリオドの間、増加を示す電力制御ビットを有する第１のリンクを識別することと、 
前記タイムピリオドの間、前記第１のリンクの前記電力制御ビットと同一の又は類似するインジケーションを一貫して与えないチャネル品質インジケータ・ビットを有する第２のリンクを識別することを更に含む［４７］のコンピュータ・プログラム製品。 
［４９］前記検出することは、 
タイムピリオドの間、減少を示す電力制御ビットを有する第１のリンクを識別することと、 
前記タイムピリオドの間、前記第１のリンクの前記電力制御ビットと同一の又は類似するインジケーションを一貫して与えないチャネル品質インジケータ・ビットを有する第２のリンクを識別することを更に含む［４７］のコンピュータ・プログラム製品。 
［５０］前記通信イベントは、数ｄＢ内の相対的な信号強度をもつ２つのパイロットにより定義される、パイロット及びデータ・ポリューションのインスタンスを含み、 
前記記憶することは、前記パイロット及びデータ・ポリューションのインスタンスの時刻、セルＩＤ、パイロットＩＤ及び少なくとも２つのパイロットの強度のうちの少なくとも一つを記憶することを更に含む［４０］のコンピュータ・プログラム製品。 
［５１］前記検出することは、 
検出されたパイロットの数を閾値パイロット数と比較することと、 
前記検出されたパイロットの数が閾値数を超える場合にパイロット及びデータ・ポリューションのインスタンスを示すことを更に含む［５０］のコンピュータ・プログラム製品。 
［５２］前記検出することは、前記パイロット及びデータ・ポリューションに関連する２つ以上のパイロットを識別することを更に含む［５１］のコンピュータ・プログラム製品。 
［５３］前記１又は複数の測定を実行することは、パイロット及びデータ・ポリューションに関連する２つ以上のパイロットの前記強度を測定することを更に含む［５２］のコンピュータ・プログラム製品。 
［５４］前記通信イベントは、セルエッジ・エクスペリエンスのインスタンスを含み、 
前記記憶することは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶することを更に含む［４０］のコンピュータ・プログラム製品。 
［５５］前記検出することは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを含む［５４］のコンピュータ・プログラム製品。 
［５６］前記検出することは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを更に含む［５４］のコンピュータ・プログラム製品。 
［５７］前記検出することは、 
ユーザ装置の受信信号を閾値受信信号と比較することと、 
多数のＣＲＣ失敗が存在する場合に、セルエッジ・エクスペリエンスのインスタンスを示すことを更に含む［５４］のコンピュータ・プログラム製品。 
［５８］前記通信イベントは、ハンドオーバー失敗のインスタンスを含み、 
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む［４０］のコンピュータ・プログラム製品。 
［５９］前記通信イベントは、セル再選択失敗のインスタンスを含み、 
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶することを更に含む［４０］のコンピュータ・プログラム製品。 
［６０］前記通信イベントは、セル・リダイレクション失敗のインスタンスを含み、 
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む［４０］のコンピュータ・プログラム製品。 
［６１］前記通信イベントは、圏外エクスペリエンスのインスタンスを含み、 
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む［４０］のコンピュータ・プログラム製品。 
［６２］前記通信モードは、アイドル・モード又は接続モードのうちの少なくとも一つを更に含む［５８］のコンピュータ・プログラム製品。 
［６３］無線通信のための装置において、 
少なくとも一つのプロセッサと、 
前記少なくとも一つのプロセッサに接続されたメモリとを含み、 
前記少なくとも一つのプロセッサは、 
通信イベントを検出し、 
前記検出された通信イベントの１又は複数のアスペクトを解析し、 
前記検出された通信イベントの前記１又は複数のアスペクトのうちの少なくとも一つを、ユーザ装置上でログに記憶するように構成される装置。 
［６４］前記少なくとも一つのプロセッサは、前記ログの少なくとも一部をレポートするように更に構成される［６３］の装置。 
［６５］前記通信イベントは、ページ・レスポンスを含み、 
前記少なくとも一つのプロセッサは、前記ページ・レスポンスをタイムスタンプとともに前記ログに記憶するように更に構成される［６３］の装置。 
［６６］前記少なくとも一つのプロセッサは、周期的に前記ログをレポートするように更に構成される［６４］の装置。 
［６７］前記少なくとも一つのプロセッサは、ＳＯＮサーバからのリクエストに応答して、前記ログの前記少なくとも一部をレポートするように更に構成される［６４］の装置。 
［６８］前記通信イベントは、リンク・アンバランスを含み、 
前記少なくとも一つのプロセッサは、前記リンク・アンバランスの時刻、前記リンク・アンバランスに関連するセルＩＤ、受信電力レベル及び前記リンク・アンバランスの継続期間のうちの少なくとも一つを記憶するように更に構成される［６３］の装置。 
［６９］前記少なくとも一つのプロセッサは、 
タイムピリオドの間、増加を示す電力制御ビットを有する第１のリンクを識別し、 
前記タイムピリオドの間、前記第１のリンクの前記電力制御ビットと同一の又は類似するインジケーションを一貫して与えないチャネル品質インジケータ・ビットを有する第２のリンクを識別するように更に構成される［６８］の装置。 
［７０］前記少なくとも一つのプロセッサは、 
タイムピリオドの間、減少を示す電力制御ビットを有する第１のリンクを識別し、 
前記タイムピリオドの間、前記第１のリンクの前記電力制御ビットと同一の又は類似するインジケーションを一貫して与えないチャネル品質インジケータ・ビットを有する第２のリンクを識別するように更に構成される［６５］の装置。 
［７１］前記通信イベントは、数ｄＢ内の相対的な信号強度をもつ２つのパイロットにより定義される、パイロット及びデータ・ポリューションのインスタンスを含み、 
前記少なくとも一つのプロセッサは、前記パイロット及びデータ・ポリューションのインスタンスの時刻、セルＩＤ、パイロットＩＤ及び少なくとも２つのパイロットの強度のうちの少なくとも一つを記憶するように更に構成される［６３］の装置。 
［７２］前記少なくとも一つのプロセッサは、 
検出されたパイロットの数を閾値パイロット数と比較し、 
前記検出されたパイロットの数が閾値数を超える場合にパイロット及びデータ・ポリューションのインスタンスを示すように更に構成される［７１］の装置。 
［７３］前記少なくとも一つのプロセッサは、前記パイロット及びデータ・ポリューションに関連する２つ以上のパイロットを識別するように更に構成される［７２］の装置。 
［７４］前記少なくとも一つのプロセッサは、パイロット及びデータ・ポリューションに関連する２つ以上のパイロットの前記強度の測定を実行するように更に構成される［７３］の装置。 
［７５］前記通信イベントは、セルエッジ・エクスペリエンスのインスタンスを含み、 
前記少なくとも一つのプロセッサは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを記憶するように更に構成される［６３］の装置。 
［７６］前記少なくとも一つのプロセッサは、 
ユーザ装置の受信信号を閾値受信信号と比較し、 
時間ｔの間又はより長い間、前記ユーザ装置の受信信号が、前記閾値受信信号より低い場合に、セルエッジ・エクスペリエンスのインスタンスを示すように更に構成される［７５］の装置。 
［７７］前記少なくとも一つのプロセッサは、 
ユーザ装置の受信信号を閾値受信信号と比較し、 
サポートされるデータレートにおいて、非常に低いデータレートへの低下が存在する場合に、セルエッジ・エクスペリエンスのインスタンスを示すように更に構成される［７５］の装置。 
［７８］前記少なくとも一つのプロセッサは、 
ユーザ装置の受信信号を閾値受信信号と比較し、 
多数のＣＲＣ失敗が存在する場合に、セルエッジ・エクスペリエンスのインスタンスを示すように更に構成される［７５］の装置。 
［７９］前記通信イベントは、ハンドオーバー失敗のインスタンスを含み、 
前記少なくとも一つのプロセッサは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶するように更に構成される［６３］。 
［８０］前記通信イベントは、セル再選択失敗のインスタンスを含み、 
前記少なくとも一つのプロセッサは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶するように更に構成される［６３］の装置。 
［８１］前記通信イベントは、セル・リダイレクション失敗のインスタンスを含み、 
前記少なくとも一つのプロセッサは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶するように更に構成される［６３］の装置。 
［８２］前記通信イベントは、圏外エクスペリエンスのインスタンスを含み、 
前記少なくとも一つのプロセッサは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶するように更に構成される［６３］の装置。 
［８３］前記通信モードは、アイドル・モード又は接続モードのうちの少なくとも一つを更に含む［７８］の装置。 
［８４］ネットワークにおける無線通信のための方法において、 
ユーザ装置からユーザ装置ログの少なくとも一部を受信することと、ここで、該ユーザ装置ログは、該ユーザ装置上に記憶された検出された通信イベントの１又は複数のアスペクトを含む、 
ｅＮＢからｅＮＢログの少なくとも一部を受信することと、ここで、ｅＮＢログは、ｅＮＢ上に記憶された第２の検出された通信イベントの１又は複数のを含む、 
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較することと、 
前記ネットワークを最適化するために最適化基準を使用することを含む方法。 
［８５］前記検出された通信イベントは、ページ・レスポンスを含み、 
前記第２の検出された通信イベントは、失われたページを含む［１０４］の方法。 
［８６］前記受信することは、周期的にユーザ装置ログの少なくとも一部及びｅＮＢログの少なくとも一部を受信することを更に含む［１０４］の方法。 
［８７］ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む［１０４］の方法。 
［８８］前記検出された通信イベント及び前記第２の検出された通信イベントのうちの少なくとも一つは、リンク・アンバランスを含み、 
前記アスペクトは、前記リンク・アンバランスの時刻、前記リンク・アンバランスに関連するセルＩＤ、受信電力レベル及び前記リンク・アンバランスの継続期間のうちの少なくとも一つを含む［１０４］の方法。 
［８９］前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［８８］の方法 
［９０］前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［８８］の方法 
［９１］前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、 
前記アスペクトは、前記パイロット及びデータ・ポリューションのインスタンスの時刻、セルＩＤ、パイロットＩＤ及び少なくとも一つのパイロットの強度のうちの少なくとも一つを含む［１０４］方法。 
［９２］前記検出された通信イベント及び前記第２の検出された通信イベントのうちの少なくとも一つは、 
検出されたパイロットの数を閾値パイロット数と比較することと、 
前記検出されたパイロットの数が閾値数を超える場合にパイロット及びデータ・ポリューションのインスタンスを示すことを介して、検出される［９１］の方法。 
［９３］前記検出された通信イベント及び前記第２の検出された通信イベントのうちの前記少なくとも一つは、前記パイロット及びデータ・ポリューションに関連する２つ以上のパイロットを識別することを介して、検出される［９２］の方法。 
［９４］前記アスペクトは、前記パイロット及びデータ・ポリューションに関連する２つ以上のパイロットの前記信号強度のメジャーメントを含む［９３］の方法。 
［９５］前記検出された通信イベント及び前記第２の検出された通信イベントのうちの少なくとも一つは、セルエッジ・エクスペリエンスのインスタンスを含み、 
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む［１０４］の方法。 
［９６］前記検出することは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを含む［９５］の方法。 
［９７］前記検出することは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを更に含む［９５］の方法。 
［９８］前記検出することは、 
ユーザ装置の受信信号を閾値受信信号と比較することと、 
多数のＣＲＣ失敗が存在する場合に、セルエッジ・エクスペリエンスのインスタンスを示すことを更に含む［９５］の方法。 
［９９］前記通信イベントは、ハンドオーバー失敗のインスタンスを含み、 
前記記憶することは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを記憶することを更に含む［１０４］の方法。 
［１００］前記通信イベントは、セル再選択失敗のインスタンスを含み、 
前記記憶することは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを記憶することを更に含む［１０４］の方法。 
［１０１］前記通信イベントは、セル・リダイレクション失敗のインスタンスを含み、 
前記記憶することは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを記憶することを更に含む［１０４］。 
［１０２］前記通信イベントは、圏外エクスペリエンスのインスタンスを含み、 
前記記憶することは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを記憶することを更に含む［１０４］。 
［１０３］前記通信モードは、アイドル・モード又は接続モードのうちの少なくとも一つを更に含む［９９］の方法。 
［１０４］無線通信のための装置において、 
ユーザ装置からユーザ装置ログの少なくとも一部を受信するための手段と、ここで、該ユーザ装置ログは、該ユーザ装置上に記憶された検出された通信イベントの１又は複数のアスペクトを含む、 
ｅＮＢからｅＮＢログの少なくとも一部を受信するための手段と、ここで、ｅＮＢログは、ｅＮＢ上に記憶された第２の検出された通信イベントの１又は複数のアスペクトを含む、 
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較するための手段と、 
ネットワークを最適化するために最適化基準を使用するための手段とを含む装置。 
［１０５］前記検出された通信イベントは、ページ・レスポンスを含み、 
前記第２の検出された通信イベントは、失われたページを含む［１０４］の装置。 
［１０６］前記受信するための手段は、周期的にユーザ装置ログの少なくとも一部及びｅＮＢログの少なくとも一部を受信するための手段を更に含む［１０４］の装置。 
［１０７］ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するための手段を更に含む［１０４］の装置。 
［１０８］前記検出された通信イベント及び前記第２の検出された通信イベントのうちの少なくとも一つは、リンク・アンバランスを含み、 
前記アスペクトは、前記リンク・アンバランスの時刻、前記リンク・アンバランスに関連するセルＩＤ、受信電力レベル及び前記リンク・アンバランスの継続期間のうちの少なくとも一つを含む［１０４］の装置。 
［１０９］前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１０８］の装置。 
［１１０］前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１０８］の装置。 
［１１１］前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、 
前記アスペクトは、前記パイロット及びデータ・ポリューションのインスタンスの時刻、セルＩＤ、パイロットＩＤ及び少なくとも一つのパイロットの強度のうちの少なくとも一つを含む［１０４］の装置。 
［１１２］前記検出された通信イベント及び前記第２の検出された通信イベントのうちの少なくとも一つは、 
検出されたパイロットの数を閾値パイロット数と比較することと、 
前記検出されたパイロットの数が閾値数を超える場合にパイロット及びデータ・ポリューションのインスタンスを示すことを介して、検出される［１１１］の装置。 
［１１３］前記検出された通信イベント及び前記第２の検出された通信イベントのうちの前記少なくとも一つは、前記パイロット及びデータ・ポリューションに関連する２つ以上のパイロットを識別することを介して、検出される［１１２］の装置。 
［１１４］前記アスペクトは、パイロット及びデータ・ポリューションに関連する２つ以上のパイロットの前記強度のメジャーメントを含む［１１３］の装置。 
［１１５］前記検出された通信イベント及び前記第２の検出された通信イベントのうちの少なくとも一つは、セルエッジ・エクスペリエンスのインスタンスを含み、 
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む［１０４］の装置。 
［１１６］前記検出された通信イベント及び前記第２の検出された通信イベントのうちの少なくとも一つは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを介して、検出される［１１５］の装置。 
［１１７］前記検出された通信イベント及び前記第２の検出された通信イベントのうちの少なくとも一つは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを介して、検出される［１１５］の装置。 
［１１８］前記検出された通信イベント及び前記第２の検出された通信イベントのうちの少なくとも一つは、 
ユーザ装置の受信信号を閾値受信信号と比較することと、 
多数のＣＲＣ失敗が存在する場合に、セルエッジ・エクスペリエンスのインスタンスを示すことを介して、検出される［１１５］の装置。 
［１１９］前記通信イベントは、ハンドオーバー失敗のインスタンスを含み、 
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む［１０４］。 
［１２０］前記通信イベントは、セル再選択失敗のインスタンスを含み、 
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む［１０４］の装置。 
［１２１］前記通信イベントは、セル・リダイレクション失敗のインスタンスを含み、 
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む［１０４］の装置。 
［１２２］前記通信イベントは、圏外エクスペリエンスのインスタンスを含み、 
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む［１０４］の装置。 
［１２３］前記通信モードは、アイドル・モード又は接続モードのうちの少なくとも一つを更に含む［１１９］の装置。 
［１２４］コンピュータ・プログラム製品において、 
ユーザ装置からユーザ装置ログの少なくとも一部を受信し、ここで、該ユーザ装置ログは、該ユーザ装置上に記憶された検出された通信イベントの１又は複数のアスペクトを含む、 
ｅＮＢからｅＮＢログの少なくとも一部を受信し、ここで、ｅＮＢログは、ｅＮＢ上に記憶された第２の検出された通信イベントの１又は複数のアスペクトを含む、 
最適化基準を判定するために、前記ユーザ装置上に記憶された前記１又は複数の検出された通信イベントのうちの少なくとも一つを、ｅＮＢ上に記憶された第２の検出された通信イベントの前記１又は複数のアスペクトのうちの少なくとも一つと比較し、 
ネットワークを最適化するために最適化基準を使用するためのコードを含むコンピュータ読み取り可能な媒体を含むコンピュータ・プログラム製品。 
［１２５］前記検出された通信イベントは、ページ・レスポンスを含み、 
前記第２の検出された通信イベントは、失われたページを含む［１２４］のコンピュータ・プログラム製品。 
［１２６］前記受信することは、周期的にユーザ装置ログの少なくとも一部及びｅＮＢログの少なくとも一部を受信することを更に含む［１２４］のコンピュータ・プログラム製品。 
［１２７］ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信することを更に含む［１２４］のコンピュータ・プログラム製品。 
［１２８］前記検出された通信イベント及び前記第２の検出された通信イベントのうちの少なくとも一つは、リンク・アンバランスを含み、 
前記アスペクトは、前記リンク・アンバランスの時刻、前記リンク・アンバランスに関連するセルＩＤ、受信電力レベル及び前記リンク・アンバランスの継続期間のうちの少なくとも一つを含む［１２４］のコンピュータ・プログラム製品。 
［１２９］前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１２８］のコンピュータ・プログラム製品。 
［１３０］前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１２８］のコンピュータ・プログラム製品。 
［１３１］前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、 
前記アスペクトは、前記パイロット及びデータ・ポリューションのインスタンスの時刻、セルＩＤ、パイロットＩＤ及び少なくとも一つのパイロットの強度のうちの少なくとも一つを含む［１２４］のコンピュータ・プログラム製品。 
［１３２］前記検出された通信イベント及び前記第２の検出された通信イベントのうちの少なくとも一つは、 
検出されたパイロットの数を閾値パイロット数と比較することと、 
前記検出されたパイロットの数が閾値数を超える場合にパイロット及びデータ・ポリューションのインスタンスを示すことを介して、検出される［１３１］のコンピュータ・プログラム製品。 
［１３３］前記検出された通信イベント及び前記第２の検出された通信イベントのうちの前記少なくとも一つは、前記パイロット及びデータ・ポリューションに関連する２つ以上のパイロットを識別することを介して、検出される［１３２］のコンピュータ・プログラム製品。 
［１３４］前記アスペクトは、パイロット及びデータ・ポリューションに関連する２つ以上のパイロットの前記強度のメジャーメントを含む［１３３］のコンピュータ・プログラム製品。 
［１３５］前記検出された通信イベント及び前記第２の検出された通信イベントのうちの少なくとも一つは、セルエッジ・エクスペリエンスのインスタンスを含み、 
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む［１２４］のコンピュータ・プログラム製品。 
［１３６］前記検出された通信イベント及び前記第２の検出された通信イベントのうちの少なくとも一つは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを介して、検出される［１３５］のコンピュータ・プログラム製品。 
［１３７］前記検出された通信イベント及び前記第２の検出された通信イベントのうちの少なくとも一つは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを介して、検出される［１３５］のコンピュータ・プログラム製品。 
［１３８］前記検出された通信イベント及び前記第２の検出された通信イベントのうちの少なくとも一つは、 
ユーザ装置の受信信号を閾値受信信号と比較することと、 
多数のＣＲＣ失敗が存在する場合に、セルエッジ・エクスペリエンスのインスタンスを示すことを介して、検出される［１３５］のコンピュータ・プログラム製品。 
［１３９］前記検出された通信イベント及び前記第２の検出された通信イベントのうちの少なくとも一つは、ハンドオーバー失敗のインスタンスを含み、 
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む［１２４］のコンピュータ・プログラム製品。 
［１４０］前記検出された通信イベント及び前記第２の検出された通信イベントのうちの少なくとも一つは、セル再選択失敗のインスタンスを含み、 
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む［１２４］のコンピュータ・プログラム製品。 
［１４１］前記検出された通信イベント及び前記第２の検出された通信イベントのうちの少なくとも一つは、前記セル・リダイレクション失敗のインスタンスを含み、 
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期間のうちの少なくとも一つを含む［１２４］のコンピュータ・プログラム製品。 
［１４２］前記検出された通信イベント及び前記第２の検出された通信イベントのうちの少なくとも一つは、圏外エクスペリエンスのインスタンスを含み、 
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む［１２４］のコンピュータ・プログラム製品。 
［１４３］前記通信モードは、アイドル・モード又は接続モードのうちの少なくとも一つを更に含む［１３９］のコンピュータ・プログラム製品。 
［１４４］無線通信のための装置において、 
少なくとも一つのプロセッサと、 
前記少なくとも一つのプロセッサに接続されたメモリとを含み、 
前記少なくとも一つのプロセッサは、 
ユーザ装置からユーザ装置ログの少なくとも一部を受信することと、ここで、前記少なくとも一つのプロセッサは、ユーザ装置ログが、該ユーザ装置上に記憶された検出された通信イベントの１又は複数のアスペクトを含むように構成される、 
ｅＮＢからｅＮＢログの少なくとも一部を受信することと、ここで、ｅＮＢログは、ｅＮＢ上に記憶された第２の検出された通信イベントの１又は複数のアスペクトを含む、 
最適化基準を判定するために、前記検出された通信イベントの前記１又は複数のアスペクトを、前記第２の検出された通信イベントの前記１又は複数のアスペクトと比較することと、 
最適化基準を使用して、無線通信のためのネットワークを最適化するように構成される装置。 
［１４５］前記少なくとも一つのプロセッサは、前記検出された通信イベントが、ページ・レスポンスを含み、前記第２の検出された通信イベントが、失われたページを含むように構成される［１４４］の装置。 
［１４６］前記少なくとも一つのプロセッサは、周期的にユーザ装置ログの少なくとも一部及びｅＮＢログの少なくとも一部を受信するように更に構成される［１４４］の装置。 
［１４７］前記少なくとも一つのプロセッサは、ＳＯＮサーバからのリクエストと、セットされたタイムピリオドの経過と、ユーザ装置及びｅＮＢのうちの一つにより開始されるレスポンスとのうちの少なくとも一つに応答して、前記ユーザ装置ログの少なくとも一部及び前記ｅＮＢの少なくとも一部を受信するように更に構成される［１４４］の装置。 
［１４８］前記検出された通信イベント及び前記第２の検出された通信イベントのうちの少なくとも一つは、リンク・アンバランスを含み、 
前記アスペクトは、前記リンク・アンバランスの時刻、前記リンク・アンバランスに関連するセルＩＤ、受信電力レベル及び前記リンク・アンバランスの継続期間のうちの少なくとも一つを含む［１４４］の装置。 
［１４９］前記検出された通信イベント及び前記第２の検出された通信イベントのうちの少なくとも一つは、タイムピリオドの間、絶えずパイロット閾値を上回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１４８］の装置。 
［１５０］前記検出された通信イベント及び前記第２の検出された通信イベントのうちの少なくとも一つは、タイムピリオドの間、絶えずパイロット閾値を下回るパイロット又はサウンディング信号を有する第１のリンクを識別することによって、検出され、 
前記検出された通信イベント及び前記第２の検出された通信イベントのうちの少なくとも一つは、更に、前記タイムピリオドの間、前記第１のリンクの電力制御ビットと同じパイロット閾値に関して同一の又は類似する振る舞いを一貫して与えないパイロット又はサウンディング信号を有する第２のリンクを識別することによって、検出される［１４８］の装置。 
［１５１］前記検出された通信イベント及び前記第２の検出された通信イベントのうちの少なくとも一つは、数ｄＢ内の相対的な信号強度をもつ２つのパイロットにより定義される、パイロット及びデータ・ポリューションのインスタンスを含み、 
前記アスペクトは、前記パイロット及びデータ・ポリューションのインスタンスの時刻、セルＩＤ、パイロットＩＤ及び少なくとも一つのパイロットの強度のうちの少なくとも一つを含む［１４４］の装置。 
［１５２］前記検出された通信イベント及び前記第２の検出された通信イベントのうちの少なくとも一つは、 
検出されたパイロットの数を閾値パイロット数と比較することと、 
前記検出されたパイロットの数が閾値数を超える場合にパイロット及びデータ・ポリューションのインスタンスを示すことを介して、検出される［１５１］の装置。 
［１５３］前記検出された通信イベント及び前記第２の検出された通信イベントのうちの前記少なくとも一つは、前記パイロット及びデータ・ポリューションに関連する２つ以上のパイロットを識別することを介して、検出される［１５２］の装置。 
［１５４］前記アスペクトは、パイロット及びデータ・ポリューションに関連する２つ以上のパイロットの前記強度のメジャーメントを含む［１５３］の装置。 
［１５５］前記検出された通信イベント及び前記第２の検出された通信イベントのうちの少なくとも一つは、セルエッジ・エクスペリエンスのインスタンスを含み、 
前記アスペクトは、前記セルエッジ・エクスペリエンスの時刻、前記セルエッジ・エクスペリエンスに関連するセルＩＤ、前記セルエッジ・エクスペリエンスの位置、ＲＳＲＰの使用、ＲＳＲＱ、ＭＣＳ、バンド幅、ＨＡＲＱ終了情報及びＭＡＣレイヤＡＣＫ／ＮＡＫ情報のうちの少なくとも一つを含む［１４４］の装置。 
［１５６］前記検出された通信イベント及び前記第２の検出された通信イベントのうちの少なくとも一つは、 
ユーザ装置の受信信号を閾値受信信号と比較することと、 
時間ｔの間又はより長い間、前記ユーザ装置の受信信号が、前記閾値受信信号より低い場合に、セルエッジ・エクスペリエンスのインスタンスを示すことを介して、検出される［１５５］の装置。 
［１５７］前記検出された通信イベント及び前記第２の検出された通信イベントのうちの少なくとも一つは、 
ユーザ装置の受信信号を閾値受信信号と比較することと、 
サポートされるデータレートにおいて、非常に低いデータレートへの低下が存在する場合に、セルエッジ・エクスペリエンスのインスタンスを示すことを介して、検出される［１５５］の装置。 
［１５８］前記検出された通信イベント及び前記第２の検出された通信イベントのうちの少なくとも一つは、 
ユーザ装置の受信信号を閾値受信信号と比較することと、 
多数のＣＲＣ失敗が存在する場合に、セルエッジ・エクスペリエンスのインスタンスを示すことを介して、検出される［１５５］の装置。 
［１５９］前記検出された通信イベント及び前記第２の検出された通信イベントのうちの少なくとも一つは、ハンドオーバー失敗のインスタンスを含み、 
前記アスペクトは、前記ハンドオーバー失敗の時刻、前記ハンドオーバー失敗に関連するセルＩＤ、前記ハンドオーバー失敗に関連する通信モード、及びユーザ装置が前記ハンドオーバー失敗に関連するセルＩＤをもつセルの上でキャンプする継続期間のうちの少なくとも一つを含む［１４４］の装置。 
［１６０］前記検出された通信イベント及び前記第２の検出された通信イベントのうちの少なくとも一つは、セル再選択失敗のインスタンスを含み、 
前記アスペクトは、前記セル再選択失敗の時刻、前記セル再選択失敗に関連するセルＩＤ、前記セル再選択失敗に関連する通信モード、及びユーザ装置が前記セル再選択失敗に関連するセルＩＤをもつセルの上でキャンプする継続期間のうちの少なくとも一つを含む［１４４］の装置。 
［１６１］前記検出された通信イベント及び前記第２の検出された通信イベントのうちの少なくとも一つは、セル・リダイレクション失敗のインスタンスを含み、 
前記アスペクトは、前記セル・リダイレクション失敗の時刻、前記セル・リダイレクション失敗に関連するセルＩＤ、前記セル・リダイレクション失敗に関連する通信モード、及びユーザ装置が前記セル・リダイレクション失敗に関連するセルＩＤをもつセルの上でキャンプする継続期のうちの少なくとも一つを含む［１４４］の装置。 
［１６２］前記検出された通信イベント及び前記第２の検出された通信イベントのうちの少なくとも一つは、圏外エクスペリエンスのインスタンスを含み、 
前記アスペクトは、前記圏外エクスペリエンスの時刻、前記圏外エクスペリエンスに関連するセルＩＤ、前記圏外エクスペリエンスに関連する通信モード、及びユーザ装置が前記圏外エクスペリエンスを経験した継続期間及びユーザ装置が前記圏外エクスペリエンスを経験したセルＩＤのうちの少なくとも一つを含む［１４４］の装置。 
［１６３］前記少なくとも一つのプロセッサは、前記通信モードが、アイドル・モード又は接続モードのうちの少なくとも一つを更に含むように更に構成される［１５９］の装置。
【外国語明細書】
2014096823000001.pdf